(57)【特許請求の範囲】
【請求項１】
所定の遊技価値が付与可能となる遊技機であって、
前記所定の遊技価値を付与するか否かを決定する価値付与決定手段と、
前記価値付与決定手段の決定結果に基づいて、前記所定の遊技価値が付与される可能性を示唆する所定演出を実行する遊技演出手段とを備え、
前記遊技演出手段は、
前記所定演出として、遊技者に所定の触感を与えるための超音波信号を出力し、遊技機から離間した所定の照射領域内に照射する超音波照射手段と、
前記所定の照射領域を認識させる報知を行う報知手段とを含む、
ことを特徴とする遊技機。
【請求項２】
所定の遊技価値が付与可能となる遊技機であって、
前記所定の遊技価値を付与するか否かを決定する価値付与決定手段と、
前記価値付与決定手段の決定結果に基づいて、前記所定の遊技価値が付与される可能性を示唆する所定演出を実行する遊技演出手段とを備え、
前記遊技演出手段は、前記所定演出として、遊技者に所定の触感を与えるための超音波信号を出力し、遊技機から離間した所定の照射領域内に照射する超音波照射手段を含み、
前記超音波照射手段は、遊技の進行に従って前記所定の照射領域を変更可能であり、
画像を表示する画像表示手段を含み、
前記遊技演出手段は、前記所定演出として、前記画像表示手段により所定の演出画像を表示する演出画像表示実行手段を含み、
前記超音波照射手段は、前記演出画像表示実行手段により所定の演出画像が表示される位置に応じた超音波信号の照射位置を設定する演出画像表示中超音波設定手段を含む、
ことを特徴とする遊技機。
【発明の詳細な説明】
【技術分野】
【０００１】
本発明は、所定の遊技価値が付与可能となる遊技機に関する。
【背景技術】
【０００２】
パチンコ遊技機やスロットマシン等の遊技機においては、所定の識別情報（表示図柄ともいう）を更新表示やスクロール表示させることで変動可能とする可変表示を行い、その表示結果により所定の遊技価値を付与するか否かを決定する、いわゆる可変表示ゲームによって遊技興趣を高めたものが数多く提供されている。なお、遊技価値とは、遊技機の遊技領域に設けられた可変入賞球装置の状態が遊技媒体の進入（入賞）しやすい遊技者にとって有利な状態になることや、遊技者にとって有利な状態となるための権利を発生させたりすることなどであればよい。
【０００３】
こうした可変表示ゲームでは、可変表示の開始条件が成立したこと（例えばパチンコ遊技機にて始動入賞口を通過する遊技球が検出された後に前回の可変表示ゲームが終了したこと、あるいは、スロットマシンにてスタートレバーが操作されたことなど）に基づいて表示図柄の変動を開始させ、表示図柄の変動が完全に停止した際の停止図柄（確定図柄）の態様が特定表示態様となっている場合に、遊技者にとって有利な遊技状態（例えばパチンコ遊技機における大当り状態などの特定遊技状態や、スロットマシンにおけるビッグボーナスあるいはレギュラーボーナスなどの特別遊技状態など）に制御する。
【０００４】
このような遊技機には、遊技の進行状況に応じて、液晶表示装置（ＬＣＤ；Liquid Crystal Display）等の表示画面上に所定のキャラクタを登場させたり、そのキャラクタを変化させたり、実写画像などの多色画像を表示させたり、スピーカから音声を出力させたり、ランプ・ＬＥＤ等の発光体を明滅させたりすることによって、各種の遊技演出が行われるものもある。そして、遊技者による表示画面上の接触操作時に振動を与えることにより、遊技価値が付与されることに対する遊技者の期待感を高める遊技機が提案されている（例えば、特許文献１）。
【先行技術文献】
【特許文献】
【０００５】
【特許文献１】特開２０１０−６９２３０号公報
【発明の概要】
【発明が解決しようとする課題】
【０００６】
特許文献１に記載の技術では、遊技者が表示画面上に接触しなければ遊技者の感覚に刺激を与えることができない。そのため、演出内容が制限されてしまい、演出内容が単調となって遊技興趣が低下するおそれがある。
【０００７】
この発明は、上記実状に鑑みてなされたものであり、演出内容を多様化して遊技の興趣を向上させる遊技機の提供を目的とする。
【課題を解決するための手段】
【０００８】
（１）  上記目的を達成するため、本願の請求項に係る遊技機は、所定の遊技価値（例えば大当り遊技状態や確変状態、あるいは、ビッグボーナスやレギュラーボーナスなど）が付与可能となる遊技機（例えばパチンコ遊技機１、あるいはスロットマシン５００など）であって、前記所定の遊技価値を付与するか否かを決定する価値付与決定手段（例えばステップＳ２２５〜Ｓ２３０の処理を実行する遊技制御用マイクロコンピュータ１００のＣＰＵ１１１など）と、前記価値付与決定手段の決定結果に基づいて、前記所定の遊技価値が付与される可能性を示唆する所定演出を実行する遊技演出手段（例えばステップＳ１６２〜Ｓ１６６の処理を実行する演出制御用マイクロコンピュータ１２０のＣＰＵ１３１など）とを備え、前記遊技演出手段は、前記所定演出として、遊技者に所定の触感を与えるための超音波信号を出力し、遊技機から離間した所定の照射領域内に照射する超音波照射手段（例えば超音波出力装置３２、超音波出力制御回路３１や、ステップＳ６２０の超音波出力設定処理を実行するＣＰＵ１３１など）と、前記所定の照射領域を認識させる報知を行う報知手段とを含む。
（２）  上記目的を達成するため、本願の請求項に係る遊技機は、所定の遊技価値（例えば大当り遊技状態や確変状態、あるいは、ビッグボーナスやレギュラーボーナスなど）が付与可能となる遊技機（例えばパチンコ遊技機１、あるいはスロットマシン５００など）であって、前記所定の遊技価値を付与するか否かを決定する価値付与決定手段（例えばステップＳ２２５〜Ｓ２３０の処理を実行する遊技制御用マイクロコンピュータ１００のＣＰＵ１１１など）と、前記価値付与決定手段の決定結果に基づいて、前記所定の遊技価値が付与される可能性を示唆する所定演出を実行する遊技演出手段（例えばステップＳ１６２〜Ｓ１６６の処理を実行する演出制御用マイクロコンピュータ１２０のＣＰＵ１３１など）とを備え、前記遊技演出手段は、前記所定演出として、遊技者に所定の触感を与えるための超音波信号を出力し、遊技機から離間した所定の照射領域内に照射する超音波照射手段（例えば超音波出力装置３２、超音波出力制御回路３１や、ステップＳ６２０の超音波出力設定処理を実行するＣＰＵ１３１など）を含み、前記超音波照射手段は、遊技の進行に従って前記所定の照射領域を変更可能であり、画像を表示する画像表示手段を含み、前記遊技演出手段は、前記所定演出として、前記画像表示手段により所定の演出画像を表示する演出画像表示実行手段を含み、前記超音波照射手段は、前記演出画像表示実行手段により所定の演出画像が表示される位置に応じた超音波信号の照射位置を設定する演出画像表示中超音波設定手段を含む。
【０００９】
上記（１）および（２）の構成によれば、所定演出として、遊技者に所定の触感を与えるための超音波信号が出力され、遊技機から離間した所定の照射領域内に照射される。これにより、従来に比べて広い範囲で遊技者の感覚に刺激を与えることができ、演出内容を多様化して遊技の興趣を向上させることができる。
【００１０】
超音波信号の照射領域としては、例えば打球操作ハンドル（操作ノブ）の付近といった、遊技者が遊技機による遊技を行うために手を触れている位置や、あるいは遊技領域の手前側（遊技者側）における空間内といった、遊技機による遊技の実行中に遊技者の手が所在可能な位置などを、含んでいればよい。
【００１１】
（３）  上記（１）の遊技機において、画像を表示する画像表示手段（例えば画像表示装置５など）を含み、前記遊技演出手段は、前記所定演出として、前記画像表示手段により所定の演出画像を表示する演出画像表示実行手段（例えば表示制御部１２１の画像処理プロセッサ１４１や、ステップＳ６１９の特別演出画像表示処理を実行するＣＰＵ１３１など）を含み、前記超音波照射手段は、前記演出画像表示実行手段により所定の演出画像が表示される位置に応じた超音波信号の照射位置を設定する演出画像表示中超音波設定手段（例えばステップＳ６６３の処理を実行するＣＰＵ１３１など）を含んでもよい。
【００１２】
上記（２）または（３）の構成においては、所定の演出画像が表示された位置にあわせて超音波信号の照射位置が設定される。こうして、演出画像を表示する演出動作と連動して遊技者の感覚に刺激を与えることで、演出動作と触感の対応関係を明確にして遊技の興趣を向上させることができる。
【００１３】
所定の演出画像が表示された位置にあわせた超音波信号の照射位置としては、例えば所定の演出画像が表示された位置の手前側（遊技者側）における空間内といった、所定の演出画像の表示位置そのものに対応する位置や、あるいは所定の演出画像を表示することにより示唆された位置などを、含んでいればよい。
【００１４】
（４）  上記（１）〜（３）の遊技機において、前記遊技演出手段は、前記所定演出として、前記画像表示手段により立体画像を表示する立体画像表示実行手段（例えば表示制御部１２１の画像処理プロセッサ１４１や、ステップＳ６１９の特別演出画像表示処理を実行するＣＰＵ１３１など）を含み、前記超音波照射手段は、前記立体画像表示実行手段により立体画像が表示された位置にあわせて超音波信号の照射位置を設定する立体画像表示中超音波設定手段（例えばステップＳ６６５の処理を実行するＣＰＵ１３１など）を含んでもよい。
【００１５】
上記（４）の構成においては、立体画像が表示された位置にあわせて超音波信号の照射位置が設定される。こうして、立体画像を表示する演出動作と連動して遊技者の感覚に刺激を与えることで、より現実に近い印象を遊技者に与えて遊技の興趣を向上させることができる。
【００１６】
立体画像が表示された位置にあわせた超音波信号の照射位置としては、例えば立体画像が表示された位置の下側といった、立体画像の表示位置そのものに対応する位置であることが好ましく、あるいは立体画像を表示することにより示唆された位置などであってもよい。
【００１７】
（５）  上記（１）〜（４）の遊技機において、前記所定の照射領域を含む所定領域を撮影する撮影手段（例えばカメラ３３やカメラ５３３など）を備え、前記超音波照射手段は、前記撮影手段による撮影結果に応じて超音波信号の照射位置を設定する撮影時超音波設定手段（例えばステップＳ６６６の処理を実行するＣＰＵ１３１など）を含んでもよい。
【００１８】
上記（５）の構成においては、撮影手段による撮影結果に応じて超音波信号の照射位置が設定される。これにより、遊技者の感覚に的確な刺激を与えやすくして、遊技の興趣を向上させることができる。
【００１９】
（６）  上記（１）〜（５）の遊技機において、検知対象物（例えば遊技者の手や指など）を撮影して撮影画像データを生成する撮影手段（例えばカメラ３３やカメラ５３３など）と、所定条件が成立したときに（例えば飾り図柄の可変表示状態がリーチ状態となったときや、大当り中演出が開始されたときなど）、前記価値付与決定手段による決定結果を示唆する演出画像を前記画像表示手段により表示する特別演出の実行を開始した後、前記撮影画像データを用いて、前記撮影手段の撮影範囲内で前記撮影手段の位置に対して特定の関係に予め設定された検知領域（例えば仮想操作領域ＶＡ１、ＶＡ２など）における前記検知対象物の検知結果に基づき前記画像表示手段により表示する演出画像を変化させる特別演出制御手段（例えばステップＳ５２３にて図３０に示す特別演出制御処理を実行するＣＰＵ１３１や画像処理プロセッサ１４１など）と、前記検知領域を認識させるための検知領域認識手段（例えば境界面報知ユニットや認識用部材、特別演出が開始される時点での演出動作状態に対応してステップＳ６２１の処理による演出動作制御を実行するＣＰＵ１３１や画像処理プロセッサ１４１など）とを備えてもよい。
【００２０】
上記（６）の構成においては、検知対象物を撮影して生成された撮影画像データを用いて、撮影範囲内で撮影手段の位置に対して特定の関係に予め設定された検知領域における検知対象物の検知結果に基づき表示させる演出画像が変化する。これにより、遊技者による操作との関連性を直感的に理解できる演出内容を多様化して、遊技の興趣を向上させることができる。また、検知領域を認識させるための検知領域認識手段により、遊技者が検知領域を容易に把握して、演出画像を変化させる操作の正確性などを向上させることができる。
【図面の簡単な説明】
【００２１】
【図１】この実施の形態におけるパチンコ遊技機の正面図である。
【図２】画像表示装置の構成例を示す図である。
【図３】超音波出力装置の構成例を示す図である。
【図４】パチンコ遊技機に搭載された各種の制御基板などを示す構成図である。
【図５】演出制御コマンドの内容の一例を示す説明図である。
【図６】遊技制御用マイクロコンピュータの構成例を示すブロック図である。
【図７】主基板の側にてカウントされる乱数値を例示する説明図である。
【図８】変動パターンを例示する図である。
【図９】特図表示結果決定テーブルの構成例を示す図である。
【図１０】大当り種別決定テーブルの構成例を示す図である。
【図１１】リーチ決定テーブルの構成例を示す図である。
【図１２】変動パターン決定テーブルの構成例を示す図である。
【図１３】変動パターン決定テーブルの構成例を示す図である。
【図１４】遊技制御用データ保持エリアの構成例を示すブロック図である。
【図１５】演出制御基板が備える演出制御用マイクロコンピュータや表示制御部などの構成例を示すブロック図である。
【図１６】演出制御パターンの構成例などを示す図である。
【図１７】特別演出パターン決定テーブルの構成例などを示す図である。
【図１８】演出動作状態の遷移動作例を示す図である。
【図１９】特別演出パターンに応じた超音波信号の出力設定例を示す図である。
【図２０】演出制御用データ保持エリアの構成例を示すブロック図である。
【図２１】遊技制御用タイマ割込み処理の一例を示すフローチャートである。
【図２２】特別図柄プロセス処理の一例を示すフローチャートである。
【図２３】始動入賞判定処理の一例を示すフローチャートである。
【図２４】特別図柄通常処理の一例を示すフローチャートである。
【図２５】変動パターン設定処理の一例を示すフローチャートである。
【図２６】演出制御メイン処理の一例を示すフローチャートである。
【図２７】演出制御プロセス処理の一例を示すフローチャートである。
【図２８】可変表示開始設定処理の一例を示すフローチャートである。
【図２９】可変表示中演出処理の一例を示すフローチャートである。
【図３０】特別演出制御処理の一例を示すフローチャートである。
【図３１】特別演出画像表示処理の一例を示すフローチャートである。
【図３２】超音波出力設定処理の一例を示すフローチャートである。
【図３３】特別演出を実行するためのカメラによる撮影動作や仮想操作領域の設定、超音波信号の出力動作などを説明するための図である。
【図３４】特別演出の実行時における操作例を示す図である。
【図３５】特別演出の実行例を示す図である。
【図３６】特別演出の実行例を示す図である。
【図３７】特別演出の実行例を示す図である。
【図３８】特別演出の実行例を示す図である。
【図３９】特別演出の実行例を示す図である。
【図４０】特別演出の実行例を示す図である。
【図４１】特別演出の実行例を示す図である。
【図４２】この発明が適用されるスロットマシンの正面図である。
【図４３】スロットマシンに搭載される各種の制御基板などを示す構成図である。
【発明を実施するための形態】
【００２２】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００２３】
遊技盤２の所定位置（図１に示す例では、遊技領域の左下方）には、特別図柄表示装置４と、特図保留表示器２５Ａとが設けられている。特別図柄表示装置４は、例えば７セグメントやドットマトリクスの発光ダイオード（ＬＥＤ：Light Emitting Diode）等から構成され、各々を識別可能な複数種類の識別情報である特別図柄（「特図」ともいう）を、変動可能に表示（可変表示）する。このような特別図柄の可変表示は、特図ゲームと称され、可変表示ゲームの一例となる。例えば、特別図柄表示装置４は、「００」〜「９９」を示す数字や「−−」あるいは「．．」を示す記号等の一部または全部から構成される複数種類の特別図柄を可変表示する。なお、特別図柄表示装置４にて表示される特別図柄は、「００」〜「９９」を示す数字や「−−」あるいは「．．」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。複数種類の特別図柄には、それぞれに対応した図柄番号が付されている。なお、特別図柄表示装置４は、例えば「０」〜「９」を示す数字（あるいは１桁の記号）を可変表示するように構成されていてもよい。
【００２４】
特図保留表示器２５Ａは、特図ゲームにおける可変表示の保留記憶数（特図保留記憶数）を特定可能に表示（特図保留記憶表示）する。ここで、特図ゲームにおける可変表示の保留記憶は、普通可変入賞球装置６が形成する始動入賞口に遊技球が進入（始動入賞）したときに発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることや、パチンコ遊技機１が大当り遊技状態あるいは小当り遊技状態に制御されていることなどにより、可変表示ゲームを開始するための開始条件が成立していないときに、成立した始動条件に対応する可変表示の保留記憶が行われる。特図保留表示器２５Ａは、例えば特図保留記憶数の上限値（例えば「４」）に対応した個数（例えば４個）のＬＥＤを含んで構成されていればよい。
【００２５】
遊技盤２の所定位置（図１に示す例では、遊技領域の左側方）には、普通図柄表示器２０と、普図保留表示器２５Ｂとが設けられている。普通図柄表示器２０は、例えば「○」と「×」とを示す装飾ランプまたはＬＥＤ等から構成され、特別図柄とは異なる各々を識別可能な複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。例えば、普図ゲームでは、「○」と「×」とを示す装飾ランプまたはＬＥＤが交互に点灯させることにより、普通図柄が可変表示される。なお、普通図柄表示器２０による普図ゲームは、「○」と「×」とを交互に点灯させるものに限定されず、例えば「左」、「中」、「右」といった複数の装飾ランプまたはＬＥＤを所定順序で点灯させるものや、「０」〜「９」を示す数字及び「−」を示す記号等を可変表示するものであってもよい。
【００２６】
普図保留表示器２５Ｂは、普図ゲームにおける可変表示の保留記憶数（普図保留記憶数）を特定可能に表示（普図保留記憶表示）する。ここで、普図ゲームにおける可変表示の保留記憶は、遊技領域に設けられたゲート４１を遊技球が通過したときに発生する。すなわち、普図ゲームの可変表示を実行するための条件は成立したが、普図ゲームを開始するための条件が成立していないときに、普図ゲームの保留記憶が行われる。普図保留表示器２５Ｂは、例えば普図保留記憶数の上限値（例えば「４」）に対応した個数（例えば４個）のＬＥＤを含んで構成されていればよい。
【００２７】
遊技盤２における遊技領域の中央付近には、画像表示装置５が設けられている。画像表示装置５は、各種の演出画像を表示する表示領域を形成している。画像表示装置５の表示領域では、特図ゲームにおける特別図柄の可変表示に対応して、複数（例えば３つ）に分割された可変表示部となる飾り図柄表示エリアにて、各々を識別可能な複数種類の識別情報である飾り図柄を可変表示する。
【００２８】
一例として、画像表示装置５の表示領域には、「左」、「中」、「右」の飾り図柄表示エリアが配置されている。そして、特図ゲームにおいて特別図柄表示装置４による特別図柄の変動が開始されることに対応して、「左」、「中」、「右」の各飾り図柄表示エリアにて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリアにて、飾り図柄の可変表示結果となる確定飾り図柄（最終停止図柄）が停止表示される。なお、「左」、「中」、「右」の各飾り図柄表示エリアは、画像表示装置５の表示領域内で移動可能とされ、飾り図柄を縮小あるいは拡大して表示することができるようにしてもよい。このように、画像表示装置５の表示領域では、特別図柄表示装置４による特別図柄を用いた特図ゲームと同期して、各々を識別可能な複数種類の飾り図柄の可変表示を行い、可変表示結果となる確定飾り図柄を導出表示する。なお、表示結果を導出表示するとは、飾り図柄等の識別情報を停止表示（完全停止表示や最終停止表示ともいう）して可変表示を終了させることである。
【００２９】
画像表示装置５では、複数の飾り図柄表示エリアが接着して、あるいは、分離して、あるいは、接着及び分離が可能に、設けられてもよい。画像表示装置５における表示動作は、図４に示す演出制御基板１２に搭載されている演出制御用マイクロコンピュータ１２０などにより制御される。演出制御用マイクロコンピュータ１２０では、特別図柄表示装置４で特別図柄の可変表示が実行されているときに、その可変表示に伴って画像表示装置５で演出表示を実行させるので、遊技の進行状況を把握しやすくすることができる。
【００３０】
「左」、「中」、「右」の各飾り図柄表示エリアにて可変表示される飾り図柄は、予め用意された複数種類（例えば８種類）の図柄（英数字「１」〜「８」あるいは漢数字「一」〜「八」、英文字「Ａ」〜「Ｈ」、所定のモチーフに関連する８個のキャラクタ画像、数字や文字あるいは記号とキャラクタ画像との組合せなど。なお、キャラクタ画像は、例えば人物や動物、これら以外の物体、もしくは、文字などの記号、あるいは、その他の任意の図形を示す飾り画像であればよい。）で構成されればよい。また、こうした８種類の飾り図柄の他に、ブランク図柄（大当り組合せを構成しない図柄）が含まれていてもよい。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００３１】
飾り図柄の変動中には、「左」、「中」、「右」の各飾り図柄表示エリアにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。複数の飾り図柄表示エリアのうち少なくともいずれか１つ（例えば「左」の飾り図柄表示エリアなど）においては、図柄番号が大きいものから小さいものへとスクロール表示を行って、図柄番号が最小である飾り図柄が表示されると、続いて図柄番号が最大である飾り図柄が表示されるようにしてもよい。
【００３２】
画像表示装置５の表示領域には、始動入賞記憶表示エリアが配置されてもよい。始動入賞記憶表示エリアは、特図ゲームにおける可変表示の保留記憶数（特図保留記憶数）を特定可能に表示する。一例として、始動入賞記憶表示エリアには、始動入賞の発生に基づき先に始動条件が成立した可変表示ゲームから順に左から右へと、表示色が変更される複数の表示部位が設けられている。そして、始動入賞口に遊技球が進入したことに基づき特図ゲームの始動条件が成立したときには、通常非表示（透過色）となっている表示部位のうちの１つ（例えば非表示となっている表示部位のうち左端の表示部位）を所定色（例えば青色など）に変化させる。その後、特図ゲームの開始条件が成立したときには、例えば左端の表示部位における表示を除去するとともに、各表示部位における表示を１つずつ左方向に移動させる。なお、始動入賞記憶表示エリアでは、特図保留記憶数を示す数字を表示することなどにより、特図保留記憶数を遊技者等が認識できるようにしてもよい。
【００３３】
画像表示装置５は、演出画像を平面画像（２次元画像）として表示するための構成とともに、演出画像を立体画像（３次元画像）として表示するための構成を備えていてもよい。一例として、画像表示装置５の表示領域に対応して、図２に示すように、表示面を構成するディスプレイパネル５Ａと、ディスプレイパネル５Ａから射出された光（放射光）が入射する光線制御部材５Ｂとが配置されてもよい。画像表示装置５は、例えばパララックスバリア方式、レンチキュラ方式、インテグラルフォトグラフィ方式（インテグラルイメージング方式）、ホログラフィ方式といった、２眼式や多眼式、超多眼式、あるいは空間像方式などの任意な立体表示方式により、立体画像を表示することができればよい。
【００３４】
画像表示装置５のディスプレイパネル５Ａは、例えば液晶ディスプレイ（ＬＣＤ）やプラズマディスプレイパネル（ＰＤＰ）などのフラットディスプレイパネル（ＦＤＰ）を用いたものであればよい。画像表示装置５の光線制御部材５Ｂは、例えばレンズアレイシートやピンホールアレイシートなどを用いたものであればよい。光線制御部材５Ｂには、例えばパララックスバリア用のスリット、レンチキュラレンズ（シリンドリカルレンズ）、フライアイレンズ、マイクロレンズ、ピンホール、あるいはその他の回折光学素子などが、アレイ状に配置されていればよい。
【００３５】
画像表示装置５では、例えばディスプレイパネル５Ａから射出される光の偏光方向を調整することや、ディスプレイパネル５Ａにおいて光を射出する画素位置を切り替えること、ディスプレイパネル５Ａに表示する画像の生成処理を異ならせること、あるいは光線制御部材５Ｂにおける光の透過特性を切り替えることなどにより、表示領域の一部または全部において、平面画像（２次元画像）の表示と立体画像（３次元画像）の表示とを切り替えることができるようにしてもよい。また、光線制御部材５Ｂをディスプレイパネル５Ａの前面に進出させたりディスプレイパネル５Ａの前面から退避させたりする可動式の構成とし、立体画像（３次元画像）を表示するときには光線制御部材５Ｂを進出させる一方、平面画像（２次元画像）を表示するときには光線制御部材５Ｂを退避させることにより、画像表示装置５における表示領域の一部または全部において、平面画像（２次元画像）の表示と立体画像（３次元画像）の表示とを切り替えることができるようにしてもよい。
【００３６】
画像表示装置５の下方には、普通可変入賞球装置６が設けられている。普通可変入賞球装置６は、図４に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動入賞口を形成する。一例として、普通可変入賞球装置６では、普通電動役物用のソレノイド８１がオフ状態であるときに可動翼片が垂直状態となることにより、遊技球が始動入賞口に進入しがたい通常開放状態となる。その一方で、普通可変入賞球装置６では、普通電動役物用のソレノイド８１がオン状態であるときに可動翼片が傾動状態となる傾動制御により、遊技球が始動入賞口に進入しやすい拡大開放状態となる。
【００３７】
普通可変入賞球装置６に形成された始動入賞口へと進入した遊技球（始動入賞球）は、例えば図４に示す始動口スイッチ２２によって検出される。始動口スイッチ２２によって遊技球が検出されたことに基づいて、所定個数（例えば４個）の遊技球が賞球として払い出され、特図保留記憶数が所定の上限値（例えば「４」）未満であれば、特図ゲームや飾り図柄の可変表示を実行するための始動条件が成立する。
【００３８】
普通可変入賞球装置６の下方には、特別可変入賞球装置７が設けられている。特別可変入賞球装置７は、図４に示す特別電動役物用となるソレノイド８２によって、大入賞口扉となる開閉板が開閉駆動され、その開閉板によって閉鎖状態と開放状態とに変化する大入賞口を形成する特別電動役物である。一例として、特別可変入賞球装置７では、特別電動役物用のソレノイド８２がオフ状態であるときに開閉板が大入賞口を閉鎖状態にする。その一方で、特別可変入賞球装置７では、特別電動役物用のソレノイド８２がオン状態であるときに開閉板が大入賞口を開放状態にする。
【００３９】
特別可変入賞球装置７が形成する大入賞口に進入した遊技球（大入賞球）は、例えば図４に示すカウントスイッチ２３によって検出される。カウントスイッチ２３によって遊技球が検出されたことに基づいて、所定個数（例えば１５個）の遊技球が賞球として払い出される。
【００４０】
遊技盤２の表面には、上記の構成以外にも、遊技球の流下方向や速度を変化させる風車及び多数の障害釘が設けられている。また、始動入賞口及び大入賞口とは異なる入賞口として、例えば所定の玉受部材によって常に一定の開放状態に保たれる一般入賞口が１つまたは複数設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通可変入賞球装置６、特別可変入賞球装置７等）の周囲または内部などには、装飾用のランプまたはＬＥＤなどが配置されていてもよい。
【００４１】
遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００４２】
遊技機用枠３には、額縁状に形成されたガラス扉枠が開閉可能に設けられている。ガラス扉枠は、遊技盤２の遊技領域をほぼ透視し得る（少なくとも遊技領域を視認可能な）開口部としての円形透視窓が開設され、この円形透視窓の裏面からは、複層（２層）のガラス板などが装着されていればよい。ガラス扉枠の下部表面には、上皿形成部材が設けられている。上皿形成部材は、賞球として払い出された遊技球や所定の球貸機により貸し出された遊技球を、打球発射装置へと供給可能に収納（貯留）する受皿（媒体収納部）となる上皿を形成する。上皿形成部材の下方には、下皿形成部材が設けられている。下皿形成部材は、上皿から溢れた余剰球などを、パチンコ遊技機１の外部へと排出可能に収納（貯留）する下皿を形成する。
【００４３】
上皿形成部材の上面における所定位置には、遊技者が所定操作（例えば押下操作など）を可能な操作ボタン３０が設置されていてもよい。この操作ボタン３０は、押下可能であるとともに、回動可能なジョグダイアルになっていてもよい。なお、操作ボタン３０は、押下操作や回動操作が可能なものに限定されず、例えばタッチパネルのように接触操作や押圧操作が可能なものであってもよい。また、操作ボタン３０に代えて、例えば赤外線センサやＣＣＤセンサ、ＣＭＯＳセンサのように、遊技者による所定の操作行為を検出できるセンサを用いてもよい。すなわち、操作ボタン３０は、遊技者による所定の操作行為を、機械的、電気的、あるいは、電磁的に、検出できるように構成されていればよい。操作ボタン３０に対する遊技者の指示操作は、図４に示す操作検出ユニット３１によって検出される。
【００４４】
こうした操作ボタン３０に代えて、あるいは操作ボタン３０とともに、例えば下皿形成部材において、下皿本体の上面における手前側の所定位置（例えば下皿の中央位置など）に、遊技者が把持して傾倒操作が可能なスティックコントローラが取り付けられてもよい。スティックコントローラは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。スティックコントローラの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。なお、下皿におけるスティックコントローラの取付位置は、下皿の中央部分に限定されず、左右のいずれかに寄せた位置であってもよい。
【００４５】
スティックコントローラと操作ボタン３０の取付位置は、上皿及び下皿の中央部分において上下の位置関係にあればよい。これに対して、上下の位置関係を保ったまま、スティックコントローラ及び操作ボタン３０の取付位置を、上皿及び下皿において左右のいずれかに寄せた位置としてもよい。あるいは、スティックコントローラと操作ボタン３０の取付位置が上下の位置関係にはなく、例えば左右の位置関係にあるものとしてもよい。
【００４６】
遊技盤２の所定位置（図１に示す例では、画像表示装置５の上部）には、パチンコ遊技機１の前方（前面側）における所定範囲（撮影範囲）を撮影するカメラ３３が設けられている。カメラ３３は、例えばＣＣＤ（Charge Coupled Device）イメージセンサやＣＭＯＳ（Complementary Metal Oxide Semiconductor）イメージセンサといった固体撮像素子を用いて構成され、撮影対象物（単に「対象物」ともいう）からの入射光を電気信号に変換することなどにより、撮影画像データを生成する。なお、カメラ３３は、撮影対象物にて反射した自然光が入射されるパッシブセンサ方式を用いたものであってもよいし、所定の発光部材（発信器）から出力される赤外線や紫外線あるいは可視光などを撮影対象物に照射し、その反射光が入射されるアクティブセンサ方式を用いたものであってもよい。また、カメラ３３は、例えばエックス線を照射する場合のように、撮影対象物の一部または全部を透過したものが入射されるものであってもよい。カメラ３３は、単一の撮影装置として構成されたものであってもよいし、例えばパチンコ遊技機１の表面（前面）あるいは周辺における所定位置に配置された複数の撮影装置として構成されたものであってもよい。カメラ３３に代えて、あるいは、カメラ３３とともに、例えばＵＷＢ（Ultra-WideBand）パルスレーダといった、電磁波の送受信により対象物の表面形状等を観測できる装置を用いてもよい。さらに、赤外線や紫外線あるいは可視光などの電磁波を入射信号として検出するカメラ３３に代えて、あるいは、こうしたカメラ３３とともに、例えば超音波センサといった電磁波以外を入射信号として検出できる装置を用いてもよい。
【００４７】
遊技機用枠３のガラス扉枠には、例えば円形透視窓の周囲における所定位置などに、超音波出力装置３２Ｌ、３２Ｃ、３２Ｒが設けられている。超音波出力装置３２Ｌ、３２Ｃ、３２Ｒはそれぞれ、例えば図３に示すように、複数の超音波振動子３２Ａを所定平面上に連続して並べた振動子アレイと、超音波振動子駆動回路３２Ｂとを含んで構成されていればよい。複数の超音波振動子３２Ａはそれぞれ、圧電セラミックス材料（例えばＰＺＴ素子）などを用いて構成された電気超音波変換素子であればよい。複数の超音波振動子３２Ａは、例えば図３に示すような格子状に配置されてもよいし、例えば同心八角形状などに配置されてもよい。
【００４８】
超音波振動子駆動回路３２Ｂは、超音波出力制御回路３１から伝送された超音波出力制御信号に基づいて、複数の超音波振動子３２Ａのそれぞれに伝送する電気信号を生成する。このとき、複数の超音波振動子３２Ａにそれぞれ供給される電気信号の周波数や振幅を変化させることなどにより、遊技者の皮膚に与える触感の性質（例えば「ツルツル」、「ザラザラ」、「チクチク」、「ブルブル」、「ドスンドスン」、「ガタガタ」、「トコトコ」、「フワフワ」など）を異ならせることができればよい。超音波出力制御回路３１は、演出制御基板１２から伝送された超音波出力指令信号に基づいて、超音波出力制御信号を生成すればよい。このように、超音波出力装置３２Ｌ、３２Ｃ、３２Ｒからは、遊技者に所定の触感を与えるための超音波信号が出力される。
【００４９】
また、超音波振動子駆動回路３２Ｂは、複数の超音波振動子３２Ａにそれぞれ供給される電気信号の位相を調整することなどにより、複数の超音波振動子３２Ａから出力される超音波信号の焦点位置を変更可能に制御できればよい。複数の超音波振動子３２Ａから出力される超音波信号は、互いに位相が一致する焦点位置で、遊技者の皮膚などに最も強い衝撃を与えることができる。なお、超音波出力装置３２Ｌ、３２Ｃ、３２Ｒはそれぞれ、超音波信号を集束させるための音響レンズを備えていてもよい。この場合、超音波振動子駆動回路３２Ｂは、音響レンズの位置や方向を調整することにより、超音波信号の焦点位置を変更可能に制御できるようにしてもよい。超音波信号の焦点位置は、パチンコ遊技機１から離間した所定の照射領域内において、超音波信号を照射する目標位置としての照射位置と合致するように制御される。超音波出力装置３２Ｌ、３２Ｃ、３２Ｒから出力（放射）された超音波信号は空間中を伝搬して遊技者の皮膚表面などに到達することから、超音波信号の照射位置は、パチンコ遊技機１から離間した空間内に設定することができる。
【００５０】
なお、遊技機用枠３のガラス扉枠における所定位置に超音波出力装置３２Ｌ、３２Ｃ、３２Ｒを設ける構成に代えて、あるいはこのような構成とともに、例えば上皿形成部材と下皿形成部材との間の所定位置に超音波出力装置を配置してもよい。ここに配置された超音波出力装置からは、例えば下皿が収納する遊技球に触れようとする遊技者の手や、下皿形成部材に設けられたスティックコントローラを把持する遊技者の手、あるいは上皿形成部材と下皿形成部材の間に形成された所定の空間内に差し入れられた遊技者の手などに向けて、所定の触感を与えるための超音波信号が出力されればよい。
【００５１】
次に、パチンコ遊技機１における遊技の進行を概略的に説明する。
【００５２】
パチンコ遊技機１では、遊技領域に設けられた通過ゲート４１を通過した遊技球が図４に示すゲートスイッチ２１によって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、普図変動時間となる所定時間が経過すると、普通図柄の可変表示結果となる確定普通図柄を停止表示（導出表示）する。このとき、確定普通図柄として、例えば「○」を示す装飾ランプまたはＬＥＤが点灯することなどにより、特定の普通図柄（普図当り図柄）が停止表示されれば、普通図柄の可変表示結果が「普図当り」となる。その一方、確定普通図柄として、例えば「×」を示す装飾ランプまたはＬＥＤが点灯することなどにより、普図当り図柄以外の普通図柄が停止表示されれば、普通図柄の可変表示結果が「普図ハズレ」となる。普通図柄の可変表示結果が「普図当り」となったことに対応して、普通可変入賞球装置６を構成する電動チューリップの可動翼片が傾動位置となる拡大開放制御（傾動制御）が行われ、所定時間が経過すると垂直位置に戻る通常開放制御が行われる。
【００５３】
普通入賞球装置６に形成された始動入賞口を通過（進入）した遊技球が図４に示す始動口スイッチ２２によって検出されたことなどにより始動条件が成立した後に、例えば前回の特図ゲームや大当り遊技状態または小当り遊技状態が終了したことなどにより開始条件が成立したことに基づいて、特別図柄表示装置４による特図ゲームが開始される。そして、特別図柄の可変表示を開始させた後、特図変動時間となる所定時間が経過すると、特別図柄の可変表示結果となる確定特別図柄（特図表示結果）を導出表示する。すなわち、特図変動時間は、特図ゲームにおいて特別図柄の可変表示が開始されてから可変表示結果となる確定特別図柄が導出表示されるまでの所要時間（可変表示時間）である。そして、確定特別図柄として特定の特別図柄（大当り図柄）が停止表示されれば、特定表示結果としての「大当り」となり、大当り図柄とは異なる小当り図柄が停止表示されれば「小当り」となり、大当り図柄及び小当り図柄以外の特別図柄が停止表示されれば「ハズレ」となる。特図ゲームでの可変表示結果が「大当り」になった後には、遊技者にとって有利なラウンド遊技（単に「ラウンド」ともいう）を所定回数実行する特定遊技状態としての大当り遊技状態に制御される。この実施の形態におけるパチンコ遊技機１では、一例として、「１１」、「３３」、「７７」を示す数字を大当り図柄とし、「２２」を示す数字を小当り図柄とし、「−−」を示す記号をハズレ図柄としている。
【００５４】
この実施の形態では、大当り図柄となる「１１」、「３３」、「７７」を示す数字のうち、「３３」及び「７７」の数字を示す特別図柄を１５ラウンド大当り図柄とし、「１１」の数字を示す特別図柄を２ラウンド大当り図柄とする。特図ゲームにおける確定特別図柄として１５ラウンド大当り図柄が停止表示された後に制御される多ラウンド遊技状態としての大当り遊技状態（１５ラウンド大当り状態）では、特別可変入賞球装置７の開閉板が、第１期間となる所定期間（例えば２９秒間）あるいは所定個数（例えば９個）の入賞球が発生するまでの期間にて大入賞口を開放状態とすることにより、特別可変入賞球装置７を遊技者にとって有利な第１状態に変化させるラウンド遊技が実行される。こうしてラウンド遊技の実行中に大入賞口を開放状態とした開閉板は、遊技盤２の表面を落下する遊技球を受け止め、その後に大入賞口を閉鎖状態とすることにより、特別可変入賞球装置７を遊技者にとって不利な第２状態に変化させて、１回のラウンド遊技を終了させる。１５ラウンド大当り状態では、大入賞口の開放サイクルであるラウンド遊技の実行回数が、第１ラウンド数（例えば「１５」）となる。ラウンド遊技の実行回数が「１５」となる１５ラウンド大当り状態における遊技は、１５回開放遊技とも称される。このような１５ラウンド大当り状態では、大入賞口に遊技球が入賞するたびに１５個の賞球払出が得られる。
【００５５】
特図ゲームにおける確定特別図柄として２ラウンド大当り図柄が停止表示された後に制御される少ラウンド特定遊技状態としての大当り遊技状態（２ラウンド大当り状態）では、各ラウンド遊技で特別可変入賞球装置７を遊技者にとって有利な第１状態に変化させる期間（開閉板により大入賞口を開放状態とする期間）が、１５ラウンド大当り状態における第１期間よりも短い第２期間（例えば０．５秒間）となる。また、２ラウンド大当り状態では、ラウンド遊技の実行回数が、１５ラウンド大当り状態における第１ラウンド数よりも少ない第２ラウンド数（例えば「２」）となる。なお、２ラウンド大当り状態では、ラウンド遊技の実行回数が第２ラウンド数となるように制御されればよく、それ以外の制御は１５ラウンド大当り状態と同様に行われるようにしてもよい。ラウンド遊技の実行回数が「２」となる２ラウンド大当り状態における遊技は、２回開放遊技とも称される。２ラウンド大当り状態では、各ラウンド遊技で特別可変入賞球装置７とは別個に設けられた所定の入賞球装置において、大入賞口となる所定の入賞口を閉鎖状態から開放状態とすることなどにより、遊技者にとって不利な第２状態から遊技者にとって有利な第１状態に変化させ、所定期間（第１期間または第２期間）が経過した後に第２状態へと戻すようにしてもよい。
【００５６】
このような２ラウンド大当り状態では、大入賞口に遊技球が入賞すれば１５個の出玉が得られるが、大入賞口の開放期間が第２期間（０．５秒間）であって、非常に短い。そのため、２ラウンド大当り状態は実質的には賞球払出が得られない大当り遊技状態である。また、少ラウンド特定遊技状態としての大当り遊技状態は、多ラウンド特定遊技状態としての大当り遊技状態に比べて、ラウンド遊技の実行回数が少ないものに限定されず、例えばラウンド遊技の実行回数は少ラウンド特定遊技状態と多ラウンド特定遊技状態とで同一である一方で、少ラウンド特定遊技状態では大入賞口を開放状態とする上限期間（例えば２秒間）が多ラウンド特定遊技状態での上限期間（例えば２９秒間）に比べて短くなるものであってもよい。すなわち、少ラウンド特定遊技状態としての大当り遊技状態は、各ラウンド遊技で大入賞口を開放状態に変化させる期間が多ラウンド特定遊技状態における第１期間よりも短い第２期間となることと、ラウンド遊技の実行回数が多ラウンド特定遊技状態における第１ラウンド数よりも少ない第２ラウンド数となることのうち、少なくともいずれか一方となるものであればよい。
【００５７】
また、１５ラウンド大当り図柄となる「３３」、「７７」の数字を示す特別図柄のうち、「３３」の数字を示す特別図柄が特図ゲームにおける確定特別図柄として停止表示されたことに基づき１５ラウンド大当り状態が終了した後には、特別遊技状態の１つとして、通常状態に比べて特図ゲームにおける特別図柄の可変表示時間（特図変動時間）が短縮される時間短縮制御が行われる時短状態に制御される。ここで、通常状態とは、大当り遊技状態等の特定遊技状態や確変状態及び時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば１００回）の特図ゲームが実行されることと、可変表示結果が「大当り」となることのうち、いずれかの条件が先に成立したときに、終了すればよい。こうした「３３」の数字を示す特別図柄のように、特図ゲームにおける確定特別図柄として停止表示されたことに基づく大当り遊技状態が終了した後に時短状態に制御される１５ラウンド大当り図柄は、非確変大当り図柄（「通常大当り図柄」ともいう）と称される。また、１５ラウンド大当り図柄のうち非確変大当り図柄が停止表示されて可変表示結果が「大当り」となることは、「１５Ｒ非確変大当り」（「１５Ｒ通常大当り」ともいう）と称される。
【００５８】
１５ラウンド大当り図柄となる「３３」、「７７」の数字を示す特別図柄のうち、「７７」の数字を示す特別図柄が特図ゲームにおける確定特別図柄として停止表示されたことに基づき１５ラウンド大当り状態が終了した後や、２ラウンド大当り図柄となる「１１」の数字を示す特別図柄が特図ゲームにおける確定特別図柄として停止表示されたことに基づき２ラウンド大当り状態が終了した後には、時短状態とは異なる特別遊技状態の１つとして、例えば通常状態に比べて特図変動時間が短縮される時間短縮制御とともに、継続して確率変動制御（確変制御）が行われる確変状態（高確率状態）に制御される。この確変状態では、各特図ゲームや飾り図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続する。こうした「７７」の数字を示す特別図柄のように、特図ゲームにおける確定特別図柄として停止表示されたことに基づく大当り遊技状態が終了した後に確変状態に制御される１５ラウンド大当り図柄は、確変大当り図柄と称される。「１１」の数字を示す特別図柄のように、特図ゲームにおける確定特別図柄として停止表示されたことに基づく大当り遊技状態が終了した後に確変状態に制御される２ラウンド大当り図柄は、突確大当り図柄と称される。また、１５ラウンド大当り図柄のうち確変大当り図柄が停止表示されて可変表示結果が「大当り」となることは、「１５Ｒ確変大当り」と称される。突確大当り図柄が停止表示されて可変表示結果が「大当り」となることは、「突確大当り」（「２Ｒ確変大当り」ともいう）と称される。
【００５９】
なお、１５ラウンド大当り図柄「３３」及び「７７」や、２ラウンド大当り図柄「１１」は一例であり、各大当り図柄はこれらに限定されない。例えば、遊技者に大当り図柄であることや、大当り種別を認識されないようにするために、大当り図柄を数字とせずに予め定められた記号（例えば「コ」など）にしてもよい。また、２ラウンド大当り図柄となる「１１」の数字を示す特別図柄が特図ゲームにおける確定特別図柄として停止表示されたことに基づき２ラウンド大当り状態が終了した後には、確変状態に制御するための設定を行う一方で、時短状態に制御するための設定としては、２ラウンド大当り状態となる以前の状態に継続して制御されるように設定してもよい。このような設定により、「突確大当り」となった場合と後述のように可変表示結果が「小当り」となった場合との区別が困難になり、小当り遊技状態の終了後でも確変状態となったことへの期待感を遊技者に抱かせることができる。
【００６０】
小当り図柄となる「２２」の数字を示す特別図柄が特図ゲームにおける確定特別図柄として停止表示された後には、小当り遊技状態に制御される。この小当り遊技状態では、２ラウンド大当り状態と同様に特別可変入賞球装置７を遊技者にとって有利な第１状態に変化させる可変入賞動作が行われる。すなわち、小当り遊技状態では、例えば特別可変入賞球装置７を第２期間にわたり第１状態（開放状態）とする動作が、第２回数（第２ラウンド数に等しい実行回数）に達するまで繰り返し実行される。なお、小当り遊技状態では、２ラウンド大当り状態と同様に、特別可変入賞球装置７を第１状態とする期間が第２期間となることと、第１状態とする動作の実行回数が第２回数となることのうち、少なくともいずれか一方が行われるように制御されればよい。小当り遊技状態が終了した後には、遊技状態の変更が行われず、可変表示結果が「小当り」となる以前の遊技状態に継続して制御されることになる。ただし、可変表示結果が「小当り」となる特図ゲームが実行されたときに、特別遊技状態における特図ゲームの実行回数が所定回数に達していれば、小当り遊技状態の終了後には、特別遊技状態が終了して通常状態となることがある。可変入賞動作により特別可変入賞球装置７を第１状態とする回数が「２」である小当り遊技状態における遊技は、２ラウンド大当り状態における遊技と同様に、２回開放遊技とも称される。なお、２ラウンド大当り状態における各ラウンド遊技で特別可変入賞球装置７とは別個に設けられた入賞球装置を第１状態に変化させる場合には、小当り遊技状態でも、２ラウンド大当り状態と同様の態様で、その入賞球装置を第１状態に変化させるようにすればよい。
【００６１】
確変状態や時短状態では、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６における可動翼片の傾動制御を行う傾動制御時間を通常状態のときよりも長くする制御、その傾動回数を通常状態のときよりも増加させる制御といった、始動入賞口に遊技球が進入しやすくして特図ゲームの始動条件が成立する可能性を高めることで遊技者にとって有利となる制御が行われる。なお、確変状態や時短状態では、これらの制御のいずれか１つが行われるようにしてもよいし、複数の制御が組み合わせられて行われるようにしてもよい。このように、確変状態や時短状態において始動入賞口に遊技球が進入しやすくして遊技者にとって有利となる制御は、高開放制御ともいう。高開放制御が行われることにより、始動入賞口は、高開放制御が行われていないときよりも拡大開放状態となる頻度が高められる。これにより、特別図柄表示装置４による特図ゲームを実行するための始動条件が成立しやすくなり、特図ゲームが頻繁に実行可能となることで、次に可変表示結果が「大当り」となるまでの時間が短縮される。したがって、確変状態や時短状態では、通常状態に比べて大当り遊技状態となりやすくなる。高開放制御が実行可能となる期間は、高開放制御期間ともいい、この期間は、パチンコ遊技機１における遊技状態が確変状態と時短状態のいずれかに制御されている期間と同一であればよい。
【００６２】
画像表示装置５に設けられた「左」、「中」、「右」の飾り図柄表示エリアでは、特別図柄表示装置４による特図ゲームが開始されることに対応して、飾り図柄の可変表示が開始される。そして、飾り図柄の可変表示が開始されてから「左」、「中」、「右」の各飾り図柄表示エリアにおける確定飾り図柄の停止表示により可変表示が終了するまでの期間では、飾り図柄の可変表示状態が所定のリーチ状態となることがある。ここで、リーチ状態とは、画像表示装置５の表示領域にて停止表示された飾り図柄が大当り組合せの一部を構成しているときに未だ停止表示されていない飾り図柄（「リーチ変動図柄」ともいう）については変動が継続している表示状態、あるいは、全部または一部の飾り図柄が大当り組合せの全部または一部を構成しながら同期して変動している表示状態のことである。具体的には、「左」、「中」、「右」の飾り図柄表示エリアにおける一部（例えば「左」及び「右」の飾り図柄表示エリアなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリアなど）では飾り図柄が変動している表示状態、あるいは、「左」、「中」、「右」の飾り図柄表示エリアにおける全部または一部で飾り図柄が大当り組合せの全部または一部を構成しながら同期して変動している表示状態である。
【００６３】
また、リーチ状態となったことに対応して、飾り図柄の変動速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ状態となる以前とは異なる演出動作が実行される場合がある。このようなキャラクタ画像の表示や背景画像の表示態様の変化、動画像の再生表示、飾り図柄の変動態様の変化といった演出動作を、リーチ演出表示（あるいは単に「リーチ演出」ともいう）と称する。なお、リーチ演出には、画像表示装置５における表示動作のみならず、スピーカ８Ｌ、８Ｒによる音声出力動作や、遊技効果ランプ９などの電飾部材における点灯動作（点滅動作）、超音波出力装置３２Ｌ、３２Ｃ、３２Ｒによる超音波信号の出力動作（放射動作）などを、リーチ状態となる以前の動作態様とは異なる動作態様とすることが、含まれていてもよい。リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、可変表示結果が「大当り」となる可能性を異ならせることができる。一例として、この実施の形態では、ノーマルリーチ、スーパーリーチＡ〜スーパーリーチＤといったリーチ態様が予め設定されている。そして、スーパーリーチＡ〜スーパーリーチＤといったスーパーリーチのリーチ態様が出現した場合には、ノーマルリーチのリーチ態様が出現した場合に比べて、可変表示結果が「大当り」となる可能性（大当り信頼度）が高くなる。
【００６４】
飾り図柄の可変表示中には、リーチ演出とは異なり、例えば所定のキャラクタ画像やメッセージ画像といった演出画像を表示することなどのように、飾り図柄の可変表示動作とは異なる演出動作により、飾り図柄の可変表示状態がリーチ状態となる可能性があることや、可変表示結果が「大当り」となる可能性があることを、遊技者に報知するための予告演出が実行されることがある。予告演出となる演出動作は、「左」、「中」、「右」の飾り図柄表示エリアの全部にて飾り図柄の可変表示が開始されてから、飾り図柄の可変表示状態がリーチ状態となるより前（「左」及び「右」の飾り図柄表示エリアにて飾り図柄が停止表示されるより前）に実行（開始）されるものであればよい。また、可変表示結果が「大当り」となる可能性があることを報知する予告演出には、飾り図柄の可変表示状態がリーチ状態となった後に実行されるものが含まれていてもよい。具体的な一例として、「キャラクタ予告」や「操作時予告」といった、複数種類の予告演出が実行可能に設定されていればよい。予告演出となる演出動作は、それが実行されるか否かによっては特別図柄の可変表示時間（特図変動時間）に変化が生じないものであればよい。
【００６５】
「キャラクタ予告」の予告演出では、飾り図柄の可変表示中に、例えば画像表示装置５の表示領域にて、所定位置に予め用意されたキャラクタ画像を表示させる演出表示が行われる。ここで、キャラクタ画像の表示としては、飾り図柄とは別個のキャラクタ画像を静止表示あるいは動作表示（アニメーション表示）させるものであってもよいし、飾り図柄と一体的に可変表示されるキャラクタ画像を、飾り図柄の可変表示とは異なる表示形態で動作表示（アニメーション表示）させるものであってもよい。
【００６６】
「操作時予告」の予告演出では、飾り図柄の可変表示中に、遊技者による操作行為となる所定動作が検出されたことに応じて、例えば画像表示装置５の表示領域における演出画像の表示を変更することや、スピーカ８Ｌ、８Ｒから出力させる音声などを変更することにより、演出動作を変化させる。一例として、「操作時予告」の予告演出では、飾り図柄の可変表示中に、操作促進演出となる所定の演出動作が行われる。操作促進演出は、例えば画像表示装置５の表示領域における所定位置に、予め用意されたキャラクタ画像やメッセージ画像といった演出画像を表示させることなどにより、遊技者による所定動作を促す演出であればよい。遊技者による所定動作を促す演出動作としては、画像表示装置５に演出画像を表示させるものに限定されず、スピーカ８Ｌ、８Ｒから所定の音声を出力させるもの、遊技効果ランプ９や装飾用ＬＥＤを所定の点灯パターンで点灯あるいは点滅させるもの、遊技領域の内部または外部に設けられた演出用役物が備える可動部材を所定の動作態様で動作させるもの、あるいは、これらのいずれかを組み合わせたものであってもよい。こうした操作促進演出が行われるときには、遊技者による操作ボタン３０の操作を有効に検出する操作有効期間、あるいは、カメラ３３による撮影動作を有効化する撮影有効期間となる。操作有効期間とするか撮影有効期間とするかは、予告演出における演出動作内容を示す予告演出パターンなどによって規定されればよい。そして、操作有効期間内に遊技者による操作ボタン３０の操作が検出されたときや、撮影有効期間内に遊技者による所定動作がカメラ３３による撮影結果から検知されたときには、操作促進演出の実行を停止するとともに、例えば予め用意された複数種類の演出画像のうちいずれかの演出画像を画像表示装置５に表示させることや、予め用意された複数種類の音声パターンのうちいずれかの音声パターンに対応する効果音をスピーカ８Ｌ、８Ｒから出力させること、予め用意された複数種類の超音波出力パターンのうちいずれかの超音波出力パターンに対応して遊技者に所定の触感を与えるための超音波信号を超音波出力装置３２Ｌ、３２Ｃ、３２Ｒから出力させることといった、各種の演出動作が実行される。
【００６７】
こうした飾り図柄の可変表示動作とは異なる演出動作による予告演出としては、「キャラクタ予告」や「操作時予告」の他にも、例えば「ステップアップ動作」といった、各種の演出動作が実行されてもよい。ここで、「ステップアップ動作」の予告演出では、一例として、飾り図柄の可変表示中に画像表示装置５の表示領域にて、予め用意された複数種類の演出画像を所定の順番に従って切り替えて表示させる演出表示により、演出態様が複数段階に変化（ステップアップ）するような演出動作が行われることがある。なお、「ステップアップ動作」の予告演出では、予め用意された複数種類の演出画像のうちいずれか１つ（例えば所定の順番において最初に表示される演出画像など）が表示された後、演出画像が切り替えられることなく、予告演出における演出表示を終了させることがあるようにしてもよい。また、「ステップアップ動作」の予告演出となる他の一例として、飾り図柄の可変表示中に遊技領域の内部または外部に設けられた演出用役物が備える可動部材を所定の順番に従って複数種類の動作態様で動作させる演出動作により、演出態様が複数段階に変化（ステップアップ）するような演出動作が行われることがある。なお、「ステップアップ動作」の予告演出では、可動部材が１種類の動作態様で演出動作を行った後、２段階目の演出動作に切り替えられることなく、予告演出における演出動作を終了させることがあるようにしてもよい。このように、「ステップアップ動作」の予告演出は、１回の始動入賞（始動入賞口に１個の遊技球が進入したこと）に対応して実行される特別図柄や飾り図柄の可変表示中に実行される予告演出の一種であり、特に予告の態様（表示、音、ランプ、可動物等）が複数段階に変化（ステップアップ）するステップアップ予告演出である。一般的には変化する回数（ステップ数）が多い程信頼度（可変表示結果が「大当り」となる可能性など）が高くなる。また、ステップアップ予告演出におけるステップ数、あるいは、各ステップにおける演出態様に応じて、「１５Ｒ確変大当り」や「２Ｒ確変大当り」となること、特定のリーチ演出が実行されること、「１５Ｒ非確変大当り」から「１５Ｒ確変大当り」へと昇格することのうち、少なくともいずれか１つを予告するものであってもよい。さらに変化する回数（ステップ数）によって予告する対象も変化するものでもよい。例えば第２ステップまで行くと「リーチ確定」、第３ステップまで行くと「スーパーリーチ確定」、第４ステップまで行くと「大当り確定」となるようなものでもよい。予告の態様の変化（ステップアップ）としては、異なるキャラクタ画像が順番に表示されるものであってもよいし、１つのキャラクタにおける形状や色等が変化することでステップアップするようなものであってもよい。すなわち、遊技者からみて予告する手段（表示、音、ランプ、可動物、超音波等）の状態が段階的に変化したと認識可能なものであればよい。
【００６８】
特図ゲームにおける確定特別図柄として、ハズレ図柄となる特別図柄が停止表示される場合には、飾り図柄の可変表示が開始されてから、飾り図柄の可変表示状態がリーチ状態とならずに、所定の非リーチ組合せとなる確定飾り図柄が停止表示されることがある。このような飾り図柄の可変表示態様は、可変表示結果が「ハズレ」となる場合における「非リーチ」（「リーチ無しハズレ」ともいう）の可変表示態様と称される。
【００６９】
特図ゲームにおける確定特別図柄として、ハズレ図柄となる特別図柄が停止表示される場合には、飾り図柄の可変表示が開始されてから、飾り図柄の可変表示状態がリーチ状態となったことに対応して、リーチ演出が実行された後に、あるいは、リーチ演出が実行されずに、所定のリーチ組合せ（リーチハズレ組合せともいう）となる確定飾り図柄が停止表示されることがある。このような飾り図柄の可変表示結果は、可変表示結果が「ハズレ」となる場合における「リーチ」（「リーチハズレ」ともいう）の可変表示態様と称される。なお、非リーチ組合せとなる確定飾り図柄と、リーチ組合せとなる確定飾り図柄は、まとめてハズレ組合せ（非特定の組合せ）の確定飾り図柄ともいう。
【００７０】
特図ゲームにおける確定特別図柄として、１５ラウンド大当り図柄となる特別図柄のうち非確変大当り図柄である「３３」の数字を示す特別図柄が停止表示される場合には、飾り図柄の可変表示状態がリーチ状態となったことに対応して、所定のリーチ演出が実行された後などに、所定の非確変大当り組合せ（「通常大当り組合せ」ともいう）となる確定飾り図柄が停止表示される。ここで、非確変大当り組合せとなる確定飾り図柄は、例えば画像表示装置５における「左」、「中」、「右」の飾り図柄表示エリアにて可変表示される図柄番号が「１」〜「８」の飾り図柄のうち、図柄番号が偶数「２」、「４」、「６」、「８」である飾り図柄のいずれか１つが、「左」、「中」、「右」の飾り図柄表示エリアにて所定の有効ライン上に揃って停止表示されるものであればよい。このように非確変大当り組合せを構成する図柄番号が偶数「２」、「４」、「６」、「８」である飾り図柄は、非確変図柄（「通常図柄」ともいう）と称される。そして、特図ゲームにおける確定特別図柄が非確変大当り図柄となることに対応して、所定のリーチ演出が実行された後などに、非確変大当り組合せの確定飾り図柄が停止表示される飾り図柄の可変表示態様は、可変表示結果が「大当り」となる場合における「非確変」（「通常大当り」ともいう）の可変表示態様（大当り種別ともいう）と称される。こうして「非確変」の可変表示態様により可変表示結果が「大当り」となった後には、１５ラウンド大当り遊技状態に制御され、その１５ラウンド大当り状態が終了すると、時短状態または通常状態に制御されることになる。
【００７１】
特図ゲームにおける確定特別図柄として、１５ラウンド大当り図柄となる特別図柄のうち確変大当り図柄である「７７」の数字を示す特別図柄が停止表示される場合には、飾り図柄の可変表示状態がリーチ状態となったことに対応して、大当り種別が「非確変」である場合と同様のリーチ演出が実行された後などに、もしくは、大当り種別が「非確変」である場合とは異なるリーチ演出が実行された後などに、所定の確変大当り組合せとなる確定飾り図柄が停止表示されることがある。ここで、確変大当り組合せとなる確定飾り図柄は、例えば画像表示装置５における「左」、「中」、「右」の飾り図柄表示エリアにて可変表示される図柄番号が「１」〜「８」の飾り図柄のうち、図柄番号が奇数「１」、「３」、「５」、「７」である飾り図柄のいずれか１つが、「左」、「中」、「右」の飾り図柄表示エリアにて所定の有効ライン上に揃って停止表示されるものであればよい。このように確変大当り組合せを構成する図柄番号が奇数「１」、「３」、「５」、「７」である飾り図柄は、確変図柄と称される。そして、特図ゲームにおける確定特別図柄が確変大当り図柄となることに対応して、リーチ演出が実行された後などに、確変大当り組合せの確定飾り図柄が停止表示される飾り図柄の可変表示態様は、可変表示結果が「大当り」となる場合における「確変」の可変表示態様（大当り種別ともいう）と称される。
【００７２】
特図ゲームにおける確定特別図柄として確変大当り図柄が停止表示される場合に、飾り図柄の可変表示結果として、非確変大当り組合せとなる確定飾り図柄が停止表示されることがあるようにしてもよい。このように、非確変大当り組合せとなる確定飾り図柄が停止表示される場合でも、特図ゲームにおける確定特別図柄として確変大当り図柄が停止表示されるときは、「確変」の可変表示態様に含まれる。こうして「確変」の可変表示態様により可変表示結果が「大当り」となった後には、１５ラウンド大当り状態に制御され、その１５ラウンド大当り状態が終了すると、確変状態に制御されることになる。非確変大当り組合せとなる確定飾り図柄や確変大当り組合せとなる確定飾り図柄は、まとめて大当り組合せ（特定の組合せ）の確定飾り図柄ともいう。
【００７３】
確定飾り図柄が非確変大当り組合せや確変大当り組合せとなる飾り図柄の可変表示中には、再抽選演出が実行されてもよい。再抽選演出では、画像表示装置５における「左」、「中」、「右」の飾り図柄表示エリアに非確変大当り組合せとなる飾り図柄を仮停止表示させた後に、例えば「左」、「中」、「右」の各飾り図柄表示エリアにて同一の飾り図柄が揃った状態で再び変動させ、確変大当り組合せとなる飾り図柄（確変図柄）と、非確変大当り組合せとなる飾り図柄（非確変図柄）のうちいずれかを、確定飾り図柄として停止表示（最終停止表示）させる。ここで、大当り種別が「非確変」である場合に再抽選演出が実行されるときには、その再抽選演出として、仮停止表示させた飾り図柄を再変動させた後に非確変大当り組合せとなる確定飾り図柄を導出表示する変動中昇格失敗演出が行われる。これに対して、大当り種別が「確変」である場合に再抽選演出が実行されるときには、その再抽選演出として、仮停止表示させた飾り図柄を再変動させた後に確変大当り組合せとなる確定飾り図柄を停止表示する変動中昇格成功演出が実行されることもあれば、変動中昇格失敗演出が実行されることもある。
【００７４】
非確変大当り組合せとなる確定飾り図柄が導出表示された後には、大当り遊技状態の開始時や大当り遊技状態におけるラウンド遊技の実行中、大当り遊技状態においていずれかのラウンド遊技が終了してから次のラウンド遊技が開始されるまでの期間、大当り遊技状態において最終のラウンド遊技が終了してから次の可変表示ゲームが開始されるまでの期間などにて、確変状態に制御するか否かの報知演出となる大当り中昇格演出が実行されてもよい。なお、大当り中昇格演出と同様の報知演出が、大当り遊技状態の終了後における最初の可変表示ゲーム中などにて実行されてもよい。大当り遊技状態において最終のラウンドが終了してから実行される大当り中昇格演出を、特に「エンディング昇格演出」ということもある。
【００７５】
大当り中昇格演出には、確定飾り図柄が非確変大当り組合せであるにもかかわらず遊技状態が確変状態となる昇格がある旨を報知する大当り中昇格成功演出と、確変状態となる昇格がない旨を報知する大当り中昇格失敗演出とがある。例えば、大当り中昇格演出では、画像表示装置５の表示領域にて飾り図柄を可変表示させて非確変図柄と確変図柄のいずれかを演出表示結果として停止表示させること、あるいは、飾り図柄の可変表示とは異なる演出画像の表示を行うことなどにより、確変状態となる昇格の有無を、遊技者が認識できるように報知すればよい。
【００７６】
特図ゲームにおける確定特別図柄として、２ラウンド大当り図柄となる「１１」の数字を示す特別図柄が停止表示される場合や、小当り図柄となる「２２」の数字を示す特別図柄が停止表示される場合には、飾り図柄の可変表示状態がリーチ状態とならずに、２回開放チャンス目として予め定められた複数種類の確定飾り図柄の組合せのいずれかが停止表示されることがある。また、特図ゲームにおける確定特別図柄として、２ラウンド大当り図柄となる「１１」の数字を示す特別図柄が停止表示される場合や、小当り図柄となる「２２」の数字を示す特別図柄が停止表示される場合には、飾り図柄の可変表示状態がリーチ状態となったことに対応して、所定のリーチ演出が実行された後などに、所定のリーチ組合せとなる確定飾り図柄が停止表示されることもある。特図ゲームにおける確定特別図柄が２ラウンド大当り図柄である「１１」の数字を示す特別図柄となることに対応して、各種の確定飾り図柄が停止表示される飾り図柄の可変表示態様は、可変表示結果が「大当り」となる場合における「突確」（「突確大当り」あるいは「突然確変大当り」ともいう）の可変表示態様（大当り種別ともいう）と称される。こうして「突確」の可変表示態様により可変表示結果が「大当り」となった後には、２ラウンド大当り状態に制御され、その２ラウンド大当り状態が終了すると、確変状態に制御されることになる。
【００７７】
可変表示結果が「大当り」で大当り種別が「突確」となる場合には、飾り図柄の可変表示中に突確モード開始演出が実行されてもよい。突確モード開始演出では、大当り種別が「突確」となることに対応して予め定められた演出動作が行われる。突確モード開始演出が行われた後には、突確モードと称される通常の演出モードとは異なる演出モードが開始されてもよい。また、突確モード開始演出は、特別図柄や飾り図柄の可変表示中に実行される演出動作に限定されず、２ラウンド大当り状態となる期間の一部または全部においても、可変表示中から継続して実行される演出動作であってもよい。突確モード開始演出が開始されるときには、可変表示中の飾り図柄を消去して、突確モード開始演出が実行された後には、確定飾り図柄が導出表示されないようにしてもよい。突確モードでは、例えば可変表示結果が「大当り」となって確変状態が終了するまで、突確モード中演出が行われる。突確モード中演出では、画像表示装置５の表示領域における背景画像の表示態様を通常の演出モードにおける表示態様とは異なるものとすること、飾り図柄の可変表示に伴ってスピーカ８Ｌ、８Ｒから出力される音声を通常の演出モードにおける音声とは異なるものとすること、遊技効果ランプ９や装飾用ＬＥＤの点灯パターンを通常の演出モードにおける点灯パターンとは異なるものとすること、あるいは、これらの一部または全部を組み合わせることにより、突確モードであることを遊技者が認識できるように報知すればよい。
【００７８】
確変状態では、例えば「確変中」といった確変状態に対応した演出画像を画像表示装置５の表示領域に表示させることや、画像表示装置５の表示領域における背景画像や飾り図柄の表示態様を通常の演出モードにおける表示態様とは異なるものとすることのうち、一部または全部を行うことなどにより、確変状態であることを遊技者が認識できる確変中の演出モードとなるようにしてもよい。
【００７９】
パチンコ遊技機１における遊技の進行中などには、予め設けられた所定条件が成立したときに、カメラ３３の撮影により生成された撮影画像データを用いた特別演出が実行されることがある。ここで、特別演出が実行されるための所定条件としては、例えばスーパーリーチＡ〜スーパーリーチＤといったスーパーリーチのリーチ演出が開始されたこと、大当り遊技状態において大当り中演出が開始されたこと、所定の予告演出が開始されたこと、大当り遊技状態の開始後に実行されたラウンド遊技の回数が所定回数に達したこと、電源投入後や大当り遊技状態の終了後に実行された特図ゲームの回数が所定回数に達したこと、再抽選演出や大当り中昇格演出もしくはエンディング昇格演出といった確変状態に制御するか否かの報知演出が開始されたこと、あるいは、これらの一部または全部を含む所定の場合など、パチンコ遊技機１における遊技の進行に関して予め設定可能なものであればよい。
【００８０】
特別演出が実行されるときには、撮影画像データを用いた画像データ処理などにより、例えば遊技者の手（例えば図３３に示す遊技者ＰＰの左手ＬＨなど）の動きといった、検知対象物の動作態様が検知される。ここで、検知対象物の動作態様が検知される検知領域として、仮想境界面ＶＢ１により区画される仮想操作領域ＶＡ１が、カメラ３３による撮影範囲内でカメラ３３の位置に対して特定の関係に予め設定されている。そして、検知対象物の動作態様を検知した検知結果に基づいて、特別演出における演出画像の表示が変化する。このときには、検知対象物の検知結果だけでなく、例えば大当り遊技状態に制御するか否かの決定結果や、大当り遊技状態の終了後に確変状態に制御するか否かの決定結果、大当り遊技状態におけるラウンド遊技の実行回数の決定結果、時短状態において実行可能な特図ゲームの上限回数の決定結果、あるいは、これらの一部または全部といった、パチンコ遊技機１において所定の遊技価値を付与するか否かの決定結果にも応じて、特別演出における演出画像の変化態様を異ならせるようにしてもよい。
【００８１】
特別演出を実行するために、演出画像の合成が行われるようにしてもよい。この場合には、予め用意された演出画像データに示されるキャラクタ画像やアニメーション画像といった、ＣＧ（Computer Graphics）技術を用いて作成された仮想画像と、カメラ３３の撮影により生成された撮影画像データに示される実写画像の一部または全部とが、合成されるようにしてもよい。これにより、例えば拡張現実感（ＡＲ：Augmented Reality）や拡張仮想感（ＡＶ：Augmented Virtuality）といった複合現実感（ＭＲ：Mixed Reality）を与える特別演出を実行することができる。あるいは、例えば変動パターンなどに対応して選択された演出画像データに示される仮想画像または実写画像と、撮影画像データに基づいて検知された対象物の動作態様に対応して選択された演出画像データに示される仮想画像または実写画像とが、合成されてもよい。これにより、例えば仮想現実感（ＶＲ：Virtual Reality）を与える特別演出を実行することができる。
【００８２】
特別演出を実行するために、超音波信号の出力が行われるようにしてもよい。この場合には、予め用意された超音波出力パターンに対応して、遊技者に所定の触感を与えるための超音波信号が、超音波出力装置３２Ｌ、３２Ｃ、３２Ｒから出力されるようにしてもよい。このとき、超音波信号の照射位置は、画像表示装置５の表示領域における演出画像（平面画像または立体画像）の表示位置や、カメラ３３の撮影による検知対象物の検知結果のうち、一方または双方に応じて異なる位置が設定されてもよい。
【００８３】
パチンコ遊技機１には、例えば図４に示すような主基板１１及び演出制御基板１２といった、各種の制御基板が搭載されている。また、パチンコ遊技機１には、主基板１１と演出制御基板１２との間で伝送される各種の制御信号を中継するための中継基板１３なども搭載されている。その他にも、パチンコ遊技機１における遊技盤２などの背面には、例えば払出制御基板、情報端子基板、発射制御基板、インタフェース基板などといった、各種の基板が配置されている。
【００８４】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、特別図柄表示装置４を構成する各ＬＥＤ（例えばセグメントＬＥＤやドットＬＥＤ）などの点灯／消灯制御を行って特別図柄表示装置４による特別図柄の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。主基板１１には、例えば遊技制御用マイクロコンピュータ１００や、遊技球検出用の各種スイッチからの検出信号を取り込んで遊技制御用マイクロコンピュータ１００に伝送するスイッチ回路１０１、遊技制御用マイクロコンピュータ１００からのソレノイド駆動信号をソレノイド８１、８２に伝送するソレノイド回路１０２などが搭載されている。
【００８５】
演出制御基板１２は、主基板１１とは独立したサブ側の制御基板であり、中継基板１３を介して主基板１１から伝送された制御信号を受信して、画像表示装置５、スピーカ８Ｌ、８Ｒ、遊技効果ランプ９及び超音波出力装置３２Ｌ、３２Ｃ、３２Ｒといった演出用の電気部品となる演出装置による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９などにおける点灯／消灯動作の全部または一部、超音波出力装置３２Ｌ、３２Ｃ、３２Ｒからの超音波出力動作の全部または一部といった、演出用の電気部品（演出装置）に所定の演出動作を実行させるための制御内容を決定する機能を備えている。
【００８６】
図４に示すように、主基板１１には、ゲートスイッチ２１、始動口スイッチ２２、カウントスイッチ２３からの検出信号を受信するための配線が接続されている。なお、ゲートスイッチ２１、始動口スイッチ２２、カウントスイッチ２３は、例えばセンサと称されるものなどのように、遊技媒体としての遊技球を検出できる任意の構成を有するものであればよい。加えて、主基板１１には、普通可変入賞球装置６における可動翼片の傾動制御を行うための指令信号をソレノイド８１に伝送する配線や、特別可変入賞球装置７における開閉板の開閉制御を行うための指令信号をソレノイド８２に伝送する配線が接続されている。さらに、主基板１１には、特別図柄表示装置４や普通図柄表示器２０の表示制御を行うための指令信号を伝送する配線が接続されている。
【００８７】
主基板１１から演出制御基板１２に向けて伝送される制御信号は、中継基板１３によって中継される。主基板１１には、例えば中継基板１３に対応する主基板側コネクタが設けられ、主基板側コネクタと遊技制御用マイクロコンピュータ１００との間には、出力バッファ回路が接続されている。出力バッファ回路は、主基板１１から中継基板１３を介して演出制御基板１２へ向かう方向にのみ信号を通過させることができ、中継基板１３から主基板１１への信号の入力を阻止する。したがって、演出制御基板１２や中継基板１３の側から主基板１１側に信号が伝わる余地はない。
【００８８】
中継基板１３には、例えば主基板１１から演出制御基板１２に対して制御信号を伝送するための配線毎に、伝送方向規制回路が設けられていればよい。各伝送方向規制回路は、主基板１１対応の主基板用コネクタにアノードが接続されるとともに演出制御基板１２対応の演出制御基板用コネクタにカソードが接続されたダイオードと、一端がダイオードのカソードに接続されるとともに他端がグランド（ＧＮＤ）接続された抵抗とから構成されている。この構成により、各伝送方向規制回路は、演出制御基板１２から中継基板１３への信号の入力を阻止して、主基板１１から演出制御基板１２へ向かう方向にのみ信号を通過させることができる。したがって、演出制御基板１２の側から主基板１１側に信号が伝わる余地はない。この実施の形態では、中継基板１３において制御信号を伝送するための配線毎に伝送方向規制回路を設けるとともに、主基板１１にて遊技制御用マイクロコンピュータ１００と主基板側コネクタの間に出力バッファ回路を設けることで、外部から主基板１１への不正な信号の入力を防止することができる。
【００８９】
中継基板１３を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。図５（Ａ）は、この実施の形態で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。なお、図５（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００９０】
図５（Ａ）に示す例において、コマンド８０ＸＸＨは、特別図柄表示装置４による特図ゲームとして特別図柄の可変表示を開始するときに飾り図柄の変動パターンを指定する変動パターン指定コマンドである。なお、ＸＸＨは不特定の１６進数であるであることを示し、演出制御コマンドによる指令内容に応じて任意に設定される値であればよい。変動パターン指定コマンドでは、飾り図柄の変動パターンなどに応じて、異なるＥＸＴデータが設定される。ここで、飾り図柄の可変表示において変動が開始されてから確定飾り図柄が導出表示されて可変表示が終了するまでの時間（可変表示時間）は、飾り図柄の変動パターンに対応して予め設定されている。したがって、変動パターン指定コマンドにより変動パターンが指定されることにより、飾り図柄の可変表示時間も指定されることになる。変動パターン指定コマンドのＭＯＤＥデータは、特図保留記憶数などに基づいて決定される変動パターンに応じて、「８０Ｈ」、「８１Ｈ」、「８２Ｈ」のいずれかが設定されるようにしてもよい。例えば、特図保留記憶数が「０」または「１」であるときには、ＭＯＤＥデータ「８０Ｈ」が設定され、特図保留記憶数が「２」であるときには、ＭＯＤＥデータ「８１Ｈ」が設定され、特図保留記憶数が「３」または「４」であるときには、ＭＯＤＥデータ「８２Ｈ」が設定されてもよい。
【００９１】
コマンド８ＣＸＸＨは、特別図柄や飾り図柄などの可変表示結果を指定する可変表示結果通知コマンドである。可変表示結果通知コマンドでは、例えば図５（Ｂ）に示すように、可変表示結果が「ハズレ」、「大当り」、「小当り」のいずれとなるかの事前決定結果、また、可変表示結果が「大当り」となる場合における飾り図柄の可変表示態様（大当り種別）が「非確変」、「確変」、「突確」のいずれとなるかの大当り種別決定結果に対応して、異なるＥＸＴデータが設定される。より具体的には、コマンド８Ｃ００Ｈは、可変表示結果が「ハズレ」となる旨の事前決定結果を示す第１可変表示結果通知コマンドである。コマンド８Ｃ０１Ｈは、可変表示結果が「大当り」で大当り種別が「非確変」となる旨の事前決定結果及び大当り種別決定結果を示す第２可変表示結果通知コマンドである。コマンド８Ｃ０２Ｈは、可変表示結果が「大当り」で大当り種別が「確変」となる旨の事前決定結果及び大当り種別決定結果を示す第３可変表示結果通知コマンドである。コマンド８Ｃ０３Ｈは、可変表示結果が「大当り」で大当り種別が「突確」となる旨の事前決定結果及び大当り種別決定結果を示す第４可変表示結果通知コマンドである。コマンド８Ｃ０４Ｈは、可変表示結果が「小当り」となる旨の事前決定結果を示す第５可変表示結果通知コマンドである。
【００９２】
この実施の形態では、変動パターン指定コマンドと可変表示結果通知コマンドとを、互いに別個の演出制御コマンドとして用意している。これに対して、変動パターン指定コマンドに示される変動パターンと、可変表示結果通知コマンドに示される可変表示結果とを、１つの演出制御コマンドにより特定可能となるように構成してもよい。一例として、変動パターンと可変表示結果（「ハズレ」、「大当り」及び「小当り」のいずれかと、「大当り」となる場合における大当り種別）との組合せに対応してＥＸＴデータが設定される演出制御コマンドを用意して、その演出制御コマンドにより、変動パターンと可変表示結果を特定可能な情報が伝送されるようにしてもよい。あるいは、３つ以上の演出制御コマンドにより、変動パターンと可変表示結果とを特定できるようにしてもよい。ここで、変動パターンと可変表示結果とを１つの演出制御コマンドにより特定可能となるように構成した場合には、１つの変動パターンに対して、複数種類の可変表示結果に応じた複数種類の演出制御コマンドを用意しなければならないことがある。これに対して、変動パターンを指定する演出制御コマンドと、可変表示結果を通知する演出制御コマンドとを別個に用意すれば、変動パターンの種類数に対応した個数の演出制御コマンドと、可変表示結果の種類数に対応した個数の演出制御コマンドとを用意すればよく、予め用意するコマンドの種類や、コマンドテーブルの記憶容量などを、削減することができる。
【００９３】
コマンド８Ｆ００Ｈは、画像表示装置５における「左」、「中」、「右」の各飾り図柄表示エリアで飾り図柄の可変表示の停止を指定する飾り図柄停止コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態が通常状態、確変状態及び時短状態のいずれであるかに対応して、異なるＥＸＴデータが設定される。具体的な一例として、コマンド９５００Ｈを遊技状態が通常状態である場合に対応した第１遊技状態指定コマンドとし、コマンド９５０１Ｈを遊技状態が確変状態である場合に対応した第２遊技状態指定コマンドとし、コマンド９５０２Ｈを遊技状態が時短状態である場合に対応した第３遊技状態指定コマンドとすればよい。
【００９４】
この実施の形態では、飾り図柄の可変表示の停止を指定する演出制御コマンドとして、飾り図柄停止コマンドを主基板１１から演出制御基板１２に対して送信するようにしている。これに対して、飾り図柄停止コマンドの送信は行われないようにしてもよい。この場合、演出制御基板１２の側では、変動パターン指定コマンドに示された変動パターンに対応する可変表示時間などを特定し、変動パターン指定コマンドを受信してからの経過時間が特定された可変表示時間に達したときに、主基板１１からの演出制御コマンドを受信しなくても、特図ゲームに対応して実行される演出を終了するための設定が行われるようにすればよい。
【００９５】
コマンドＡ０ＸＸＨは、大当り遊技状態や小当り遊技状態の開始を示す演出画像の表示を指定する当り開始指定コマンド（「ファンファーレコマンド」ともいう）である。当り開始指定コマンドでは、例えば可変表示結果通知コマンドと同様のＥＸＴデータが設定されることなどにより、事前決定結果や大当り種別決定結果に応じて異なるＥＸＴデータが設定される。あるいは、当り開始指定コマンドでは、事前決定結果及び大当り種別決定結果と設定されるＥＸＴデータとの対応関係を、可変表示結果通知コマンドにおける対応関係とは異ならせるようにしてもよい。
【００９６】
コマンドＡ１ＸＸＨは、大当り遊技状態や小当り遊技状態において、大入賞口が開放状態となっている期間であることを通知する大入賞口開放中通知コマンドである。コマンドＡ２ＸＸＨは、大当り遊技状態や小当り遊技状態において、大入賞口が開放状態から閉鎖状態に変化した期間であることを通知する大入賞口開放後通知コマンドである。大入賞口開放中通知コマンドや大入賞口開放後通知コマンドでは、例えば１５ラウンド大当り状態におけるラウンド遊技の実行回数（例えば「１」〜「１５」）や、２ラウンド大当り状態または可変入賞動作における大入賞口の開放回数（例えば「１」または「２」）に対応して、異なるＥＸＴデータが設定される。なお、大当り遊技状態や小当り遊技状態では、大入賞口が開放状態となっている期間であるか、大入賞口が開放状態から閉鎖状態に変化した期間であるかにかかわりなく、大当り遊技状態や小当り遊技状態の終了時点まで、継続的な演出動作が実行されるようにしてもよい。あるいは、大当り遊技状態や小当り遊技状態では、大入賞口が開放状態となっている期間であるか、大入賞口が開放状態から閉鎖状態に変化した期間であるかに応じて、異なる演出動作が実行されるようにしてもよい。また、例えば大入賞口が開放された回数を示す演出画像の表示を行う場合ように、大当り遊技状態におけるラウンド遊技の実行回数などに応じて異なる演出動作が実行されるようにしてもよい。
【００９７】
コマンドＡ３ＸＸＨは、大当り遊技状態や小当り遊技状態の終了時における演出画像の表示を指定する当り終了指定コマンドである。当り終了指定コマンドでは、例えば可変表示結果通知コマンドや当り開始指定コマンドと同様のＥＸＴデータが設定されることなどにより、事前決定結果や大当り種別決定結果に応じて異なるＥＸＴデータが設定される。あるいは、当り終了指定コマンドでは、事前決定結果及び大当り種別決定結果と設定されるＥＸＴデータとの対応関係を、可変表示結果通知コマンドや当り開始指定コマンドにおける対応関係とは異ならせるようにしてもよい。なお、２ラウンド大当り状態に制御されるときと、小当り遊技状態に制御されるときのうち、いずれか一方または双方の場合には、当り開始指定コマンドや大入賞口開放中指定コマンド、大入賞口開放後指定コマンド、当り終了指定コマンドの一部または全部が伝送されず、変動パターン指定コマンドに示された変動パターンにより、２ラウンド大当り状態中と、小当り遊技状態中のうち、いずれか一方または双方における演出動作が実行されるようにしてもよい。
【００９８】
コマンドＢ０ＸＸＨは、普通可変入賞球装置６が形成する始動入賞口に進入（始動入賞）した遊技球が始動口スイッチ２２により検出されたことや、特別図柄表示装置４による特図ゲームが開始されることなどに基づき、特図保留記憶数を通知する特図保留記憶数通知コマンドである。特図保留記憶数通知コマンドでは、例えば図１２に示す特図保留記憶部１５１における保留データの記憶数（例えば「０」〜「４」）に対応して、異なるＥＸＴデータが設定される。これにより、演出制御基板１２の側では、主基板１１から伝送された特図保留記憶数通知コマンドを受信して特図保留記憶数を特定し、画像表示装置５の表示領域に設けられた始動入賞記憶表示エリアの表示を更新することなどができる。
【００９９】
主基板１１に搭載された遊技制御用マイクロコンピュータ１００は、例えば１チップのマイクロコンピュータであればよい。図６は、遊技制御用マイクロコンピュータ１００の構成例を示している。図６に示すように、遊技制御用マイクロコンピュータ１００は、遊技制御用のプログラムを実行して制御動作を行うＣＰＵ（Central Processing Unit）１１１と、遊技制御用のプログラムや固定データ等を記憶するＲＯＭ（Read Only Memory）１１２と、遊技制御用のワークエリアを提供するＲＡＭ（Random Access Memory）１１３と、ＣＰＵ１１１とは独立して乱数値を示す数値データの更新を行う乱数回路１１４と、Ｉ／Ｏ（Input/Output port）となる入出力ポート１１５とを備えて構成される。一例として、遊技制御用マイクロコンピュータ１００では、ＣＰＵ１１１がＲＯＭ１０２から読み出したプログラムを実行することにより、パチンコ遊技機１における遊技の進行を制御するための処理が実行される。このときには、ＣＰＵ１１１がＲＯＭ１１２から固定データを読み出す固定データ読出動作や、ＣＰＵ１１１がＲＡＭ１１３に各種の変動データを書き込んで一時記憶させる変動データ書込動作、ＣＰＵ１１１がＲＡＭ１１３に一時記憶されている各種の変動データを読み出す変動データ読出動作、ＣＰＵ１１１が入出力ポート１１５を介して遊技制御用マイクロコンピュータ１００の外部から各種信号の入力を受け付ける受信動作、ＣＰＵ１１１が入出力ポート１１５を介して遊技制御用マイクロコンピュータ１００の外部へと各種信号を出力する送信動作なども行われる。遊技制御用マイクロコンピュータ１００を構成する１チップのマイクロコンピュータは、少なくともＣＰＵ１１１の他にＲＡＭ１１３が内蔵されていればよく、ＲＯＭ１１２や乱数回路１１４は外付けであっても内蔵されていてもよい。また、入出力ポート１１５は、外付けであってもよい。
【０１００】
このように、遊技制御用マイクロコンピュータ１００ではＣＰＵ１１１がＲＯＭ１１２に格納されている遊技制御用のプログラムを実行して遊技制御を行うので、以下、遊技制御用マイクロコンピュータ１００（またはＣＰＵ１１１）が実行する（または処理を行う）ということは、具体的には、ＣＰＵ１１１がプログラムに従って制御を実行することである。このことは、主基板１１とは異なる他の基板に搭載されているマイクロコンピュータについても同様である。
【０１０１】
主基板１１では、例えば遊技制御用マイクロコンピュータ１００に内蔵または外付けされた乱数回路１１４などにより、遊技の進行を制御するために用いられる各種の乱数値を示す数値データが更新可能にカウントされる。図７は、主基板１１の側においてカウントされる乱数値を例示する説明図である。図７に示すように、この実施の形態では、主基板１１の側において、特図表示結果決定用の乱数値ＭＲ１、大当り種別決定用の乱数値ＭＲ２、リーチ決定用の乱数値ＭＲ３、変動パターン決定用の乱数値ＭＲ４、普図表示結果決定用の乱数値ＭＲ５のそれぞれを示す数値データが、カウント可能に制御される。なお、遊技効果を高めるために、これら以外の乱数値が用いられてもよい。
【０１０２】
こうした遊技の進行を制御するために用いられる乱数は、遊技用乱数ともいう。乱数回路１１４は、これらの乱数値ＭＲ１〜ＭＲ５の全部または一部を示す数値データをカウントするものであればよい。ＣＰＵ１１１は、例えば図１４に示す遊技制御カウンタ設定部１５４に設けられたランダムカウンタといった、乱数回路１１４とは異なるランダムカウンタを用いて、ソフトウェアによって各種の数値データを更新することで、乱数値ＭＲ１〜ＭＲ５の一部を示す数値データをカウントするようにしてもよい。一例として、特図表示結果判定用の乱数値ＭＲ１を示す数値データは、乱数回路１１４によりＣＰＵ１１１とは独立して更新され、それ以外の乱数値ＭＲ２〜ＭＲ５を示す数値データは、ＣＰＵ１１１がランダムカウンタを用いてソフトウェアにより更新されればよい。また、乱数回路１１４により更新された数値データの全部または一部を用いて、スクランブル処理や演算処理といった所定の処理を実行することにより、乱数値ＭＲ１〜ＭＲ５の全部または一部を示す数値データが更新されるようにしてもよい。
【０１０３】
遊技制御用マイクロコンピュータ１００は、乱数回路１１４が更新する数値データの初期値を設定する機能を有していてもよい。例えば、ＲＯＭ１１２等の所定の記憶領域に記憶された遊技制御用マイクロコンピュータ１００のＩＤナンバ（遊技制御用マイクロコンピュータ１００の各製品ごとに異なる数値で付与されたＩＤナンバ）を用いて所定の演算を行って得られた数値データを、乱数回路１１４が更新する数値データの初期値として設定する。このような処理を行うことにより、乱数回路１１４が発生する乱数のランダム性をより向上させることができる。
【０１０４】
特図表示結果決定用の乱数値ＭＲ１は、特図ゲームにおける特別図柄などの可変表示結果を「大当り」として大当り遊技状態に制御するか否かなどを決定するために用いられる乱数値であり、例えば「１」〜「６５５３５」の範囲の値をとる。大当り種別決定用の乱数値ＭＲ２は、可変表示結果を「大当り」とする場合における飾り図柄の可変表示態様である大当り種別を「非確変」、「確変」、「突確」のいずれかに決定するために用いられる乱数値であり、例えば「１」〜「１００」の範囲の値をとる。
【０１０５】
リーチ決定用の乱数値ＭＲ３は、飾り図柄の可変表示状態をリーチ状態とするか否かを決定するために用いられる乱数値であり、例えば「１」〜「２３９」の範囲の値をとる。変動パターン決定用の乱数値ＭＲ４は、飾り図柄の変動パターンを、予め用意された複数種類のいずれかに決定するために用いられる乱数値であり、例えば「１」〜「３００」の範囲の値をとる。普図表示結果決定用の乱数値ＭＲ５は、普通図柄表示器２０による普図ゲームにおける可変表示結果を「普図当り」とするか「普図ハズレ」とするかなどの決定を行うために用いられる乱数値であり、例えば「３」〜「１３」の範囲の値をとる。
【０１０６】
図８は、この実施の形態における飾り図柄の変動パターンを示している。飾り図柄の変動パターンは、飾り図柄の可変表示が開始されてから可変表示結果となる確定飾り図柄が導出表示されるまでの所要時間（可変表示時間）や表示態様を特定可能に示している。この実施の形態では、可変表示結果が「ハズレ」となる場合のうち、飾り図柄の可変表示態様が「非リーチ」である場合と「リーチ」である場合のそれぞれに対応して、また、可変表示結果が「大当り」となる場合のうち、大当り種別が「非確変」または「確変」である場合と「突確」である場合、さらには、可変表示結果が「小当り」となる場合などに対応して、複数の変動パターンが予め用意されている。なお、可変表示結果が「ハズレ」で飾り図柄の可変表示態様が「非リーチ」である場合に対応した変動パターンは、非リーチ変動パターン（「非リーチハズレ変動パターン」ともいう）と称され、可変表示結果が「ハズレ」で飾り図柄の可変表示態様が「リーチ」である場合に対応した変動パターンは、リーチ変動パターン（「リーチハズレ変動パターン」ともいう）と称される。また、非リーチ変動パターンとリーチ変動パターンは、可変表示結果が「ハズレ」となる場合に対応したハズレ変動パターンに含まれる。可変表示結果が「大当り」や「小当り」である場合に対応した変動パターンは、当り変動パターンと称される。
【０１０７】
図８に示すように、この実施の形態では、非リーチ変動パターンとして、変動パターンＰＡ１−１〜変動パターンＰＡ１−４が、予め用意されている。また、リーチ変動パターンとして、変動パターンＰＡ２−１、変動パターンＰＡ２−２、変動パターンＰＡ３−１〜変動パターンＰＡ３−４が、予め用意されている。可変表示結果が「大当り」で大当り種別が「非確変」または「確変」となる場合に対応した当り変動パターンとしては、変動パターンＰＡ４−１、変動パターンＰＡ４−２、変動パターンＰＡ５−１〜変動パターンＰＡ５−４が予め用意されている。可変表示結果が「大当り」で大当り種別が「突確」となる場合や、可変表示結果が「小当り」となる場合に対応した当り変動パターンとしては、変動パターンＰＡ６−１〜変動パターンＰＡ６−３が、予め用意されている。さらに、可変表示結果が「大当り」で大当り種別が「突確」となる場合にのみ対応した当り変動パターンとして、変動パターンＰＡ６−４及び変動パターンＰＡ６−５が、予め用意されている。各変動パターンに対応して、特図ゲームにおける特別図柄の変動時間となる特図変動時間が予め定められている。
【０１０８】
図６に示す遊技制御用マイクロコンピュータ１００が備えるＲＯＭ１１２には、ゲーム制御用のプログラムの他にも、遊技の進行を制御するために用いられる各種の選択用データ、テーブルデータなどが格納されている。例えば、ＲＯＭ１１２には、ＣＰＵ１１１が各種の判定や決定、設定を行うために用意された複数の判定テーブルや決定テーブル、設定テーブルなどを構成するデータが記憶されている。また、ＲＯＭ１１２には、複数のコマンドテーブルを構成するテーブルデータや、変動パターンテーブルを構成するテーブルデータなどが、記憶されている。各コマンドテーブルは、ＣＰＵ１１１が主基板１１から各種の制御コマンドとなる制御信号を送信するために用いられる。変動パターンテーブルは、図８に示すような飾り図柄の変動パターンを複数種類格納する。
【０１０９】
図９は、ＲＯＭ１１２に記憶される特図表示結果決定テーブル２００の構成例を示している。特図表示結果決定テーブル２００は、特別図柄表示装置４による特図ゲームにおいて、特別図柄の可変表示結果（特図表示結果）となる確定特別図柄が導出表示される以前に、その可変表示結果を「大当り」として大当り遊技状態に制御するか否かや、可変表示結果を「小当り」として小当り遊技状態に制御するか否かを、特図表示結果決定用の乱数値ＭＲ１に基づいて決定するために参照されるテーブルである。特図表示結果決定テーブル２００では、パチンコ遊技機１における遊技状態が通常状態または時短状態であるか確変状態であるかに応じて、特図表示結果決定用の乱数値ＭＲ１と比較される数値（決定値）が、「大当り」や「小当り」、「ハズレ」の特図表示結果に割り当てられている。
【０１１０】
図１０は、ＲＯＭ１１２に記憶される大当り種別決定テーブル２０１の構成例を示している。大当り種別決定テーブル２０１は、特図表示結果を「大当り」として大当り遊技状態に制御することが決定（事前決定）されたときに、大当り種別決定用の乱数値ＭＲ２に基づき、可変表示態様を「非確変」や「確変」、「突確」といった複数種類の大当り種別のいずれかに決定するために参照されるテーブルである。大当り種別決定テーブル２０１では、大当り種別決定用の乱数値ＭＲ２と比較される数値（決定値）が、「非確変」や「確変」、「突確」などの大当り種別に割り当てられている。
【０１１１】
大当り種別決定テーブル２０１において、複数種類の大当り種別に割り当てられた決定値を示すテーブルデータは、１５ラウンド大当り状態に制御するか２ラウンド大当り状態に制御するかの決定結果や、大当り遊技状態の終了後には確変状態に制御するか否かの決定結果に対応した決定用データとなっている。例えば、「非確変」または「確変」の大当り種別に割り当てられている決定値を示すテーブルデータは、１５ラウンド大当り状態に制御するとの決定結果に対応する一方で、「突確」の大当り種別に割り当てられている決定値を示すテーブルデータは、２ラウンド大当り状態に制御するとの決定結果に対応している。また、「非確変」の大当り種別に割り当てられている決定値を示すテーブルデータは、確変状態に制御しないとの決定結果に対応する一方で、「確変」または「突確」の大当り種別に割り当てられている決定値を示すテーブルデータは、確変状態に制御するとの決定結果を示している。
【０１１２】
図１１は、ＲＯＭ１１２に記憶されるリーチ決定テーブル２０２の構成例を示している。リーチ決定テーブル２０２は、可変表示結果を「ハズレ」とすることが決定（事前決定）されたときに、飾り図柄の可変表示状態をリーチ状態とするか否かを、リーチ決定用の乱数値ＭＲ３に基づいて決定するために参照されるテーブルである。リーチ決定テーブル２０２では、リーチ決定用の乱数値ＭＲ３と比較される数値（決定値）が、飾り図柄の可変表示状態をリーチ状態としない「非リーチ」またはリーチ状態とする「リーチ」を示すリーチ決定結果に、割り当てられている。
【０１１３】
図１１に示すリーチ決定テーブル２０２の設定例では、パチンコ遊技機１における遊技状態が通常状態であるか時短状態または確変状態であるかに応じて、リーチ決定結果に対する決定値の割当てが異なっている。また、図１１に示す設定例では、特図保留記憶数に応じて、リーチ決定結果に対する決定値の割当てが異なっている。例えば、遊技状態が通常状態であるときには、特図保留記憶数が「０」である場合に対応して、「１」〜「２０４」の範囲の値が「非リーチ」の決定結果に割り当てられ、「２０５」〜「２３９」の範囲の値が「リーチ」の決定結果に割り当てられている。特図保留記憶数が「１」である場合には、特図保留記憶数が「０」である場合よりも多い「１」〜「２１７」の範囲の値が「非リーチ」の決定結果に割り当てられている。特図保留記憶数が「２」である場合には、特図保留記憶数が「０」や「１」の場合よりも多い「１」〜「２２３」の範囲の値が「非リーチ」の決定結果に割り当てられている。特図保留記憶数が「３」または「４」である場合には、「１」〜「２３０」の範囲の値が「非リーチ」の決定結果に割り当てられている。このような設定によって、特図ゲームの保留記憶数（特図保留記憶数）が所定数（例えば「３」）以上であるときには、所定数未満であるときに比べて、飾り図柄の可変表示状態をリーチ状態とする旨の決定がなされる割合が低くなる。そして、非リーチ変動パターンにおける平均的な特図変動時間がリーチ変動パターンにおける平均的な特図変動時間に比べて短くなるように設定されていれば、特図保留記憶数が所定数以上であるときには、所定数未満であるときに比べて、平均的な特図変動時間を短縮することができる。
【０１１４】
図１２（Ａ）及び（Ｂ）、図１３（Ａ）及び（Ｂ）は、ＲＯＭ１１２に記憶される変動パターン決定テーブルの構成例を示している。この実施の形態では、変動パターン決定テーブルとして、図１２（Ａ）に示す大当り変動パターン決定テーブル２０３Ａと、図１２（Ｂ）に示す小当り変動パターン決定テーブル２０３Ｂと、図１３（Ａ）に示す非リーチ変動パターン決定テーブル２０４Ａと、図１３（Ｂ）に示すリーチ変動パターン決定テーブル２０４Ｂとが、予め用意されている。各変動パターン決定テーブルは、変動パターン決定用の乱数値ＭＲ４に基づいて、変動パターンを複数種類のいずれかに決定するために参照されるテーブルである。
【０１１５】
図１２（Ａ）に示す大当り変動パターン決定テーブル２０３Ａは、可変表示結果を「大当り」とする決定（事前決定）がなされたときに、使用テーブルとして選択される。大当り変動パターン決定テーブル２０３Ａでは、大当り種別の決定結果が「非確変」、「確変」、「突確」のいずれであるかに応じて、変動パターン決定用の乱数値ＭＲ４と比較される数値（決定値）が、変動パターンＰＡ４−１及び変動パターンＰＡ４−２、変動パターンＰＡ５−１〜変動パターンＰＡ５−４、変動パターンＰＡ６−１〜変動パターンＰＡ６−５などに割り当てられている。
【０１１６】
図１２（Ａ）に示す大当り変動パターン決定テーブル２０３Ａの設定例では、大当り種別が複数種類のいずれに決定されたかに応じて、各変動パターンに決定される割合が異なるように、決定値が各変動パターンに割り当てられている。例えば、大当り種別が「非確変」であるか「確変」であるかに応じて、変動パターンＰＡ４−１及び変動パターンＰＡ４−２、変動パターンＰＡ５−１〜変動パターンＰＡ５−４に対する決定値の割当てが異なっている。また、大当り種別が「非確変」または「確変」である場合には、変動パターンＰＡ４−１及び変動パターンＰＡ４−２、変動パターンＰＡ５−１〜変動パターンＰＡ５−４に対して決定値が割り当てられている一方で、変動パターンＰＡ６−１〜変動パターンＰＡ６−５に対しては決定値が割り当てられていない。他方、大当り種別が「突確」である場合には、変動パターンＰＡ４−１及び変動パターンＰＡ４−２、変動パターンＰＡ５−１〜変動パターンＰＡ５−４に対しては決定値が割り当てられていない一方で、変動パターンＰＡ６−１〜変動パターンＰＡ６−５に対して決定値が割り当てられている。
【０１１７】
このように、大当り種別に応じて各変動パターンに対する決定値の割当てが異なっている。また、大当り種別に応じて異なる変動パターンに対して決定値が割り当てられることがある。こうして、大当り種別を複数種類のいずれにするかの決定結果に応じて、異なる変動パターンに決定することができ、また、同一の変動パターンに決定される割合を異ならせることができる。なお、パチンコ遊技機１における遊技状態が通常状態、確変状態、時短状態のいずれであるかに応じて各変動パターンに対する決定値の割当てが異なる変動パターン決定テーブルを参照してもよい。これにより、遊技状態が複数種類のいずれであるかに応じて、異なる変動パターンに決定することができ、また、同一の変動パターンに決定される割合を異ならせることができる。
【０１１８】
図１２（Ｂ）に示す小当り変動パターン決定テーブル２０３Ｂは、可変表示結果を「小当り」とする決定（事前決定）がなされたときに、使用テーブルとして選択される。小当り変動パターン決定テーブル２０３Ｂでは、変動パターン決定用の乱数値ＭＲ４と比較される数値（決定値）が、変動パターンＰＡ６−１〜変動パターンＰＡ６−３に割り当てられている。変動パターンＰＡ６−１〜変動パターンＰＡ６−３には、図１２（Ａ）に示す大当り変動パターン決定テーブル２０３Ａにおいて、大当り種別が「突確」である場合に応じて決定値の一部が割り当てられている。このように、変動パターンＰＡ６−１〜変動パターンＰＡ６−３は、大当り種別が「突確」となる場合と、可変表示結果が「小当り」となる場合とで、共通の変動パターンとなっている。すなわち、大当り変動パターン決定テーブル２０３Ａにて大当り種別が「突確」に対応したテーブルデータと、小当り変動パターン決定テーブル２０３Ｂを構成するテーブルデータとには、共通の変動パターンが含まれるように設定されている。
【０１１９】
図１３（Ａ）に示す非リーチ変動パターン決定テーブル２０４Ａは、可変表示結果を「ハズレ」とする決定（事前決定）と、飾り図柄の可変表示状態をリーチ状態としない旨の決定とがなされたときに、使用テーブルとして選択される。非リーチ変動パターン決定テーブル２０４Ａでは、パチンコ遊技機１における遊技状態や特図保留記憶数などに応じて、変動パターン決定用の乱数値ＭＲ４と比較される数値（決定値）が、変動パターンＰＡ１−１〜変動パターンＰＡ１−４などに割り当てられている。
【０１２０】
図１３（Ｂ）に示すリーチ変動パターン決定テーブル２０４Ｂは、可変表示結果を「ハズレ」とする決定（事前決定）と、飾り図柄の可変表示状態をリーチ状態とする旨の決定とがなされたときに、使用テーブルとして選択される。リーチ変動パターン決定テーブル２０４Ｂでは、パチンコ遊技機１における遊技状態や特図保留記憶数などに応じて、変動パターン決定用の乱数値ＭＲ４と比較される数値（決定値）が、変動パターンＰＡ２−１及び変動パターンＰＡ２−２、変動パターンＰＡ３−１〜変動パターンＰＡ３−４などに割り当てられている。
【０１２１】
このように、変動パターン決定テーブルでは、可変表示結果を「大当り」、「小当り」、「ハズレ」のいずれとするかの決定結果（事前決定結果）や、飾り図柄の可変表示状態をリーチ状態とするか否かの決定結果に応じて、変動パターンに対する決定値の割当てが異なるように、テーブルデータが構成されている。したがって、演出制御基板１２の側では、例えば変動パターン指定コマンドに示される変動パターンなどに基づき、演出動作の制御内容について決定や選択を行うことにより、例えば事前決定結果のようなパチンコ遊技機１における所定の遊技価値を付与するか否かの決定結果（価値付与決定結果）に応じた演出動作を演出用の電気部品（例えば、画像表示装置５、スピーカ８Ｌ、８Ｒ、遊技効果ランプ９や装飾用ＬＥＤなどの電飾部材、超音波出力装置３２Ｌ、３２Ｃ、３２Ｒ、演出用の可動部材など）に実行させることができる。なお、価値付与決定結果に応じた演出動作としては、価値付与決定結果に応じて異なる別個の演出動作が実行されてもよいし、価値付与決定結果に応じて複数種類の演出動作がそれぞれ実行される割合（演出決定割合）を異ならせるものであってもよい。
【０１２２】
この実施の形態では、図９に示す特図表示結果決定テーブル２００を参照して特図表示結果を決定する。このとき、決定した特図表示結果が「大当り」であれば、図１２（Ａ）に示す大当り変動パターン決定テーブル２０３Ａを参照して変動パターンの決定を行い、決定した特図表示結果が「小当り」であれば、図１２（Ｂ）に示す小当り変動パターン決定テーブル２０３Ｂを参照して変動パターンの決定を行う。また、決定した特図表示結果が「ハズレ」であれば、図１１に示すリーチ決定テーブル２０２を参照して飾り図柄の可変表示状態をリーチ状態とするか否かを決定する。そして、リーチ状態としないことに決定すれば、図１３（Ａ）に示す非リーチ変動パターン決定テーブル２０４Ａを参照して変動パターンの決定を行い、リーチ状態とすることに決定すれば、図１３（Ｂ）に示すリーチ変動パターン決定テーブル２０４Ｂを参照して変動パターンの決定を行う。
【０１２３】
これに対して、複数の変動パターン種別を予め用意しておき、決定した特図表示結果に基づく変動パターン種別の決定を行うようにしてもよい。複数の変動パターン種別はそれぞれ、例えば飾り図柄の可変表示中に実行される演出動作などに基づいて分類（グループ化）された１つまたは複数の変動パターンを含むように構成されていればよい。一例として、複数の変動パターン種別をリーチ演出の種類（演出態様）で分類（グループ化）して、飾り図柄の可変表示態様がリーチ状態とならない変動パターンが含まれる変動パターン種別や、ノーマルリーチを伴う変動パターンが含まれる変動パターン種別、スーパーリーチを伴う変動パターンが含まれる変動パターン種別などに分ければよい。複数の変動パターン種別のうちには、共通の変動パターンを含んで構成されたものがあってもよい。
【０１２４】
決定した特図表示結果が「ハズレ」であるときには、所定の変動パターン種別決定テーブルを参照して、リーチ状態とならない変動パターンが含まれる変動パターン種別や、ノーマルリーチを伴う変動パターンが含まれる変動パターン種別、スーパーリーチを伴う変動パターン種別などのいずれかに決定することで、飾り図柄の可変表示状態をリーチ状態とするか否かが決定されるようにしてもよい。すなわち、特図表示結果を「ハズレ」とする決定に基づく変動パターン種別の決定には、リーチ状態とするか否かの決定が含まれてもよい。
【０１２５】
図６に示す遊技制御用マイクロコンピュータ１００が備えるＲＡＭ１１３は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１１３の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【０１２６】
このようなＲＡＭ１１３には、パチンコ遊技機１における遊技の進行などを制御するために用いられる各種のデータを保持する領域として、例えば図１４に示すような遊技制御用データ保持エリア１５０が設けられている。図１４に示す遊技制御用データ保持エリア１５０は、特図保留記憶部１５１と、遊技制御フラグ設定部１５２と、遊技制御タイマ設定部１５３と、遊技制御カウンタ設定部１５４と、遊技制御バッファ設定部１５５とを備えている。
【０１２７】
特図保留記憶部１５１は、始動入賞口に遊技球が進入して特図ゲームを実行するための始動条件は成立したが開始するための開始条件は成立していない特図ゲームの保留データを記憶する。一例として、特図保留記憶部１５１は、始動入賞口への入賞順に保留番号と対応付けて、その入賞による始動条件の成立に基づいてＣＰＵ１１１により乱数回路１１４等から抽出された特図表示結果決定用の乱数値ＭＲ１を示す数値データや大当り種別決定用の乱数値ＭＲ２を示す数値データを保留データとし、その記憶数が所定の上限値（例えば「４」）に達するまで記憶する。
【０１２８】
遊技制御フラグ設定部１５２には、パチンコ遊技機１における遊技の進行状況などに応じて状態を更新可能な複数種類のフラグが設けられている。例えば、遊技制御フラグ設定部１５２には、複数種類のフラグそれぞれについて、フラグの値を示すデータや、オン状態あるいはオフ状態を示すデータが記憶される。一例として、遊技制御フラグ設定部１５２には、特図プロセスフラグ、普図プロセスフラグ、大当りフラグ、小当りフラグ、確変フラグ、時短フラグなどが設けられていればよい。
【０１２９】
特図プロセスフラグは、特別図柄表示装置４による特別図柄を用いた特図ゲームの進行などを制御するために実行される図２１のステップＳ１５や図２２に示す特別図柄プロセス処理において、どの処理を選択・実行すべきかを指示する。普図プロセスフラグは、普通図柄表示器２０による普通図柄を用いた普図ゲームの進行などを制御するために実行される図２１のステップＳ１６に示す普通図柄プロセス処理において、どの処理を選択・実行すべきかを指示する。
【０１３０】
大当りフラグは、特図ゲームが開始されるときに可変表示結果を「大当り」として大当り遊技状態に制御するとの決定結果に対応して、オン状態にセットされる。その一方で、特図ゲームにおける確定特別図柄として大当り図柄が停止表示されたことなどに対応して、大当りフラグがクリアされてオフ状態となる。小当りフラグは、特図ゲームが開始されるときに可変表示結果を「小当り」として小当り遊技状態に制御するとの決定結果に対応して、オン状態にセットされる。その一方で、特図ゲームにおける確定特別図柄として小当り図柄が停止表示されたことなどに対応して、小当りフラグがクリアされてオフ状態となる。
【０１３１】
確変フラグは、パチンコ遊技機１における遊技状態が確変状態に制御されることに対応してオン状態にセットされる一方で、確変状態が終了することや、ＲＡＭ１１３のクリアなどに対応して、クリアされてオフ状態となる。時短フラグは、パチンコ遊技機１における遊技状態が時短状態に制御されることに対応してオン状態にセットされる一方で、時短状態が終了することや、ＲＡＭ１１３のクリアなどに対応して、クリアされてオフ状態となる。
【０１３２】
遊技制御タイマ設定部１５３には、パチンコ遊技機１における遊技の進行を制御するために用いられる各種のタイマが設けられている。例えば、遊技制御タイマ設定部１５３には、複数種類のタイマそれぞれにおけるタイマ値を示すデータが記憶される。一例として、遊技制御タイマ設定部１５３には、遊技制御プロセスタイマ、特図変動タイマ、普図変動タイマなどが設けられていればよい。
【０１３３】
遊技制御プロセスタイマは、例えば大当り遊技状態の進行を制御するための時間などを、主基板１１の側にて計測するためのものである。具体的な一例として、遊技制御プロセスタイマは、大当り遊技状態の進行を制御するために計測する時間に対応したタイマ値を示すデータを、遊技制御プロセスタイマ値として記憶し、定期的にカウントダウンするダウンカウンタとして用いられる。あるいは、遊技制御プロセスタイマは、大当り遊技状態の開始時点といった、所定時点からの経過時間に対応したタイマ値を示すデータを記憶し、定期的にカウントアップするアップカウンタとして用いられてもよい。
【０１３４】
特図変動タイマは、特図ゲームにおける特別図柄の可変表示時間である特図変動時間といった、特図ゲームの進行を制御するための時間を、主基板１１の側にて計測するためのものである。具体的な一例として、特図変動タイマは、特図ゲームの進行を制御するために計測する時間に対応したタイマ値を示すデータを、特図変動タイマ値として記憶し、定期的にカウントダウンするダウンカウンタとして用いられる。あるいは、特図変動タイマは、特図ゲームの開始時点からの経過時間に対応したタイマ値を示すデータを記憶し、定期的にカウントアップするアップカウンタとして用いられてもよい。
【０１３５】
普図変動タイマは、普図ゲームにおける普通図柄の可変表示時間である普図変動時間といった、普図ゲームの進行を制御するための時間を、主基板１１の側にて計測するためのものである。具体的な一例として、普図変動タイマは、普図ゲームの進行を制御するために計測する時間に対応したタイマ値を示すデータを、普図変動タイマ値として記憶し、定期的にカウントダウンするダウンカウンタとして用いられる。あるいは、普図変動タイマは、普図ゲームの開始時点からの経過時間に対応したタイマ値を示すデータを記憶し、定期的にカウントアップするアップカウンタとして用いられてもよい。
【０１３６】
遊技制御カウンタ設定部１５４には、パチンコ遊技機１における遊技の進行を制御するために用いられるカウント値を計数するためのカウンタが複数種類設けられている。例えば、遊技制御カウンタ設定部１５４には、複数種類のカウンタそれぞれにおけるカウント値を示すデータが記憶される。一例として、遊技制御カウンタ設定部１５４には、ランダムカウンタ、特図保留記憶数カウンタ、時短カウンタ、ラウンド数カウンタなどが設けられていればよい。
【０１３７】
遊技制御カウンタ設定部１５４のランダムカウンタは、遊技用乱数となる乱数値を示す数値データの一部または全部を、乱数回路１１４とは別個に、あるいは、乱数回路１１４から抽出された数値データを用いて、ＣＰＵ１１１がソフトウェアにより更新可能にカウントするためのものである。例えば、遊技制御カウンタ設定部１５４のランダムカウンタには、乱数値ＭＲ２〜ＭＲ５を示す数値データが、ランダムカウント値として記憶され、ＣＰＵ１１１によるソフトウェアの実行に応じて、定期的あるいは不定期に、各乱数値を示す数値データが更新される。ＣＰＵ１１１がランダムカウント値を更新するために実行するソフトウェアは、ランダムカウント値を乱数回路１１４における数値データの更新動作とは別個に更新するためのものであってもよいし、乱数回路１１４から抽出された数値データの全部または一部にスクランブル処理や演算処理といった所定の処理を施すことによりランダムカウント値を更新するためのものであってもよい。
【０１３８】
特図保留記憶数カウンタは、特図保留記憶部１５１における保留データの記憶数である特図保留記憶数をカウントするためのものである。例えば、特図保留記憶数カウンタには、特図保留記憶数に対応したカウント値を示すデータが、特図保留記憶数カウント値として記憶され、特図保留記憶数の増減に対応して更新（例えば１加算あるいは１減算）される。時短カウンタは、パチンコ遊技機１における遊技状態が時短状態であるときに、その時短状態が終了するまでに実行可能な特図ゲームの残り回数を特定可能にカウントするためのものである。一例として、時短カウンタには、大当り遊技状態が終了するときに時短状態へと制御されることに対応して、予め定められたカウント初期値（例えば「１００」など）を示すデータが、時短カウント値として設定される。その後、可変表示結果が「大当り」となるまでは、特図ゲームが終了するごとに、時短カウント値が１減算されるなどして更新される。そして、時短カウント値が「０」に達したときには、時短フラグをクリアしてオフ状態とすることなどにより、時短状態を終了して通常状態へと移行する制御が行われる。ラウンド数カウンタは、大当り遊技状態におけるラウンド遊技の実行回数などをカウントするためのものである。例えば、ラウンド数カウンタには、大当り遊技状態の開始時にカウント初期値「１」を示すデータが、ラウンド数カウント値として設定される。そして、１回のラウンド遊技が終了して次回のラウンド遊技が開始されるときに、ラウンド数カウント値が１加算されて更新される。
【０１３９】
遊技制御バッファ設定部１５５パチンコ遊技機１における遊技の進行を制御するために用いられるデータを一時的に記憶する各種のバッファが設けられている。例えば、遊技制御バッファ設定部１５５には、複数種類のバッファそれぞれにおけるバッファ値を示すデータが記憶される。一例として、遊技制御バッファ設定部１５５には、送信コマンドバッファ、大当り種別バッファなどが設けられていればよい。
【０１４０】
送信コマンドバッファは、主基板１１からサブ側の制御基板に対して制御コマンドを送信するための設定データを一時的に格納するために用いられる。例えば、送信コマンドバッファは、複数（例えば「１２」）のバッファ領域を備えて構成され、送信する制御コマンドに対応したコマンドテーブルのＲＯＭ１１２における記憶アドレスを示す設定データなどが、各バッファ領域に格納される。また、送信コマンドバッファにおいて設定データの書込や読出を行うバッファ領域は、送信コマンドポインタなどによって指定され、複数のバッファ領域をリングバッファとして使用することができるように構成されていればよい。
【０１４１】
大当り種別バッファには、可変表示結果が「大当り」となる場合における大当り種別を複数種類のいずれかとする決定結果に対応したバッファ値が格納される。一例として、大当り種別が「非確変」であれば大当り種別バッファ値には「０」が設定され、大当り種別が「確変」であれば大当り種別バッファ値には「１」が設定され、大当り種別が「突確」であれば大当り種別バッファ値には「２」が設定されればよい。
【０１４２】
図６に示す遊技制御用マイクロコンピュータ１００が備える入出力ポート１１５は、遊技制御用マイクロコンピュータ１００に伝送された各種信号を取り込むための入力ポートと、遊技制御用マイクロコンピュータ１００の外部へと各種信号を伝送するための出力ポートとを含んで構成される。
【０１４３】
図４に示す演出制御基板１２には、画像表示装置５に映像信号を伝送する配線や、スピーカ８Ｌ、８Ｒ及び遊技効果ランプ９に駆動信号を伝送する配線などが接続されている。また、演出制御基板１２には、カメラ３３からの映像信号（撮影画像データ）を伝送する配線や、超音波出力制御回路３１に超音波出力指令信号を伝送する配線も接続されている。さらに、演出制御基板１２には、操作ボタン３０に対する遊技者の操作行為を検出したことを示す情報信号としての操作検出信号を、操作検出ユニット３１から伝送するための配線が接続されている。演出制御基板１２は、演出制御用マイクロコンピュータ１２０と、表示制御部１２１と、音制御部１２２と、ランプ制御部１２３とを備えている。図１５は、演出制御基板１２が備える演出制御用マイクロコンピュータ１２０や表示制御部１２１などの構成例を示している。図１５に示す演出制御用マイクロコンピュータ１２０は、例えば１チップのマイクロコンピュータなどを用いて構成され、ＣＰＵ１３１と、ＲＯＭ１３２と、ＲＡＭ１３３と、発振回路１３４と、リセット回路１３５と、入出力ポート１３６とを備えている。
【０１４４】
演出制御用マイクロコンピュータ１２０では、ＣＰＵ１３１がＲＯＭ１３２から読み出した演出制御用のプログラムを実行することにより、演出用の電気部品による演出動作を制御するための処理が実行される。このときには、ＣＰＵ１３１がＲＯＭ１３２から固定データを読み出す固定データ読出動作や、ＣＰＵ１３１がＲＡＭ１３３に各種の変動データを書き込んで一時記憶させる変動データ書込動作、ＣＰＵ１３１がＲＡＭ１３３に一時記憶されている各種の変動データを読み出す変動データ読出動作、ＣＰＵ１３１が入出力ポート１３６を介して演出制御用マイクロコンピュータ１２０の外部から各種信号の入力を受け付ける受信動作、ＣＰＵ１３１が入出力ポート１３６を介して演出制御用マイクロコンピュータ１２０の外部へと各種信号を出力する送信動作なども行われる。
【０１４５】
この実施の形態において、ＣＰＵ１３１は、入出力ポート１３６から表示制御部１２１の画像処理プロセッサ１４１に対して、表示制御用のコマンド（電気信号）となる表示制御指令を出力させて伝送させる。また、ＣＰＵ１３１は、入出力ポート１３６から音制御部１２２に対して、音声データを出力させて伝送させる。さらに、ＣＰＵ１３１は、入出力ポート１３６からランプ制御部１２３に対して、ランプデータを出力させて伝送させる。加えて、ＣＰＵ１３１は、入出力ポート１３６から超音波出力制御回路３１に対して、超音波出力指令信号を出力させて伝送させる。
【０１４６】
演出制御基板１２では、例えば演出制御用マイクロコンピュータに内蔵または外付けされた乱数回路などにより、演出動作を制御するために用いられる各種の乱数値を示す数値データが更新可能にカウントされる。こうした演出動作を制御するために用いられる乱数は、演出用乱数ともいう。例えば、飾り図柄の可変表示結果となる確定飾り図柄（最終停止図柄）を決定するために用いられる最終停止図柄決定用の乱数値を示す数値データなどが、カウント可能に制御されればよい。なお、演出制御用マイクロコンピュータ１２０のＣＰＵ１３１は、例えば図２０に示す演出制御カウンタ設定部１９３に設けられたランダムカウンタといった、乱数回路とは異なるランダムカウンタを用いて、ソフトウェアにより各種の数値データを更新することで、演出用乱数となる数値データの全部または一部をカウントするようにしてもよい。あるいは、乱数回路により更新された数値データの全部または一部を用いて、スクランブル処理や演算処理といった所定の処理を実行することにより、演出用乱数の全部または一部を示す数値データが更新されるようにしてもよい。
【０１４７】
演出制御用マイクロコンピュータ１２０が備えるＲＯＭ１３２には、演出制御用のプログラムの他にも、ＣＰＵ１３１による演出動作の制御に用いられる各種のデータテーブルなどが格納されている。例えば、ＲＯＭ１３２には、ＣＰＵ１３１が各種の判定や決定、制御を行うために用意された複数の判定テーブルや決定テーブル、制御パターンテーブルを構成するテーブルデータが記憶されている。制御パターンテーブルには、画像表示装置５、スピーカ８Ｌ、８Ｒ、遊技効果ランプ９や装飾用ＬＥＤといった電飾部材、超音波出力装置３２Ｌ、３２Ｃ、３２Ｒ、さらには、演出用役物が備える可動部材などが含まれる演出装置（演出用の電気部品）を用いた演出動作の制御を行うために、演出制御パターンを構成するパターンデータが予め複数種類格納されている。こうした演出制御パターンとしては、例えば図柄変動制御パターンや予告演出制御パターン、当り時演出制御パターンなどが含まれていればよい。
【０１４８】
図柄変動制御パターンは、飾り図柄の可変表示が開始されてから最終停止図柄となる確定飾り図柄が停止表示されるまでの期間における、画像表示装置５の表示領域での飾り図柄の可変表示動作に関する制御内容を示すパターンデータなどから構成され、飾り図柄の変動パターンごとに予め複数用意されたものであればよい。また、パチンコ遊技機１における複数種類の演出モードに対応して、互いに異なる図柄変動制御パターンが用意されてもよい。こうした複数の図柄変動制御パターンはそれぞれ、最終停止図柄となる確定飾り図柄や可変表示中に仮停止表示される仮停止図柄などを用いて行われる飾り図柄の可変表示において、飾り図柄の表示位置や大きさ、飾り図柄の変動方向や変動速度などのタイムスケジュールを規定していればよい。ここで、最終停止図柄や仮停止図柄などは、主基板１１から演出制御基板１２へと伝送された変動パターン指定コマンドで指定された変動パターンなどに基づいて、可変表示の開始時に決定されるものであればよい。また、図柄変動制御パターンのタイムスケジュールには、例えばリーチ演出などに含まれる特別演出が実行されるときに、カメラ３３による撮影動作を有効化する撮影有効期間の設定、所定動作検知時における演出動作の切替設定などが含まれてもよい。
【０１４９】
予告演出制御パターンは、予告演出における演出動作の制御内容を示すパターンデータなどから構成され、予告演出における演出動作の内容に応じた予告演出パターンごとに予め複数用意されたものであればよい。例えば、複数の予告演出制御パターンはそれぞれ、「キャラクタ予告」の予告演出を実行するために予め用意された複数の予告パターンや、「操作時予告」の予告演出を実行するために予め用意された複数の予告パターンのいずれかに対応して、演出画像の表示位置や大きさ、更新表示手順、操作ボタン３０に対する操作行為を有効に検出する操作有効期間の設定、カメラ３３による撮影動作を有効化する撮影有効期間の設定、操作検出時や所定動作検知時における演出動作の切替設定などのタイムスケジュールを規定していればよい。
【０１５０】
当り時演出制御パターンは、特図ゲームにおける可変表示結果（特図表示結果）が「大当り」や「小当り」となった後に、大当り遊技状態や小当り遊技状態に制御される期間などにおける演出動作の制御内容を示すパターンデータなどから構成され、特図表示結果が「大当り」であるか「小当り」であるかや、大当り種別が「非確変」または「確変」であるか「突確」であるか、さらには、大当り中昇格演出の有無などに応じて予め複数用意されたものであればよい。
【０１５１】
図１６（Ａ）は、こうした各種の演出制御パターンの構成例を示している。図１６（Ａ）に示す構成例において、演出制御パターンは、例えば演出制御プロセスタイマ判定値、表示制御データ、音声制御データ、ランプ制御データ、超音波出力制御データ、終了コードといった、各種の演出動作を制御するための制御データとなるプロセスデータから構成され、時系列的に、各種の演出制御の内容や、演出制御の切換タイミング等が設定されていればよい。
【０１５２】
演出制御プロセスタイマ判定値は、図２０に示す演出制御タイマ設定部１９２に設けられた演出制御プロセスタイマの格納値である演出制御プロセスタイマ値と比較される値（判定値）であって、各演出動作の実行時間（演出時間）に対応した判定値が予め設定されている。なお、演出制御プロセスタイマ判定値に代えて、例えば主基板１１から所定の演出制御コマンドを受信したことや、ＣＰＵ１３１において演出動作を制御するための処理として所定の処理が実行されたことといった、所定の制御内容や処理内容に対応して、演出制御の切換タイミング等を示すデータが設定されていてもよい。
【０１５３】
表示制御データには、例えば飾り図柄の可変表示中における各飾り図柄の変動態様を示すデータといった、画像表示装置５の表示領域における演出画像の表示態様を示すデータが含まれている。すなわち、表示制御データは、画像表示装置５の表示領域における演出画像の表示動作を指定するデータである。音声制御データには、例えば飾り図柄の可変表示中における飾り図柄の可変表示動作に連動した効果音等の出力態様を示すデータといった、スピーカ８Ｌ、８Ｒからの音声出力態様を示すデータが含まれている。すなわち、音声制御データは、スピーカ８Ｌ、８Ｒからの音声出力動作を指定するデータである。ランプ制御データには、例えば遊技効果ランプ９や装飾用ＬＥＤといった、電飾部材の点灯動作態様を示すデータが含まれている。すなわち、ランプ制御データは、電飾部材の点灯動作を指定するデータである。超音波出力制御データには、例えば飾り図柄の可変表示中における演出画像の表示動作や検知対象物の検知結果などに連動した超音波信号の出力態様を示すデータといった、超音波出力装置３２Ｌ、３２Ｃ、３２Ｒからの超音波出力態様を示すデータが含まれている。すなわち、超音波出力制御データは、超音波出力装置３２Ｌ、３２Ｃ、３２Ｒからの超音波信号出力動作を指定するデータである。
【０１５４】
なお、これらの制御データは、全ての演出制御パターンに含まれなければならないものではなく、各演出制御パターンによる演出動作の内容に応じて、一部の制御データを含んで構成される演出制御パターンがあってもよい。また、演出制御パターンに含まれる複数種類のプロセスデータでは、各タイミングで実行される演出動作の内容に応じて、それぞれのプロセスデータを構成する制御データの種類が異なっていてもよい。すなわち、表示制御データや音声制御データ、ランプ制御データ、超音波出力制御データの全部を含んで構成されたプロセスデータもあれば、これらの一部を含んで構成されたプロセスデータもあってよい。さらに、例えば操作ボタン３０に対する操作を検出した場合の演出動作を指定する操作検出制御データや、例えば遊技領域の内部または外部に設けられた演出用の可動部材の動作態様を指定する演出用可動部材制御データといった、その他の各種制御データが含まれることがあってもよい。
【０１５５】
図１６（Ｂ）は、演出制御パターンの内容に従って実行される各種の演出動作を示している。演出制御用マイクロコンピュータ１２０のＣＰＵ１３１は、演出制御パターンに含まれる各種の制御データに従って、演出動作の制御内容を決定する。例えば、演出制御プロセスタイマ値が演出制御プロセスタイマ判定値のいずれかと合致したときには、その演出制御プロセスタイマ判定値と対応付けられた表示制御データにより指定される態様で飾り図柄を表示させるとともに、キャラクタ画像や背景画像といった演出画像を画像表示装置５の表示領域に表示させる制御を行う。また、音声制御データにより指定される態様でスピーカ８Ｌ、８Ｒから音声を出力させる制御を行うとともに、ランプ制御データにより指定される態様で遊技効果ランプ９等の電飾部材を点滅させる制御を行い、超音波出力制御データにより指定される態様で超音波出力装置３２Ｌ、３２Ｃ、３２Ｒから超音波信号を出力させる制御を行う。なお、演出制御プロセスタイマ判定値と対応していても制御対象にならない演出用部品に対応するデータには、ダミーデータ（制御を指定しないデータ）が設定されてもよい。
【０１５６】
演出制御用マイクロコンピュータ１２０のＣＰＵ１３１は、例えば飾り図柄の可変表示を開始するときなどに、変動パターン指定コマンドに示された変動パターンなどに基づいて演出制御パターンをセットする。ここで、演出制御パターンをセットする際には、該当する演出制御パターンを構成するパターンデータを、ＲＯＭ１３２から読み出してＲＡＭ１３３の所定領域に一時記憶させてもよいし、該当する演出制御パターンを構成するパターンデータのＲＯＭ１３２における記憶アドレスを、ＲＡＭ１３３の所定領域に一時記憶させて、ＲＯＭ１３２における記憶データの読出位置を指定するだけでもよい。その後、演出制御プロセスタイマ値が更新されるごとに、演出制御プロセスタイマ判定値のいずれかと合致したか否かの判定を行い、合致した場合には、対応する各種の制御データに応じた演出動作の制御を行う。
【０１５７】
こうして、演出制御用マイクロコンピュータ１２０のＣＰＵ１３１は、演出制御パターンに含まれるプロセスデータ＃１〜プロセスデータ＃ｎ（ｎは任意の整数）の内容に従って、演出装置（画像表示装置５、スピーカ８Ｌ、８Ｒ、遊技効果ランプ９等の電飾部材、演出用の可動部材など）の制御を進行させる。なお、各プロセスデータ＃１〜プロセスデータ＃ｎにおいて、演出制御プロセスタイマ判定値＃１〜＃ｎと対応付けられた表示制御データ＃１〜表示制御データ＃ｎ、音声制御データ＃１〜音声制御データ＃ｎ、ランプ制御データ＃１〜ランプ制御データ＃ｎ、超音波出力制御データ＃１〜超音波出力制御データ＃ｎは、演出装置における演出動作の制御内容を示し、演出制御の実行を指定する演出制御実行データ＃１〜演出制御実行データ＃ｎを構成する。このようにセットした演出制御パターンに従った指令が、演出制御用マイクロコンピュータ１２０から表示制御部１２１や音制御部１２２、ランプ制御部１２３の他、超音波出力制御回路３１などに対して出力される。
【０１５８】
また、ＲＯＭ１３２に記憶される制御パターンテーブルには、例えば演出制御パターンの一種などとして、特別演出となる演出動作を実行するための特別演出パターンを構成するパターンデータが予め複数種類格納されていればよい。ここで、特別演出パターンは、例えば図柄変動制御パターンや当り時演出制御パターンといった他の演出制御パターンの一部に含まれるように構成されてもよいし、これらの演出制御パターンとは別個に構成され、例えば図柄変動制御パターンや当り時演出動作制御パターンによる演出動作制御中に所定条件が成立して特別演出の開始タイミングとなったことに対応して、特別演出パターンによる演出動作制御を実行するための処理（例えば図３０に示す特別演出制御処理など）が呼び出されるようにしてもよい。
【０１５９】
加えて、ＲＯＭ１３２には、特別演出を実行するための特別演出パターンを予め用意された複数パターンのうちから決定するための特別演出パターン決定テーブルが記憶されていればよい。一例として、スーパーリーチＡ〜スーパーリーチＤといったスーパーリーチとなるリーチ演出が実行されるときに、所定条件が成立して実行が開始される特別演出における特別演出パターンを決定するためのリーチ演出用となる特別演出パターン決定テーブルとして、図１７（Ａ）に示すような特別演出パターン決定テーブル１６０が、ＲＯＭ１３２の所定領域に記憶されていればよい。
【０１６０】
図１７（Ａ）に示す特別演出パターン決定テーブル１６０では、スーパーリーチＡ〜スーパーリーチＤといった複数種類のスーパーリーチとなるリーチ演出と、「ハズレ」及び「大当り」及び「小当り」のいずれかといった複数種類の特図表示結果と、予め用意された複数種類の特別演出パターンとが、対応付けられている。ここで、スーパーリーチＡ〜スーパーリーチＤといった複数種類のスーパーリーチとなるリーチ演出は、主基板１１から伝送された変動パターン指定コマンドに示される変動パターンなどに対応して、いずれかを特定することができる。また、「ハズレ」及び「大当り」及び「小当り」のいずれかといった複数種類の特図表示結果は、主基板１１から伝送された可変表示結果通知コマンドなどに対応して、いずれかを特定することができる。
【０１６１】
特別演出パターン決定テーブル１６０では、リーチ演出や特図表示結果に応じて、特別演出パターン決定用の乱数値ＳＲ１と比較される数値（決定値）が、複数の特別演出パターンに割り当てられている。特別演出パターン決定用の乱数値ＳＲ１を示す数値データは、例えば演出制御カウンタ設定部１９３のランダムカウンタなどによりカウントされ、「１」〜「１００」の範囲の値をとる。
【０１６２】
例えばリーチ演出がスーパーリーチＡである場合に対応して用意された特別演出パターンのうち、特別演出パターンＳＰＡ１−１、特別演出パターンＳＰＡ２−１、特別演出パターンＳＰＡ３−１は、互いに共通する演出動作を含んでいればよい。また、特別演出パターンＳＰＡ１−２、特別演出パターンＳＰＡ２−２、特別演出パターンＳＰＡ３−２は、特別演出パターンＳＰＡ１−１などとは異なり、互いに共通する演出動作を含んでいればよい。そして、リーチ演出が同一であっても、特図表示結果に応じて特別演出パターンに対する決定値の割当てが異なっている。したがって、スーパーリーチＡ〜スーパーリーチＤといったスーパーリーチのリーチ演出における演出動作の態様（演出内容）に応じて、特図表示結果が「大当り」となる可能性（大当り信頼度）などを異ならせることができる。
【０１６３】
図１７（Ｂ）は、特別演出パターンの構成例を示している。図１７（Ｂ）に示す構成例において、特別演出パターンは、特別演出の実行中に遷移可能な複数の演出動作状態Ａ００、Ａ０１、…ごとに、複数種類の動作検知パターンと演出制御実行データとを対応付けるパターンデータを含むように構成されている。ここで、特別演出の実行中に遷移可能な複数の演出動作状態Ａ００、Ａ０１は、例えば特別演出となる演出動作を所定時間ごとに区切った（細分化した）複数の区分演出動作にそれぞれ対応する動作状態などであればよい。また、特別演出パターンに含まれる動作検知パターンは、カメラ３３での撮影により生成された撮影画像データなどに基づいて検知対象物の動作態様を検知するためのパターンデータを含むように構成されている。特別演出パターンに含まれる演出制御実行データは、例えば図１６（Ａ）に示した演出制御パターンに含まれる演出制御実行データ＃１〜＃ｎなどと同様の制御データであればよい。
【０１６４】
検知対象物の動作態様を検知するためのパターンデータは、例えば撮影画像における検知対象物の動作態様との類似度（相関性）を算定して動作態様を検知するマッチングに使用可能なテンプレートとして、予め用意されていればよい。こうしたパターンデータとしては、例えば撮影画像を解析して特定される動きベクトルの方向などに対応して検知対象物の動作方向を検知するための動作方向検知パターンを示すデータ、撮影画像を解析して特定される動きベクトルの大きさなどに対応して検知対象物の動作速度（動作加速度でもよい）を検知するための動作速度検知パターンを示すデータ、撮影画像を解析して特定される所定色相や所定明度の輪郭（エッジ）などに対応して検知対象物の形状変化を検知するための形状変化検知パターンを示すデータ、あるいは、これらの一部または全部を含むデータなどであればよい。マッチングにおいて類似度を算定する処理としては、例えばハミング距離を計算する処理、離散コサイン変換（ＤＣＴ：Discrete Cosine Transform）やＫＬ（Karhunen-Loeve）変換もしくは２次元離散フーリエ変換（ＤＦＴ：Discrete Fourier Transform）を適用してユークリッド距離を計算する処理、２次元ウェーブレット変換を適用して所定のパターン間距離を計算する処理、遺伝的アルゴリズム（ＧＡ：Generic Algorithm）を適用して最適解を探索する処理、あるいは、これらの一部または全部を適宜選択して実行する処理といった、任意の処理が実行されればよい。
【０１６５】
特別演出の実行中に予め定められた複数の演出動作状態Ａ００、Ａ０１、…のいずれかとなったときには、特別演出パターンにおいて当該演出動作状態と対応付けられた複数の動作検知パターンを順次に選択して撮影画像における検知対象物の動作態様とのマッチングが行われ、類似度が最も高い動作検知パターンに対応した動作態様が検知されたものとすればよい。そして、類似度が最も高いとされた動作検知パターンと対応付けられた演出制御実行データに基づく演出動作制御を行って、新たな演出動作状態へと移行させることで、特別演出における演出動作を進行させればよい。
【０１６６】
こうして、例えば図１８に示すように、特別演出の実行中には、検知対象物の動作態様が検知された結果に応じて、複数の演出動作状態Ａ００、Ａ０１、…の間を遷移することができればよい。図１８に示す状態遷移例では、左側から右側へ向かって演出動作状態が遷移するものとしている。このときには、動作態様の検知結果によっては、例えば図１８に示す演出動作状態Ａ００と演出動作状態Ａ１１とを接続する鎖線のように、所定の演出動作状態（例えば演出動作状態Ａ０１）をジャンプ（跳躍）して次の演出動作状態に遷移することがあるようにしてもよい。また、動作態様の検知結果によっては、例えば図１８に示す演出動作状態Ａ０２と演出動作状態Ａ１Ｘとを接続する鎖線のように、互いに異なる演出動作状態（例えば演出動作状態Ａ０１と演出動作状態Ａ０２）から同一の演出動作状態（例えば演出動作状態Ａ１Ｘ）に遷移できるようにしてもよい。また、例えば類似度が所定範囲内となる動作検知パターンがない場合などには、図１８に示す演出動作状態Ａ２Ｘに両端が接続された鎖線のように、演出動作状態が遷移しないことがあるようにしてもよい。さらに、動作態様の検知結果によっては、以前の演出動作状態に戻るように遷移することがあるようにしてもよい。
【０１６７】
特別演出パターンに対応する特別演出となる演出動作の一部として、遊技者に所定の触感を与えるための超音波信号を超音波出力装置３２Ｌ、３２Ｃ、３２Ｒから出力させる。ここで、超音波信号の出力設定を、使用パターンに選択された特別演出パターンに応じて異ならせる。図１９は、特別演出パターンに応じた超音波信号の出力設定例を示している。
【０１６８】
図１９に示す出力設定例では、超音波信号の出力を開始する開始タイミングや、駆動周波数、駆動振幅、照射位置を、スーパーリーチＡ〜スーパーリーチＤのリーチ演出のうちいずれに対応する特別演出パターンであるかに応じて、異ならせている。また、リーチ演出が同一であっても、使用パターンとして選択された特別演出パターンに応じて、超音波信号を出力する開始タイミング、駆動周波数、駆動振幅、照射位置のいずれかを異ならせている。一例として、スーパーリーチＡのリーチ演出に対応した特別演出パターンのうち、特別演出パターンＳＰＡ１−１、特別演出パターンＳＰＡ２−１、特別演出パターンＳＰＡ３−１のいずれかが選択された場合と、特別演出パターンＳＰＡ１−２、特別演出パターンＳＰＡ２−２、特別演出パターンＳＰＡ３−２のいずれかが選択された場合とでは、超音波信号の出力が開始される開始タイミングが異なっている。
【０１６９】
図１７（Ａ）に示す特別演出パターン決定テーブル１６０では、例えばリーチ演出がスーパーリーチＡである場合に、特別演出パターンＳＰＡ１−１、特別演出パターンＳＰＡ２−１、特別演出パターンＳＰＡ３−１のいずれかに決定された場合と比べて、特別演出パターンＳＰＡ１−２、特別演出パターンＳＰＡ２−２、特別演出パターンＳＰＡ３−２のいずれかに決定された場合の方が、特図表示結果が「大当り」となる可能性（大当り信頼度）が高くなるように、各特別演出パターンに決定値が割り当てられている。したがって、スーパーリーチＡのリーチ演出において、超音波信号の出力が開始される開始タイミングに応じて大当り信頼度を異ならせることができる。その他にも、超音波信号を出力する際の駆動周波数や駆動振幅、照射位置などに応じて、大当り信頼度を異ならせることができる。このように、特別演出において照射される超音波信号の出力設定を異ならせることにより、遊技者に与える触感を大当り信頼度に応じて異ならせることができればよい。
【０１７０】
図１９に示す出力設定例において、超音波信号を出力する際の駆動周波数は、例えば数十ｋＨｚ（例えば４０ｋＨｚなど）〜数十ＭＨｚ（例えば２０ＭＨｚなど）の範囲でいずれかの周波数に設定されればよい。また、超音波信号を搬送波とし、その振幅を数Ｈｚ（例えば１Ｈｚ）〜数ｋＨｚ（例えば２ｋＨｚ）の範囲におけるいずれかの周波数で変調（振幅変調）してもよい。超音波信号を出力する際の駆動振幅は、例えば遊技者の皮膚表面に数十Ｐａ（例えば２０Ｐａなど）以上の音圧を与えられる振幅に設定されればよい。超音波信号の照射位置は、例えば円形透視窓が開設されたガラス扉枠の前方（遊技者側）において、パチンコ遊技機１から離間した所定の照射領域内で設定されればよい。超音波信号の照射領域は、超音波出力装置３２Ｌ、３２Ｃ、３２Ｒが備える複数の超音波振動子３２Ａから出力（放射）された超音波信号を集束可能な領域として、予め定められていればよい。
【０１７１】
なお、超音波信号を出力する際の開始タイミング、駆動周波数、駆動振幅、照射位置のいずれかを異ならせるものに限定されず、例えば超音波信号を出力する際の終了タイミングを含めた照射期間、照射回数、照射間隔、照射範囲、駆動周波数や駆動振幅の変化範囲といった、任意な出力設定を異ならせたものであればよい。
【０１７２】
超音波出力装置３２Ｌ、３２Ｃ、３２Ｒを設ける構成に代えて、あるいはこのような構成とともに、上皿形成部材と下皿形成部材との間の所定位置に超音波出力装置を配置した場合には、例えば上皿形成部材と下皿形成部材との間において、パチンコ遊技機１から離間した所定の照射領域内で超音波信号の照射位置が設定されてもよい。
【０１７３】
特別演出パターンに対応する特別演出となる演出動作の一部としては、例えば操作ボタン３０などの接触型の操作部材を所定の振動態様で振動させることにより、遊技者に所定の触感をあたえるものが含まれていてもよい。そして、操作ボタン３０のような接触型の操作部材を振動させることにより遊技者に所定の触感を与えるための演出動作が実行された場合と、超音波信号を出力することにより遊技者に所定の触感を与えるための演出動作が実行された場合とでは、特図表示結果が「大当り」となる可能性（大当り信頼度）などを異ならせるようにしてもよい。このように、特図表示結果が「大当り」となるか否かの決定結果に基づいて、接触型の操作部材を振動させることにより遊技者に所定の触感を与えるための演出動作を実行するか、超音波信号を出力することにより遊技者に所定の触感を与えるための演出動作を実行するかが、決定されるようにしてもよい。また、接触型の操作部材を振動させることにより遊技者に所定の触感を与えるための演出動作を実行するか、超音波信号を出力することにより遊技者に所定の触感を与えるための演出動作を実行するかの決定割合を、特図表示結果が「大当り」となるか否かの決定結果に応じて異ならせるようにしてもよい。
【０１７４】
図１５に示す演出制御用マイクロコンピュータ１２０が備えるＲＡＭ１３３には、演出動作を制御するために用いられる各種のデータを保持する領域として、例えば図２０に示すような演出制御用データ保持エリア１９０が設けられている。図２０に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０１７５】
演出制御フラグ設定部１９１には、例えば画像表示装置５の表示領域における演出画像の表示状態といった演出動作状態や主基板１１から伝送された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。
【０１７６】
演出制御タイマ設定部１９２には、例えば画像表示装置５の表示領域における演出画像の表示動作といった各種演出動作の進行を制御するために用いられる複数種類のタイマが設けられている。例えば、演出制御タイマ設定部１９２には、複数種類のタイマそれぞれにおけるタイマ値を示すデータが記憶される。
【０１７７】
演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。
【０１７８】
演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０１７９】
図１５に示す演出制御用マイクロコンピュータ１２０が備える発振回路１３４は、ＣＰＵ１３１に基準クロック信号を提供する。リセット回路１３５は、ＣＰＵ１３１をリセットするためのリセット信号を出力する。入出力ポート１３６は、演出制御用マイクロコンピュータ１２０に伝送された各種信号を取り込むための入力ポートと、演出制御用マイクロコンピュータ１２０の外部へと各種信号を伝送するための出力ポートとを含んで構成されている。例えば、入出力ポート１３６の出力ポートからは、表示制御部１２１へと伝送される表示制御指令や、音制御部１２２へと伝送される音声データ、ランプ制御部１２３へと伝送されるランプデータ、超音波出力制御回路３１へと伝送される超音波出力指令信号などが出力される。また、入出力ポート１３６の入力ポートには、中継基板１３を介して主基板１１から伝送された演出制御コマンドや、表示制御部１２２の画像処理プロセッサ１４１から伝送された各種情報などが入力される。
【０１８０】
図１５に示す表示制御部１２２には、画像処理プロセッサ１４１と、画像データメモリ１４２と、ＶＲＡＭ（Video RAM）１４３とが含まれている。画像処理プロセッサ１４１は、例えばＶＤＰ（Video Display Processor）やＧＰＵ（Graphics Processing Unit）、ＧＣＬ（Graphics Controller LSI）、あるいは、より一般的にＤＳＰ（Digital Signal Processor）と称されるマイクロプロセッサを用いて構成され、画像表示装置５の表示領域に各種画像を表示させるための高速描画機能や動画像デコード機能といった画像データ処理機能を有し、演出制御用マイクロコンピュータ１２０からの表示制御指令に従った画像データ処理を実行する。また、この実施の形態では、カメラ３３から伝送された撮影画像データに基づいて、遊技者の左手といった検知対象物の動作態様を検知する画像データ処理の一部または全部が、画像処理プロセッサ１４１により実行される。なお、検知対象物の動作態様を検知する画像データ処理は、演出制御用マイクロコンピュータ１２０のＣＰＵ１３１と表示制御部１２１の画像処理プロセッサ１４１とが協働して実行されるものであってもよい。画像処理プロセッサ１４１は、演出制御用マイクロコンピュータ１２０のＣＰＵ１３１とは独立して表示制御部１２１に設けられて演出制御用マイクロコンピュータ１２０に外付けされるものであってもよいし、演出制御用マイクロコンピュータ１２０に内蔵されるものであってもよい。画像処理プロセッサ１４１が演出制御用マイクロコンピュータ１２０に内蔵される場合には、カメラ３３からの撮影画像データを伝送する配線が、演出制御用マイクロコンピュータ１２０の入出力ポート１３６に接続されるようにすればよい。
【０１８１】
画像データメモリ１４２は、例えばフラッシュメモリなどの半導体メモリや磁気メモリ、光学メモリといった不揮発性の記録媒体を用いて構成され、画像表示装置５の表示領域に各種画像を表示するために使用される画像データを予め複数種類記憶する。例えば、画像データメモリ１４２が記憶する画像データには、画像表示装置５において可変表示される複数種類の飾り図柄などといった、複数種類の演出画像に対応した複数種類の画像データが含まれている。ＶＲＡＭ１４３は、画像処理プロセッサ１４１により作成される画像の表示用データなどを一時記憶するフレームバッファメモリである。ＶＲＡＭ１４３に記憶される表示用データは、例えばポイント、ライン、ポリゴンなどのベクトルデータ（ベクタデータ）等に基づいて画像処理プロセッサ１４１が作成したピクセルデータ（ラスタデータ）などであればよい。
【０１８２】
図４に示す演出制御基板１２に搭載された音制御部１２２は、例えば演出制御用マイクロコンピュータ１２０から受けた音声データに対応する音声信号を生成し、スピーカ８Ｌ、８Ｒに供給することによって音声を出力させる。例えば、音制御部１２２は、入出力ドライバや音声合成用ＩＣ、音声データＲＯＭ、増幅回路、ボリュームなどを備える。一例として、音制御部１２２では、演出制御用マイクロコンピュータ１２０から伝送された音声データが入出力ドライバを介して音声合成用ＩＣに入力される。音声合成用ＩＣは、音声データに応じた音声や効果音を生成し増幅回路に出力する。増幅回路は、音声合成用ＩＣの出力レベルを、ボリュームで設定されている音量に応じたレベルに増幅した音声信号を、スピーカ８Ｌ、８Ｒに出力する。音声データＲＯＭには、音声データに対応する制御データが予め複数種類格納されており、音声合成用ＩＣが音声データに示される音番号などに応じた制御データを読み出して、音声や効果音が生成される。音声データＲＯＭの記憶データは、所定期間における音声や効果音の出力態様を時系列的に示すデータなどから構成されていればよい。
【０１８３】
演出制御基板１２に搭載されたランプ制御部１２３は、例えば演出制御用マイクロコンピュータ１２０から受けたランプデータに対応するランプ駆動信号を生成し、遊技効果ランプ９や各種の装飾用ランプ、ＬＥＤ等の電飾部材に供給することによって点灯／消灯切換を行う。例えば、ランプ制御部１２３は、入出力ドライバやランプドライバなどを備える。一例として、ランプ制御部１２３では、演出制御用マイクロコンピュータ１２０から伝送されたランプデータが入出力ドライバを介してランプドライバに入力される。ランプドライバは、ランプデータに対応する電飾信号を増幅して遊技効果ランプ９などの電飾部材に供給する。
【０１８４】
音制御部１２２は、演出制御基板１２の外部に設置された音声制御基板などに搭載されてもよい。また、ランプ制御部１２３は、演出制御基板１２の外部に設置されたランプ制御基板などに搭載されてもよい。さらに、音制御部１２２とランプ制御基板１２３は、演出制御基板１２の外部に設置された単一の制御基板に両者が搭載されてもよいし、演出制御基板１２の外部に設置された複数の制御基板に別個に搭載されてもよい。
【０１８５】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１１１によって遊技制御メイン処理となる所定の処理が実行される。遊技制御メイン処理を開始すると、ＣＰＵ１１１は、割込禁止に設定した後、必要な初期設定を行う。この初期設定では、例えば、電源基板などに搭載されたクリアスイッチが押圧操作されたか否かの判定を行い、押圧操作された場合には、ＲＡＭ１１３をクリアした後に所定の作業領域に初期値を設定するなどの初期設定処理が実行される。これに対して、クリアスイッチが押圧操作されていない場合には、ＲＡＭ１１３のバックアップ領域における記憶内容などに基づき、チェックサムを算出した結果とチェックサムバッファの内容とが一致した場合などに、主基板１１の内部状態をパチンコ遊技機１にて電源断が生じる前の状態に戻すための復旧処理が実行される。
【０１８６】
また、遊技制御メイン処理では、遊技制御用マイクロコンピュータ１００に内蔵されたＣＴＣ（カウンタ／タイマ回路）のレジスタ設定を行う。これにより、以後、例えば２ｍｓ（ミリ秒）といった所定時間ごとにＣＴＣから割込み要求信号がＣＰＵ１１１へ送出され、ＣＰＵ１１１は定期的にタイマ割込み処理を実行することができる。初期設定処理や復旧処理が終了すると、割込みを許可した後、ループ処理に入る。こうした遊技制御メイン処理を実行したＣＰＵ１１１は、ＣＴＣからの割込み要求信号を受信して割込み要求を受け付けると、図２１のフローチャートに示す遊技制御用タイマ割込み処理を実行する。
【０１８７】
図２１に示す遊技制御用タイマ割込み処理を開始すると、ＣＰＵ１１１は、まず、所定のスイッチ処理を実行することにより、スイッチ回路１０１を介してゲートスイッチ２１、始動口スイッチ２２、カウントスイッチ２３といった各種スイッチから入力される検出信号の状態を判定する（ステップＳ１１）。続いて、所定のメイン側エラー処理を実行することにより、パチンコ遊技機１の異常診断を行い、その診断結果に応じて必要ならば警告を発生可能とする（ステップＳ１２）。この後、所定の情報出力処理を実行することにより、例えばパチンコ遊技機１の外部に設置されたホール管理用コンピュータに供給される大当り情報、始動情報、確率変動情報などのデータを出力する（ステップＳ１３）。
【０１８８】
情報出力処理に続いて、主基板１１の側で用いられる乱数値ＭＲ１〜ＭＲ５といった遊技用乱数の少なくとも一部をソフトウェアにより更新するための遊技用乱数更新処理を実行する（ステップＳ１４）。この後、ＣＰＵ１１１は、特別図柄プロセス処理を実行する（ステップＳ１５）。特別図柄プロセス処理では、遊技制御フラグ設定部１５２に設けられた特図プロセスフラグの値をパチンコ遊技機１における遊技の進行状況に応じて更新し、特別図柄表示装置４における表示動作の制御や、特別可変入賞球装置７における大入賞口の開閉動作設定などを、所定の手順で行うために、各種の処理が選択されて実行される。
【０１８９】
特別図柄プロセス処理に続いて、普通図柄プロセス処理が実行される（ステップＳ１６）。ＣＰＵ１１１は、普通図柄プロセス処理を実行することにより、普通図柄表示器２０における表示動作（例えばＬＥＤの点灯、消灯など）を制御して、普通図柄の可変表示や普通可変入賞球装置６における可動翼片の傾動動作設定などを可能にする。普通図柄プロセス処理を実行した後、ＣＰＵ１１１は、コマンド制御処理を実行することにより、主基板１１から演出制御基板１２などのサブ側の制御基板に対して制御コマンドを伝送させる（ステップＳ１７）。一例として、コマンド制御処理では、遊技制御バッファ設定部１５５に設けられた送信コマンドバッファの値によって指定されたコマンド送信テーブルにおける設定に対応して、入出力ポート１１５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０１９０】
図２２は、特別図柄プロセス処理として、図２１に示すステップＳ１５にて実行される処理の一例を示すフローチャートである。この特別図柄プロセス処理において、ＣＰＵ１１１は、まず、始動入賞判定処理を実行する（ステップＳ１０１）。図２３は、ステップＳ１０１にて実行される始動入賞判定処理の一例を示すフローチャートである。
【０１９１】
図２３に示す始動入賞判定処理において、ＣＰＵ１１１は、まず、始動口スイッチ２２がオンとなったか否かを判定する（ステップＳ２０１）。一例として、ステップＳ２０１では、所定の入力ポートレジスタに格納された入力ポートデータを読み出し、所定のビット番号におけるビット値が“１”であるか否かを判定することにより、始動口スイッチ２２から伝送される検出信号となる始動入賞信号の入力状態（オン／オフ）を判定すればよい。このときには、ノイズ等による誤検出を防止するために、始動入賞信号が複数回（例えば２回）のタイマ割込みにわたって連続してオンであると判定されたときに、始動口スイッチ２２がオンとなった旨の判定を行うようにしてもよい。入力ポートレジスタは、例えば入出力ポート１１５に含まれる所定の入力ポートにおける外部信号の入力状態を示すビット値などが格納されるレジスタであり、図２１に示したステップＳ１１のスイッチ処理の実行結果などに対応して、格納値が更新されるものであればよい。
【０１９２】
ステップＳ２０１にて始動口スイッチ２２がオフであるときには（ステップＳ２０１；Ｎｏ）、始動入賞判定処理を終了する。これに対して、始動口スイッチ２２がオンであるときには（ステップＳ２０１；Ｙｅｓ）、特図保留記憶数が所定の上限値（例えば「４」）に達しているか否かを判定する（ステップＳ２０２）。一例として、ステップＳ２０２の処理では、遊技制御カウンタ設定部１５４に設けられた特図保留記憶数カウンタの格納値である特図保留記憶数カウント値を読み出し、その読出値を上限値と比較することにより、上限値に達しているか否かが判定されればよい。このとき、特図保留記憶数が上限値に達していなければ、特図ゲームや飾り図柄の可変表示を実行するための始動条件が有効に成立することになる。
【０１９３】
ステップＳ２０２にて特図保留記憶数が上限値に達しているときには（ステップＳ２０２；Ｙｅｓ）、始動入賞判定処理を終了する。これに対して、上限値に達していないときには（ステップＳ２０２；Ｎｏ）、例えば特図保留記憶数カウント値を１加算することなどにより、特図保留記憶数を１加算するように更新する（ステップＳ２０３）。続いて、ＣＰＵ１１１は、乱数回路１１４やランダムカウンタによって更新される遊技用乱数を示す数値データのうちから、特図表示結果決定用の乱数値ＭＲ１や大当り種別決定用の乱数値ＭＲ２を示す数値データを抽出する（ステップＳ２０４）。その他に、変動パターン決定用の乱数値ＭＲ３を示す数値データや、変動パターン種別決定用の乱数値を示す数値データなどが、抽出されるようにしてもよい。
【０１９４】
そして、ステップＳ２０４にて抽出した各乱数値を示す数値データが、保留データとして特図保留記憶部１５１における空きエントリの先頭にセットされることで、各乱数値が記憶される（ステップＳ２０５）。その後、特図保留記憶数通知コマンドを送信するための設定を行ってから（ステップＳ２０６）、始動入賞判定処理を終了する。ステップＳ２０６の処理では、例えばＲＯＭ１１２における特図保留記憶数通知コマンドテーブルの記憶アドレスを送信コマンドバッファにおいて送信コマンドポインタによって指定されたバッファ領域に格納することなどにより、主基板１１から演出制御基板１２に対して特図保留記憶数通知コマンドを送信するための設定が行われればよい。こうして設定された特図保留記憶数通知コマンドは、例えば特別図柄プロセス処理が終了した後、図２１に示すステップＳ１７のコマンド制御処理が実行されることなどにより、主基板１１から演出制御基板１２に対して伝送される。特図保留記憶数通知コマンド以外の演出制御コマンドを送信するときにも、同様の設定により主基板１１から演出制御基板１２への伝送が可能になればよい。
【０１９５】
図２２に示すステップＳ１０１にて以上のような始動入賞判定処理を実行した後、ＣＰＵ１１１は、遊技制御フラグ設定部１５２に設けられた特図プロセスフラグの値に応じて、以下のようなステップＳ１１０〜Ｓ１２０の各処理を実行する。
【０１９６】
ステップＳ１１０の特別図柄通常処理は、特図プロセスフラグの値が“０”のときに実行される。この特別図柄通常処理では、特図保留記憶部１５１に記憶されている保留データの有無などに基づいて、特別図柄表示装置４による特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」や「小当り」とするか否かを、その可変表示結果が導出表示される以前に決定（事前決定）する。さらに、特別図柄通常処理では、特図ゲームにおける特別図柄の可変表示結果に対応して、特別図柄表示装置４による特図ゲームにおける確定特別図柄（大当り図柄、小当り図柄、ハズレ図柄のいずれか）が設定される。
【０１９７】
ステップＳ１１１の変動パターン設定処理は、特図プロセスフラグの値が“１”のときに実行される。この変動パターン設定処理には、可変表示結果を「大当り」や「小当り」とするか否かの事前決定結果などに基づいて、変動パターンを複数種類のいずれかに決定する処理などが含まれている。
【０１９８】
ステップＳ１１２の特別図柄変動処理は、特図プロセスフラグの値が“２”のときに実行される。この特別図柄変動処理には、特別図柄表示装置４において特別図柄が変動を開始してからの経過時間を計測する処理などが含まれている。例えば、ステップＳ１１２の特別図柄変動処理が実行されるごとに、遊技制御タイマ設定部１５３に設けられた特図変動タイマにおける格納値である特図変動タイマ値を１減算あるいは１加算して、特別図柄表示装置４による特図ゲームを開始してからの経過時間が計測される。また、計測された経過時間が変動パターンに対応する特図変動時間に達したか否かの判定も行われる。そして、特別図柄の変動を開始してからの経過時間が特図変動時間に達したときには、特図プロセスフラグの値を“３”に更新する。
【０１９９】
ステップＳ１１３の特別図柄停止処理は、特図プロセスフラグの値が“３”のときに実行される。この特別図柄停止処理には、特別図柄表示装置４にて特別図柄の変動を停止させ、特別図柄の可変表示結果となる確定特別図柄を停止表示させるための設定を行う処理が含まれている。そして、遊技制御フラグ設定部１５２に設けられた大当りフラグや小当りフラグがオンとなっているか否かの判定などが行われ、大当りフラグがオンである場合には特図プロセスフラグの値を“４”に更新する。また、小当りフラグがオンである場合には特図プロセスフラグの値を“８”に更新する。さらに、大当りフラグ及び小当りフラグがいずれもオフである場合には、特図プロセスフラグの値を“０”に更新する。
【０２００】
ステップＳ１１４の大入賞口開放前処理は、特図プロセスフラグの値が“４”のときに実行される。この大入賞口開放前処理には、可変表示結果が「大当り」となったことなどに基づき、大当り遊技状態においてラウンド遊技の実行を開始して大入賞口を開放状態とするための設定を行う処理などが含まれている。このときには、例えば大当り種別が「非確変」や「確変」、「突確」のいずれであるかに対応して、大入賞口を開放状態とする期間の上限を設定するようにしてもよい。一例として、大当り種別が「非確変」または「確変」であることに対応して１５ラウンド大当り状態に制御される場合には、大入賞口を開放状態とする期間の上限を「２９秒」に設定するとともに、ラウンド遊技の実行回数となる大入賞口の開放回数を「１５回」に設定する。これに対して、大当り種別が「突確」であることに対応して２ラウンド大当り状態に制御される場合には、大入賞口を開放状態とする期間の上限を「０．５秒」に設定するとともに、ラウンド遊技の実行回数となる大入賞口の開放回数を「２回」に設定する。
【０２０１】
ステップＳ１１５の大入賞口開放中処理は、特図プロセスフラグの値が“５”のときに実行される。この大入賞口開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、特別電動役物用のソレノイド８２に対するソレノイド駆動信号の供給を停止させる処理などが実行されればよい。
【０２０２】
ステップＳ１１６の大入賞口開放後処理は、特図プロセスフラグの値が“６”のときに実行される。この大入賞口開放後処理には、大入賞口を開放状態とするラウンド遊技の実行回数が大入賞口開放回数最大値に達したか否かを判定する処理や、大入賞口開放回数最大値に達した場合に当り終了指定コマンドを送信するための設定を行う処理などが含まれている。
【０２０３】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９などといった演出用の電気部品により、大当り遊技状態の終了を報知する演出動作としてのエンディング演出が実行される期間に対応した待ち時間が経過するまで待機する処理や、大当り種別に対応して確変状態や時短状態に制御するための各種の設定を行う処理などが含まれている。
【０２０４】
ステップＳ１１８の小当り開放前処理は、特図プロセスフラグの値が“８”のときに実行される。この小当り開放前処理には、可変表示結果が「小当り」となったことなどに基づき、小当り遊技状態において可変入賞動作の実行を開始して大入賞口を開放状態とするための設定を行う処理などが含まれている。このときには、例えば可変表示結果が「小当り」であることに対応して、大入賞口を開放状態とする期間の上限を「０．５秒」に設定するとともに、可変入賞動作における大入賞口の開放回数を「２回」に設定すればよい。
【０２０５】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態から閉鎖状態に戻すタイミングとなったか否かを判定する処理などが含まれている。大入賞口を閉鎖状態に戻すときには、特別電動役物用のソレノイド８２に対するソレノイド駆動信号の供給を停止させる処理などが実行されればよい。
【０２０６】
ステップＳ１２０の小当り終了処理は、特図プロセスフラグの値が“１０”のときに実行される。この小当り終了処理には、画像表示装置５やスピーカ８Ｌ、８Ｒ、遊技効果ランプ９などといった演出用の電気部品により、小当り遊技状態の終了を報知する演出動作が実行される期間に対応した待ち時間が経過するまで待機する処理などが含まれている。ここで、小当り遊技状態が終了するときには、確変フラグや時短フラグの状態を変更しないようにして、小当り遊技状態となる以前のパチンコ遊技機１における遊技状態を継続させる。
【０２０７】
図２４は、図１９のステップＳ１１０にて実行される特別図柄通常処理の一例を示すフローチャートである。図２４に示す特別図柄通常処理において、ＣＰＵ１１１は、まず、特図保留記憶数が「０」であるか否かを判定する（ステップＳ２２１）。一例として、ステップＳ２２１の処理では、特図保留記憶数カウント値を読み出し、その読出値が「０」であるか否かを判定すればよい。このとき、特図保留記憶数が「０」以外であれば、特図ゲームや飾り図柄の可変表示を開始するための開始条件が成立することになる。
【０２０８】
ステップＳ２２１にて特図保留記憶数が「０」以外であるときには（ステップＳ２２１；Ｎｏ）、特図保留記憶部１５１から保留データを読み出す（ステップＳ２２２）。このときには、特図保留記憶部１５１にて保留番号「１」と対応付けて記憶されている保留データとして、特図表示結果決定用の乱数値ＭＲ１を示す数値データと、大当り種別決定用の乱数値ＭＲ２を示す数値データとが、それぞれ読み出される。こうして読み出された乱数値ＭＲ１、ＭＲ２のそれぞれを示す数値データは、例えば遊技制御バッファ設定部１５５に設けられた特図変動用乱数値バッファに格納するなどして、ＲＡＭ１１３の所定領域に一時記憶されればよい。
【０２０９】
ステップＳ２２２の処理に続いて、例えば特図保留記憶数カウント値を１減算することなどにより、特図保留記憶数を１減算するように更新するとともに、特図保留記憶部１５１にて保留番号「１」より下位のエントリ（例えば保留番号「２」〜「４」に対応するエントリ）に記憶された保留データの記憶内容を、１エントリずつ上位にシフトさせる（ステップＳ２２３）。そして、特別図柄の可変表示結果である特図表示結果を「大当り」、「小当り」、「ハズレ」のいずれとするかを決定するための使用テーブルとして、特図表示結果決定テーブル２００を選択してセットする（ステップＳ２２４）。ＣＰＵ１１１は、こうしてセットされた特図表示結果決定テーブル２００を参照することにより、ステップＳ２２２にて読み出された特図表示結果決定用の乱数値ＭＲ１を示す数値データが、「大当り」の特図表示結果に割り当てられた決定値と合致するか否かに応じて、特図表示結果を「大当り」とするか否かを決定する（ステップＳ２２５）。
【０２１０】
ステップＳ２２５にて特図表示結果を「大当り」にすると決定されたときには（ステップＳ２２５；Ｙｅｓ）、遊技制御フラグ設定部１５２に設けられた大当りフラグをオン状態にセットする（ステップＳ２２６）。また、大当り種別を複数種類のいずれかに決定するための使用テーブルとして、大当り種別決定テーブル２０１を選択してセットする（ステップＳ２２７）。ＣＰＵ１１１は、こうしてセットされた大当り種別決定テーブル２０１を参照することにより、ステップＳ２２２にて読み出した大当り種別決定用の乱数値ＭＲ２を示す数値データに基づき、「非確変」や「確変」、「突確」といった予め複数用意された大当り種別のいずれかに決定する（ステップＳ２２８）。こうして決定された大当り種別に対応して、例えば遊技制御バッファ設定部１５５に設けられた大当り種別バッファの格納値である大当り種別バッファ値を設定する（ステップＳ２２９）。一例として、大当り種別が「非確変」であれば大当り種別バッファ値を「０」とし、「確変」であれば「１」とし、「突確」であれば「２」とすればよい。
【０２１１】
ステップＳ２２５にて「大当り」にはしないと決定されたときには（ステップＳ２２５；Ｎｏ）、特図表示結果を「小当り」とするか否かを決定する（ステップＳ２３０）。そして、「小当り」にすると決定されたときには（ステップＳ２３０；Ｙｅｓ）、遊技制御フラグ設定部１５２に設けられた小当りフラグをオン状態にセットする（ステップＳ２３１）。
【０２１２】
ステップＳ２３０にて「小当り」にはしないと決定されたときや（ステップＳ２３０；Ｎｏ）、ステップＳ２２９、Ｓ２３１の処理のいずれかを実行した後には、大当り遊技状態や小当り遊技状態に制御するか否かの事前決定結果、さらには、大当り遊技状態とする場合における大当り種別の決定結果に対応して、確定特別図柄を設定する（ステップＳ２３２）。一例として、ステップＳ２３０にて特図表示結果を「小当り」にはしないと決定された場合には、特図表示結果を「ハズレ」とする旨の事前決定結果に対応して、ハズレ図柄となる「−−」の記号を示す特別図柄を、確定特別図柄に設定する。その一方で、ステップＳ２３０にて「小当り」にすると決定された場合には、特図表示結果を「小当り」とする旨の事前決定結果に対応して、小当り図柄となる「２２」の数字を示す特別図柄を、確定特別図柄に設定する。また、ステップＳ２２５にて「大当り」にすると決定された場合には、ステップＳ２２８における大当り種別の決定結果に応じて、大当り図柄となる「１１」、「３３」、「７７」の数字を示す特別図柄のいずれかを、確定特別図柄に設定する。すなわち、大当り種別を「非確変」とする決定結果に応じて、非確変大当り図柄となる「３３」の数字を示す特別図柄を、確定特別図柄に設定する。また、大当り種別を「確変」とする決定結果に応じて、確変大当り図柄となる「７７」の数字を示す特別図柄を、確定特別図柄に設定する。大当り種別を「突確」とする決定結果に応じて、突確大当り図柄となる「１１」の数字を示す特別図柄を、確定特別図柄に設定する。
【０２１３】
ステップＳ２３２にて確定特別図柄を設定した後には、特図プロセスフラグの値を変動パターン設定処理に対応した値である“１”に更新してから（ステップＳ２３３）、特別図柄通常処理を終了する。また、ステップＳ２２１にて特図保留記憶数が「０」である場合には（ステップＳ２２１；Ｙｅｓ）、所定のデモ表示設定を行ってから（ステップＳ２３４）、特別図柄通常処理を終了する。ステップＳ２３４におけるデモ表示設定では、例えば画像表示装置５において所定の演出画像を表示することなどによるデモンストレーション表示（デモ画面表示）を指定する客待ちデモ指定コマンドが、主基板１１から演出制御基板１２に対して送信済みであるか否かを判定する。このとき、送信済みであれば、そのままデモ表示設定を終了する。これに対して、未送信であれば、客待ちデモ指定コマンドの送信設定を行ってから、デモ表示設定を終了する。
【０２１４】
図２５は、図２２のステップＳ１１１にて実行される変動パターン設定処理の一例を示すフローチャートである。図２５に示す変動パターン設定処理において、ＣＰＵ１１１は、まず、大当りフラグがオンであるか否かを判定する（ステップＳ２４１）。このとき、大当りフラグがオンであれば（ステップＳ２４１；Ｙｅｓ）、変動パターンを複数種類のいずれかに決定するための使用テーブルとして、大当り変動パターン決定テーブル２０３Ａを選択してセットする（ステップＳ２４２）。また、例えば遊技制御バッファ設定部１５５から大当り種別バッファ値を読み取ることなどにより、大当り種別が「非確変」や「確変」、「突確」のいずれであるかを特定しておいてもよい。
【０２１５】
ステップＳ２４１にて大当りフラグがオフであるときには（ステップＳ２４１；Ｎｏ）、小当りフラグがオンであるか否かを判定する（ステップＳ２４３）。このとき、小当りフラグがオンであれば（ステップＳ２４３；Ｙｅｓ）、変動パターンを複数種類のいずれかに決定するための使用テーブルとして、小当り変動パターン決定テーブル２０３Ｂを選択してセットする（ステップＳ２４４）。
【０２１６】
ステップＳ２４３にて小当りフラグがオフであるときには（ステップＳ２４３；Ｎｏ）、飾り図柄の可変表示状態をリーチ状態とするか否かを決定するための使用テーブルとして、リーチ決定テーブル２０２を選択してセットする（ステップＳ２４５）。また、例えば遊技制御カウンタ設定部１５４から特図保留記憶数カウント値を読み取ることなどにより、特図保留記憶数を特定する（ステップＳ２４６）。続いて、乱数回路１１４やランダムカウンタによって更新される遊技用乱数を示す数値データのうちから、リーチ決定用の乱数値ＭＲ３を示す数値データを抽出する（ステップＳ２４７）。そして、ステップＳ２４６にて特定された特図保留記憶数やステップＳ２４７にて抽出された乱数値ＭＲ３に基づき、ステップＳ２４５にてセットしたリーチ決定テーブル２０２を参照することにより、リーチ状態の有無を決定する（ステップＳ２４８）。
【０２１７】
ステップＳ２４８の処理に続いて、ステップＳ２４８での決定結果がリーチ状態とする「リーチ」であるかリーチ状態とはしない「非リーチ」であるかを判定する（ステップＳ２４９）。このとき、「リーチ」の決定結果であれば（ステップＳ２４９；リーチ）、変動パターンを複数種類のいずれかに決定するための使用テーブルとして、リーチ変動パターン決定テーブル２０４Ｂを選択してセットする（ステップＳ２５０）。これに対して、「非リーチ」の決定結果であれば（ステップＳ２４９；非リーチ）、非リーチ変動パターン決定テーブル２０４Ａを選択してセットする（ステップＳ２５１）。
【０２１８】
ステップＳ２４２、Ｓ２４４、Ｓ２５０、Ｓ２５１の処理のいずれかを実行した後には、変動パターン決定用の乱数値ＭＲ４を示す数値データを抽出する（ステップＳ２５２）。そして、ステップＳ２５２にて抽出した乱数値ＭＲ４などに基づき、ステップＳ２４２、Ｓ２４４、Ｓ２５０、Ｓ２５１のいずれかにてセットした変動パターン決定テーブルを参照することにより、変動パターンを複数種類のいずれかに決定する（ステップＳ２５３）。
【０２１９】
ここで、図１２（Ａ）に示す大当り変動パターン決定テーブル２０３Ａでは、大当り種別が「非確変」または「確変」である場合に、スーパーリーチＡ〜スーパーリーチＤといったスーパーリーチのリーチ演出を実行するための当り変動パターンとなる変動パターンＰＡ５−１〜変動パターンＰＡ５−４に対して、決定値が割り当てられている。また、図１３（Ｂ）に示すリーチ変動パターン決定テーブル２０４Ａでは、スーパーリーチＡ〜スーパーリーチＤといったスーパーリーチのリーチ演出を実行するためのリーチ変動パターンとなる変動パターンＰＡ３−１〜変動パターンＰＡ３−４に対して、決定値が割り当てられている。そして、大当り変動パターン決定テーブル２０３Ａで変動パターンＰＡ５−１〜変動パターンＰＡ５−４に対して割り当てられる決定値の個数は、リーチ変動パターン決定テーブル２０４Ｂで変動パターンＰＡ３−１〜変動パターンＰＡ３−４に対して割り当てられる決定値の個数と比べて、多くなるように設定されている。このような設定により、特図表示結果が「大当り」で大当り種別が「非確変」または「確変」に決定された場合には、特図表示結果が「ハズレ」でリーチ状態とする「リーチ」に決定された場合に比べて、スーパーリーチＡ〜スーパーリーチＤといったスーパーリーチのリーチ演出が実行される可能性が高くなる。また、スーパーリーチＡ〜スーパーリーチＤといったスーパーリーチのリーチ演出が実行されたときには、ノーマルリーチのリーチ演出が実行されたときに比べて、特図表示結果が「大当り」となる可能性（大当り信頼度）が高くなる。
【０２２０】
ステップＳ２５３における変動パターンの決定に続いて、その変動パターンの決定結果に応じた特別図柄の可変表示時間である特図変動時間を設定する（ステップＳ２５４）。そして、特別図柄表示装置４による特図ゲームにおける特別図柄の変動を開始させるための設定が行われる（ステップＳ２５５）。このときには、特別図柄表示装置４による特別図柄の表示を更新させる駆動信号が送信されるようにすればよい。
【０２２１】
ステップＳ２５５の処理を実行した後には、特別図柄の変動開始時用となる各種コマンドを送信するための設定を行う（ステップＳ２５６）。一例として、ＣＰＵ１１１は、主基板１１から演出制御基板１２に対して変動パターン指定コマンドや可変表示結果通知コマンドなどを順次に送信するために、予め用意された特図変動開始用コマンドテーブルのＲＯＭ１１２における記憶アドレス（先頭アドレス）を示す設定データを、送信コマンドバッファにおいて送信コマンドポインタによって指定されたバッファ領域に格納すればよい。続いて、特図プロセスフラグの値を特別図柄変動処理に対応した値である“２”に更新してから（ステップＳ２５７）、変動パターン設定処理を終了する。
【０２２２】
次に、演出制御基板１２における動作を説明する。演出制御基板１２では、電源基板等から電源電圧の供給を受けると、演出制御用マイクロコンピュータ１２０が起動して、ＣＰＵ１３１が図２６のフローチャートに示すような演出制御メイン処理を実行する。図２６に示す演出制御メイン処理を開始すると、ＣＰＵ１３１は、まず、所定の初期化処理を実行して（ステップＳ４０１）、ＲＡＭ１３３のクリアや各種初期値の設定、また演出制御基板１２に搭載されたＣＴＣ（カウンタ／タイマ回路）のレジスタ設定等を行う。
【０２２３】
また、ステップＳ４０１の初期化処理では、特別演出を実行するために使用されるカメラ３３の撮影動作について初期設定が行われるようにしてもよい。一例として、カメラ３３が撮影範囲を自動的に変更可能な機能（例えば首振り機能など）を有している場合には、パチンコ遊技機１の上皿形成部材に設けられた所定の領域基準表示部（例えば「手」の形状を模式化した印刷部材など）が、所定位置（例えば撮影画像の中心など）となるように撮影範囲を調整する設定処理が実行されればよい。この場合、例えば表示制御部１２２の画像データメモリ１４２などには、領域基準表示部の撮影画像に対応したパターンデータ（テンプレート）が予め記憶されていればよい。そして、画像処理プロセッサ１４１は、カメラ３３の撮影により生成された撮影画像データに示される撮影画像とテンプレートとのマッチング処理を実行することなどにより、撮影画像中における領域基準表示部の所在位置を検知する。そして、領域基準表示部が撮影画像中で所定位置にくるように、カメラ３３の撮影範囲を変更させる制御信号が、画像処理プロセッサ１４１などからカメラ３３に対して伝送されればよい。なお、マッチング処理などの画像データ処理は画像処理プロセッサ１４１により実行される一方で、カメラ３３の撮影範囲を変更させる制御処理は、画像処理プロセッサ１４１での処理結果に基づき演出制御用マイクロコンピュータ１２０のＣＰＵ１３１などにより実行されてもよい。
【０２２４】
他の一例として、カメラ３３による撮影画像を画像表示装置５の表示領域に表示させ、領域基準表示部が撮影画像中で所定位置にくるように、ホールの管理者などがカメラ３３の撮影範囲を変更できるようにしてもよい。この場合には、例えばパチンコ遊技機１の筐体内部（遊技盤２の裏面など）における所定位置に設けられた設定スイッチをホールの管理者などが切り替えることにより、カメラ３３の撮影範囲を変更するための設定モードとなるようにしてもよい。そして、例えば画像表示装置５に表示された撮影画像における領域基準表示部の位置が、操作ボタンに対する操作などによって指定されたことなどに基づいて、カメラ３３の撮影範囲を変更させる制御処理が実行されるようにしてもよい。あるいは、ホールの管理者などが、画像表示装置５に表示された撮影画像を確認しながら、カメラ３３を手動で操作して、撮影範囲を変更するようにしてもよい。カメラ３３の撮影動作に関する初期設定には、撮影範囲を調整するための処理だけでなく、撮影画像の明度やカメラ３３の焦点を調整する処理などが含まれていてもよい。
【０２２５】
ステップＳ４０１における初期化処理が実行された後には、演出用乱数更新処理が実行され（ステップＳ４０２）、演出制御に用いる演出用乱数のうち、演出制御カウンタ設定部１９３に設けられたランダムカウンタによってカウントされる乱数値を示す数値データを、ソフトウェアにより更新する。続いて、タイマ割込みフラグがオンとなっているか否かの判定を行う（ステップＳ４０３）。タイマ割込みフラグは、例えばＣＴＣのレジスタ設定に基づき、所定時間（例えば２ｍｓ）が経過するごとにオン状態にセットされる。
【０２２６】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、ＣＰＵ１３１は、自動的に割込み禁止に設定するが、自動的に割込み禁止状態にならないＣＰＵを用いている場合には、割込み禁止命令（ＤＩ命令）を発行することが望ましい。ＣＰＵ１３１は、演出制御ＩＮＴ信号がオン状態となることによる割込みに対応して、例えば所定のコマンド受信割込み処理を実行する。このコマンド受信割込み処理では、入出力ポート１３６に含まれる入力ポートのうちで、中継基板１３を介して主基板１１から送信された制御信号を受信する所定の入力ポートより、演出制御コマンドとなる制御信号を取り込む。このとき取り込まれた演出制御コマンドは、例えば演出制御バッファ設定部１９４に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、ＣＰＵ１３１は、割込み許可に設定してから、コマンド受信割込み処理を終了する。
【０２２７】
ステップＳ４０３にてタイマ割込みフラグがオフであれば（ステップＳ４０３；Ｎｏ）、ステップＳ４０２の処理に戻る。他方、ステップＳ４０３にてタイマ割込みフラグがオンである場合には（ステップＳ４０３；Ｙｅｓ）、タイマ割込みフラグをクリアしてオフ状態にするとともに（ステップＳ４０４）、コマンド解析処理を実行する（ステップＳ４０５）。ステップＳ４０５にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０２２８】
ステップＳ４０５にてコマンド解析処理を実行した後には、演出制御プロセス処理を実行してから（ステップＳ４０６）、ステップＳ４０２の処理に戻る。ステップＳ４０６の演出制御プロセス処理では、例えば画像表示装置５の表示領域における演出画像の表示動作、スピーカ８Ｌ、８Ｒからの音声出力動作、遊技効果ランプ９や装飾用ＬＥＤといった電飾部材における点灯動作、超音波出力装置３２Ｌ、３２Ｃ、３２Ｒからの超音波信号出力動作、演出用の可動部材における駆動動作といった、演出用の電気部品を用いた演出動作の制御内容について、主基板１１から送信された演出制御コマンド等に応じた判定や決定、設定などが行われる。
【０２２９】
図２７は、図２６のステップＳ４０６にて実行される演出制御プロセス処理の一例を示すフローチャートである。図２７に示す演出制御プロセス処理において、ＣＰＵ１３１は、例えば演出制御フラグ設定部１９１に設けられた演出プロセスフラグの値に応じて、以下のようなステップＳ１６０〜Ｓ１６６の処理のいずれかを選択して実行する。
【０２３０】
ステップＳ１６０の可変表示開始待ち処理は、演出プロセスフラグの値が“０”のときに実行される処理である。この可変表示開始待ち処理には、主基板１１から伝送される変動開始コマンドとして、変動パターン指定コマンドや可変表示結果通知コマンドを受信したか否かに応じて、画像表示装置５に設けられた「左」、「中」、「右」の各飾り図柄表示エリアにおける飾り図柄の可変表示を、開始するか否かの判定を行う処理などが含まれている。このとき、可変表示を開始する旨の判定がなされたことに対応して、演出プロセスフラグの値が“１”に更新される。
【０２３１】
ステップＳ１６１の可変表示開始設定処理は、演出プロセスフラグの値が“１”のときに実行される処理である。この可変表示開始設定処理には、特別図柄表示装置４による特図ゲームの開始に対応して、飾り図柄の可変表示を含めた各種の演出動作を行うために、変動パターンや可変表示結果などに応じて、最終停止図柄となる確定飾り図柄や、仮停止図柄、予告パターン等を決定する処理などが含まれている。そして、可変表示開始設定処理では、これらの決定結果に基づいて、例えば図柄変動制御パターンや予告演出制御パターンといった、各種の演出制御パターンが設定される。こうした決定や設定などが行われた後には、演出プロセスフラグの値が“２”に更新される。
【０２３２】
ステップＳ１６２の可変表示中演出処理は、演出プロセスフラグの値が“２”のときに実行される処理である。この可変表示中演出処理には、演出制御タイマ設定部１９２に設けられた演出制御プロセスタイマの値（演出制御プロセスタイマ値）に対応して、図柄変動制御パターンや予告演出制御パターンなどから各種の制御データを読み出して、飾り図柄の可変表示中における各種の演出制御を行うための処理が含まれている。こうした演出制御を行った後、例えば図柄変動制御パターンから飾り図柄の可変表示終了を示す終了コードが読み出されたこと、あるいは、主基板１１から伝送される飾り図柄停止コマンドを受信したことなどに対応して、飾り図柄の可変表示結果となる最終停止図柄としての確定飾り図柄を完全停止表示させる。図柄変動制御パターンから終了コードが読み出されたことに対応して確定飾り図柄を完全停止表示させるようにすれば、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。確定飾り図柄を完全停止表示したときには、演出プロセスフラグの値が“３”に更新される。
【０２３３】
ステップＳ１６３の可変表示停止処理は、演出プロセスフラグの値が“３”のときに実行される処理である。この可変表示停止処理には、主基板１１から伝送される当り開始指定コマンドを受信したか否かを判定する処理が含まれている。このとき、当り開始指定コマンドを受信した旨の判定がなされれば、その当り開始指定コマンドから特定される特図表示結果が「大当り」であるときに、演出プロセスフラグの値が“４”に更新される一方、特図表示結果が「小当り」であるときには、演出プロセスフラグの値が“５”に更新される。また、当り開始指定コマンドを受信せずに所定時間が経過したときには、特図表示結果が「ハズレ」であることに対応して、演出プロセスフラグの値が“０”に更新される。
【０２３４】
ステップＳ１６４の大当り制御中演出処理は、演出プロセスフラグの値が“４”のときに実行される処理である。この大当り制御中演出処理には、例えば可変表示結果が「大当り」となったことなどに対応した当り時演出制御パターン等を設定し、その設定内容に基づき大当り遊技状態における各種の演出動作を制御する処理が含まれている。そして、例えば主基板１１から伝送される当り終了指定コマンドを受信したことなどに対応して、演出プロセスフラグの値が“６”に更新される。
【０２３５】
ステップＳ１６５の小当り制御中演出処理は、演出プロセスフラグの値が“５”のときに実行される処理である。この小当り制御中演出処理には、例えば可変表示結果が「小当り」となったことなどに対応した当り時演出制御パターン等を設定し、その設定内容に基づき小当り遊技状態における各種の演出動作を制御する処理が含まれている。そして、例えば主基板１１から伝送される当り終了指定コマンドを受信したことなどに対応して、演出プロセスフラグの値が“６”に更新される。
【０２３６】
ステップＳ１６６のエンディング演出処理は、演出プロセスフラグの値が“６”のときに実行される処理である。このエンディング演出処理には、大当り遊技状態や小当り遊技状態が終了することなどに対応した当り時演出制御パターン等を設定し、その設定内容に基づき大当り遊技状態や小当り遊技状態の終了時における各種の演出動作を制御する処理が含まれている。そして、こうした演出動作が終了したことなどに対応して、演出プロセスフラグの値が“０”に更新される。
【０２３７】
図２８は、図２７のステップＳ１６１にて実行される可変表示開始設定処理の一例を示すフローチャートである。図２８に示す可変表示開始設定処理において、ＣＰＵ１３１は、まず、飾り図柄の可変表示にて停止表示される停止図柄を決定する（ステップＳ５０１）。一例として、ステップＳ５０１の処理では、主基板１１から伝送された変動パターン指定コマンドに示される変動パターンなどに基づいて、飾り図柄の可変表示結果となる確定飾り図柄（最終停止図柄）を決定する。
【０２３８】
ステップＳ５０１にて停止図柄を決定した後には、飾り図柄の可変表示中における演出動作の設定を行う（ステップＳ５０２）。一例として、ステップＳ５０２の処理では、予告演出を実行するか否かの決定や、実行する場合に「キャラクタ予告」や「操作時予告」といった複数種類のうちいずれの予告演出を実行するか否かの決定などが行われる。
【０２３９】
ステップＳ５０２の処理に続いて、図柄変動制御パターンや予告演出制御パターンといった、各種の演出制御パターンを予め用意された複数パターンのいずれかに決定する（ステップＳ５０３）。ＣＰＵ１３１は、例えば変動パターン指定コマンドに示された変動パターンなどに対応して、複数用意された図柄変動制御パターンのいずれかを選択し、使用パターンとしてセットする。また、変動パターン指定コマンドに示された変動パターンがスーパーリーチＡ〜スーパーリーチＤといったスーパーリーチを伴うものである場合には、特別演出パターンを複数パターンのいずれかに決定するための処理が実行されればよい。このとき、ＣＰＵ１３１は、例えば演出制御カウンタ設定部１９３のランダムカウンタなどにより更新される数値データのうちから、特別演出パターン決定用の乱数値ＳＲ１を示す数値データを抽出する。そして、特別演出パターン決定テーブル１６０を参照して、使用パターンとなる特別演出パターンを選択する。ＣＰＵ１３１は、変動パターンに対応するリーチ演出や可変表示結果通知コマンドに示された特図表示結果などに応じたテーブルデータを参照し、抽出した乱数値ＳＲ１に合致する決定値が割り当てられた特別演出パターンを、使用パターンに決定できればよい。また、ステップＳ５０２にて決定された予告演出などに対応して、複数用意された予告演出制御パターンのいずれかを選択し、使用パターンとしてセットする。
【０２４０】
ステップＳ５０３の処理を実行した後には、例えば変動パターン指定コマンドに示された変動パターンに対応して、演出制御タイマ設定部１９２に設けられた演出制御プロセスタイマの初期値を設定する（ステップＳ５０４）。そして、画像表示装置５における飾り図柄の変動を開始させるための設定を行う（ステップＳ５０５）。このときには、例えばステップＳ５０３にて使用パターンとして決定された図柄変動制御パターンに含まれる表示制御データが指定する表示制御指令を表示制御部１２１の画像処理プロセッサ１４１等に対して伝送させることなどにより、画像表示装置５の表示領域に設けられた「左」、「中」、「右」の各飾り図柄表示エリアにて飾り図柄の変動を開始させればよい。その後、演出プロセスフラグの値を飾り図柄変動中処理に対応した値である“２”に更新してから（ステップＳ５０６）、飾り図柄変動設定処理を終了する。
【０２４１】
図２９は、図２７のステップＳ１６２にて実行される可変表示中演出処理の一例を示すフローチャートである。図２９に示す可変表示中演出処理において、ＣＰＵ１３１は、まず、例えば演出制御プロセスタイマ値などに基づいて、変動パターンに対応した可変表示時間が経過したか否かを判定する（ステップＳ５２１）。一例として、ステップＳ５２１の処理では、演出制御プロセスタイマ値を更新（例えば１減算）し、更新後の演出制御プロセスタイマ値に対応して図柄変動制御パターンから終了コードが読み出されたときなどに、可変表示時間が経過したと判定すればよい。
【０２４２】
ステップＳ５２１にて可変表示時間が経過していない場合には（ステップＳ５２１；Ｎｏ）、特別演出実行期間となったか否かを判定する（ステップＳ５２２）。特別演出実行期間は、例えば変動パターンに対応して使用パターンに決定された図柄変動制御パターンなどにより、予め定められていればよい。そして、特別演出実行期間となったときには（ステップＳ５２２；Ｙｅｓ）、特別演出を実行するための特別演出制御処理を実行する（ステップＳ５２３）。ステップＳ５２２にて特別演出実行期間ではないときや（ステップＳ５２２；Ｎｏ）、ステップＳ５２３にて特別演出制御処理を実行した後には、例えば変動パターンに対応した図柄変動制御パターンにおける設定や予告演出制御パターンにおける設定などに基づいて、その他の演出動作制御を行ってから（ステップＳ５２４）、可変表示中演出処理を終了する。
【０２４３】
ステップＳ５２１にて可変表示時間が経過した場合には（ステップＳ５２１；Ｙｅｓ）、主基板１１から伝送される飾り図柄停止コマンドの受信があったか否かを判定する（ステップＳ５２５）。このとき、飾り図柄停止コマンドの受信がなければ（ステップＳ５２５；Ｎｏ）、可変表示中演出処理を終了して待機する。なお、可変表示時間が経過した後、飾り図柄停止コマンドを受信することなく所定時間が経過した場合には、飾り図柄停止コマンドを正常に受信できなかったことに対応して、所定のエラー処理が実行されるようにしてもよい。
【０２４４】
ステップＳ５２５にて飾り図柄停止コマンドの受信があった場合には（ステップＳ５２５；Ｙｅｓ）、例えば表示制御部１２１の画像処理プロセッサ１４１に対して所定の表示制御指令を伝送させるといった、飾り図柄の可変表示において表示結果となる最終停止図柄（確定飾り図柄）を導出表示させる制御を行う（ステップＳ５２６）。また、当り開始指定コマンド受信待ち時間として予め定められた一定時間を設定する（ステップＳ５２７）。そして、演出プロセスフラグの値を可変表示停止処理に対応した値である“３”に更新してから（ステップＳ５２８）、可変表示中演出処理を終了する。
【０２４５】
図３０は、図２９のステップＳ５２３にて実行される特別演出制御処理の一例を示すフローチャートである。なお、この特別演出制御処理は、演出制御用マイクロコンピュータ１２０のＣＰＵ１３１が単独で実行するものに限定されず、表示制御部１２１の画像処理プロセッサ１４１と協働して実行されてもよい。また、特別演出制御処理は、図２９のステップＳ５２３にて実行される場合に限定されず、例えば図２７に示すステップＳ１６４の大当り制御中演出処理やステップＳ１６５の小当り制御中演出処理、ステップＳ１６６のエンディング演出処理において、使用パターンに選択された当り時演出制御パターンなどに基づいて実行されることがあってもよい。
【０２４６】
図３０に示す特別演出制御処理においては、まず、現在の演出動作状態を特定する（ステップＳ６０１）。例えば特別演出パターンによる特別演出の実行が開始されるときには、例えば図１８に示す演出動作状態Ａ００といった、特別演出が開始される時点での演出動作状態となる。その後、特別演出の実行が進行したときには、特別演出パターンでの設定に従って演出動作状態が遷移していき、遷移後の演出動作状態が現在の演出動作状態として特定される。
【０２４７】
なお、特別演出が開始される時点での演出動作状態であるときには、特別演出の初期設定が行われるようにしてもよい。このときには、カメラ３３の撮影動作を開始させ、撮影画像データの生成が開始されるようにしてもよい。そして、特別演出が開始されるまではカメラ３３の撮影動作を停止させておくことで、カメラ３３の撮影動作による消費電力の増大や、撮影画像データの生成による処理負担の増大を、防止することができる。加えて、特別演出の開始を報知する演出動作として特別演出開始報知を実行するための制御が行われてもよい。例えば、画像表示装置５の表示領域に所定の演出画像を表示させることや、スピーカ８Ｌ、８Ｒから所定音声（効果音）を出力させること、遊技効果ランプ９や装飾用ＬＥＤに含まれる所定の報知用電飾部材を点灯させること、演出用の可動部材を動作させること、あるいは、これらの一部または全部を組み合わせることなどにより、特別演出開始報知が行われればよい。この特別演出開始報知には、特別演出の実行が開始されるときに、仮想操作領域ＶＡ１、ＶＡ２などにある検知対象物（例えば遊技者ＰＰの左手ＬＨなど）を取り除くように指示する報知が含まれればよい。
【０２４８】
ステップＳ６０１の処理に続いて、特別演出パターンに含まれる複数の動作検知パターンのうちから、演出動作状態の特定結果に応じた動作検知パターンを選択する（ステップＳ６０２）。そして、カメラ３３による撮影動作を制御して、１フレーム分の撮影画像データを取得する（ステップＳ６０３）。ここで、撮影画像データは、カメラ３３において生成されて画像処理プロセッサ１４１へと伝送されてもよいし、カメラ３３から伝送された映像信号を画像処理プロセッサ１４１がサンプリングすることなどにより生成されてもよい。その後、ステップＳ６０３にて取得した撮影画像データの解析を行う（ステップＳ６０４）。
【０２４９】
ステップＳ６０４の処理を実行した後には、ステップＳ６０２にて選択された動作検知パターンに応じた検知処理が特定される（ステップＳ６０５）。動作検知パターンには、検知対象物の動作方向を検知するための動作方向検知パターンと、検知対象物の動作速度を検知するための動作速度検知パターンと、検知対象物の形状変化を検知するための形状変化パターンとのうち、少なくともいずれか１つのパターンが含まれている。そして、動作方向検知パターンが含まれている場合には、動作方向検知処理を行うことが特定され、動作速度検知パターンが含まれている場合には、動作速度検知処理を行うことが特定され、形状変化検知パターンが含まれている場合には、形状変化検知処理を行うことが特定されればよい。その後、特定された検知処理が実行される。
【０２５０】
例えば、ステップＳ６０５にて特定された検知処理のうちに、動作方向検知パターンに対応した動作方向検知処理があるか否かを判定する（ステップＳ６０６）。そして、動作方向検知処理がある場合には（ステップＳ６０６；Ｙｅｓ）、検知対象物の動作方向を検知する（ステップＳ６０７）。ステップＳ６０７の処理では、例えば画像処理プロセッサ１４１から通知された解析結果のうちから、動きベクトルの方向などを示す通知内容を読み出し、その読出結果により対象物の動作方向が検知される。続いて、ステップＳ６０７での検知結果と動作方向検知パターンとの照合を行い（ステップＳ６０８）、その照合結果をＲＡＭ１３３の所定領域などに記憶させる（ステップＳ６０９）。ステップＳ６０８の処理では、動作方向検知パターンに含まれる複数のテンプレートと、ステップＳ６５７での検知結果とのマッチング処理などにより、類似度（相関性）が最も高いテンプレートを特定できればよい。あるいは、動作方向検知パターンに含まれる複数のテンプレートのうちで、類似度（相関性）が所定の閾値以上となったものをカウントしてもよい。あるいは、動作方向検知パターンごとに１つのテンプレートを設定し、類似度（相関性）が最も高いテンプレートに対応した動作方向検知パターンを特定してもよい。ステップＳ６０９の処理では、ステップＳ６０８の処理で特定されたテンプレートに予め付与された識別番号などを記憶させてもよいし、カウントされたテンプレートの数が最も多い動作方向検知パターンを特定可能な識別番号などを記憶させてもよし、類似度（相関性）が最も高いテンプレートに対応した動作方向検知パターンを特定可能な識別番号などを記憶させてもよい。
【０２５１】
ステップＳ６０６にて動作方向検知処理がないと判定されたときや（ステップＳ６０６；Ｎｏ）、ステップＳ６０９の処理を実行した後には、ステップＳ６０５にて特定された検知処理のうちに、動作速度検知パターンに対応した動作速度検知処理があるか否かを判定する（ステップＳ６１０）。そして、動作速度検知処理がある場合には（ステップＳ６１０；Ｙｅｓ）、検知対象物の動作速度を検知する（ステップＳ６１１）。ステップＳ６１１の処理では、例えば画像処理プロセッサ１４１から通知された解析結果のうちから、動きベクトルの大きさなどを示す通知内容を読み出し、その読出結果により対象物の動作速度（動作加速度でもよい）が検知される。続いて、ステップＳ６１１での検知結果と動作速度検知パターンとの照合を行い（ステップＳ６１２）、その照合結果をＲＡＭ１３３の所定領域などに記憶させる（ステップＳ６１３）。ステップＳ６１２、Ｓ６１３の処理では、動作速度検知パターンに含まれる複数のテンプレートについて、ステップＳ６０８、Ｓ６０９と同様の処理が実行されればよい。
【０２５２】
ステップＳ６１０にて動作速度検知処理がないと判定されたときや（ステップＳ６１０；Ｎｏ）、ステップＳ６１３の処理を実行した後には、ステップＳ６０５にて特定された検知処理のうちに、形状変化検知パターンに対応した形状変化検知処理があるか否かを判定する（ステップＳ６１４）。そして、形状変化検知処理がある場合には（ステップＳ６１４；Ｙｅｓ）、検知対象物の形状変化を検知する（ステップＳ６１５）。ステップＳ６１５の処理では、例えば画像処理プロセッサ１４１から通知された解析結果のうちから、形状変化量などを示す通知内容を読み出し、その読出結果により対象物の形状変化が検知される。続いて、ステップＳ６１５での検知結果と形状変化検知パターンとの照合を行い（ステップＳ６１６）、その照合結果をＲＡＭ１３３の所定領域などに記憶させる（ステップＳ６１７）。ステップＳ６１６、Ｓ６１７の処理では、形状変化検知パターンに含まれる複数のテンプレートについて、ステップＳ６０８、Ｓ６０９などと同様の処理が実行されればよい。
【０２５３】
ステップＳ６０７、Ｓ６１１、Ｓ６１５の各処理では、複数のフレームからなる撮影画像ごとに特定されたカメラ３３と検知対象物との間における距離の変化量などを用いて、検知対象物がカメラ３３に対して近付いたり遠ざかったりする動作であっても、適切に特定することができればよい。あるいは、カメラ３３の撮影範囲内に予め配置された所定位置を基準位置として設定し、複数のフレームからなる撮影画像ごとに、検知対象物と基準位置との相対距離を用いて、複数フレーム間における動きベクトルなどが特定されるようにしてもよい。これにより、例えば撮影動作中に振動等によりカメラ３３の撮影範囲が変更されてしまった場合などでも、現実空間における検知対象物の動作方向や動作速度に合致した動きベクトルなどを特定することができればよい。
【０２５４】
さらに、ステップＳ６０７、Ｓ６１１、Ｓ６１５の各処理では、検知対象物の動きベクトルを特定するために、前回のフレームにおける撮影画像とのブロックマッチング処理などが実行されてもよい。なお、ブロックマッチング処理の他に、例えば勾配法、位相相関法、ペルリカーシブ法といった、動きベクトルを特定するための任意の手法が用いられてもよい。あるいは、ステップＳ６０７、Ｓ６１１、Ｓ６１５の各処理では、撮影画像データに示される撮影画像において、検知対象物の形状変化を特定するために、検知対象物の輪郭（エッジ）を検出し、前回のフレームにおける撮影画像との比較処理などが実行されればよい。輪郭（エッジ）を検出する際には、例えばプリューウィットフィルタやソーベルフィルタ、あるいは、ラプラシアンフィルタといった、微分フィルタを用いたフィルタリング処理などが実行されればよい。さらに、輪郭（エッジ）を検出した後には、例えばハフ変換を実行することなどにより、輪郭（エッジ）の直線成分や曲線成分あるいは円の位置などを認識するようにしてもよい。
【０２５５】
こうした撮影画像データを解析するための画像データ処理は、画像処理プロセッサ１４１において実行され、その解析結果（例えば動きベクトルの算出結果や形状変化量の算出結果など）が、演出制御用マイクロコンピュータ１２０のＣＰＵ１３１に通知されるようにすればよい。なお、演出制御用マイクロコンピュータ１２０のＣＰＵ１３１が画像処理プロセッサ１４１の機能の一部または全部を含んでいる場合には、ＣＰＵ１３１においてこれらの画像データ処理が実行されてもよい。
【０２５６】
ステップＳ６１４にて形状変化検知処理がないと判定されたときや（ステップＳ６１４；Ｎｏ）、ステップＳ６１７の処理を実行した後には、ＲＡＭ１３３の所定領域に記憶された各種の照合結果に対応して、演出制御実行データが選択される（ステップＳ６１８）。すなわち、ステップＳ６１８の処理では、特別演出パターンに含まれる複数の演出動作実行データのうちから、各種の照合結果において類似度が最も高いとされた動作検知パターン（テンプレート）と対応付けられた演出動作実行データが選択される。その後、特別演出画像表示処理（ステップＳ６１９）や、超音波出力設定処理（ステップＳ６２０）が実行される。また、ステップＳ６１８にて選択された演出制御実行データに従って、その他の演出動作制御が行われてから（ステップＳ６２１）、特別演出制御処理が終了する。
【０２５７】
図３１は、図３０のステップＳ６１９にて実行される特別演出画像表示処理の一例を示すフローチャートである。図３１に示す特別演出画像表示処理では、まず、第１合成画像表示期間であるか否かが判定される（ステップＳ６３１）。第１合成画像表示期間では、演出画像データに示される仮想画像と、撮影画像データに示される対象物などの実写画像とを合成することにより、演出画像が生成される。第１合成画像表示期間は、例えば図３０のステップＳ６１８にて選択された演出制御実行データなどにより、予め定められていればよい。
【０２５８】
ステップＳ６３１にて第１合成画像表示期間である場合には（ステップＳ６３１；Ｙｅｓ）、例えば画像処理プロセッサ１４１が、演出制御用マイクロコンピュータ１２０のＣＰＵ１３１から伝送された表示制御指令などに従って、演出動作状態に対応する演出画像データを画像データメモリ１４２から読み出す（ステップＳ６３２）。また、撮影画像データの解析結果などに基づいて、例えば遊技者ＰＰの左手ＬＨを示す画像部分といった検知対象物の実写画像（対象物画像）を、撮影画像データに示される撮影画像から切り出す（ステップＳ６３３）。そして、ステップＳ６３３にて切り出された対象物画像を、ステップＳ６３２にて読み出された演出画像データに示される仮想画像と合成する（ステップＳ６３４）。一例として、ステップＳ６３４の処理では、ステップＳ６３２にて読み出された演出画像データをＶＲＡＭ１４３の所定領域に展開記憶させることにより、仮想画像を描画する。続いて、ステップＳ６３３にて切り出された対象物画像を、ＶＲＡＭ１４３にて描画された仮想画像に重畳させることにより、対象物画像を仮想画像と合成すればよい。このときには、対象物画像の大きさが予め設定された所定範囲内であるか否かを判定し、所定範囲内でなければ、対象物画像の拡大または縮小を行うことなどにより、対象物画像の大きさを適切に調整できるようにしてもよい。
【０２５９】
ステップＳ６３３の処理により検知対象物の実写画像を切り出したときや、ステップＳ６３４の処理により検知対象物の実写画像を仮想画像と合成するときには、例えば対象物画像に所定の平行移動処理や回転処理といった座標変換処理もしくは変形処理を施すことなどにより、対象物画像の表示位置や向き、形状などを、演出画像の表示に適合した形態となるように変換してもよい。また、例えば複数のカメラ３３による撮影で生成された対象物画像の補完処理などを実行して対象物の３次元形状を特定した後に、所定の２次元平面への投影処理を実行することなどにより、対象物の３次元形状に適合した演出画像が生成されるようにしてもよい。
【０２６０】
こうして生成された合成画像を、画像表示装置５の表示領域に表示させる（ステップＳ６３５）。一例として、ステップＳ６３５の処理では、ＶＲＡＭ１４３にて合成された演出画像の表示用データ（ピクセルデータ）を、画像処理プロセッサ１４１に内蔵または外付けされたＬＣＤ駆動回路に供給することなどにより、画像表示装置５の表示領域に合成された演出画像を表示させることができればよい。なお、ステップＳ６３２の処理により読み出される演出画像データは、仮想画像を示すものではなく、予め撮影などにより作成された実写画像を示す画像データであってもよい。この場合には、撮影画像データから切り出された対象物の実写画像を、画像データメモリ１４２から読み出された演出画像データに示される実写画像と合成して、演出画像を生成することができる。このようなステップＳ６３２〜Ｓ６３５の処理が実行されることにより、特別演出で画像表示装置５の表示領域に表示される演出画像を、検知対象物の検知結果に応じて変化させることができる。
【０２６１】
ステップＳ６３１にて第１合成画像表示期間ではない場合や（ステップＳ６３１；Ｎｏ）、ステップＳ６３５の処理を実行した後には、第２合成画像表示期間であるか否かが判定される（ステップＳ６３６）。第２合成画像表示期間では、演出画像データに示される仮想画像どうしを合成することにより、演出画像が生成される。第２合成画像表示期間は、例えば図３０のステップＳ６１８にて選択された演出制御実行データなどにより、予め定められていればよい。
【０２６２】
ステップＳ６３６にて第２合成画像表示期間である場合には（ステップＳ６３６；Ｙｅｓ）、ステップＳ６３２の処理と同様にして、検知対象物の検知結果にかかわらず、演出動作状態に対応する演出画像データを画像データメモリ１４２から読み出す（ステップＳ６３７）。また、撮影画像データを用いて検知対象物の動作態様を検知した結果に基づき、その動作態様に対応する演出画像データを画像データメモリ１４２から読み出す（ステップＳ６３８）。そして、ステップＳ６３７とステップＳ６３８にて読み出された演出画像データに示される仮想画像どうしを合成する（ステップＳ６３９）。こうして生成された合成画像は、ステップＳ６３５の処理と同様にして、画像表示装置５の表示領域に表示される（ステップＳ６４０）。このようなステップＳ６３７〜Ｓ６４０の処理が実行されることによっても、特別演出で画像表示装置５の表示領域に表示される演出画像を、検知対象物の検知結果に応じて変化させることができる。
【０２６３】
なお、ステップＳ６３７やステップＳ６３８にて読み出される演出画像データの一方または双方が、予め撮影などにより作成された実写画像を示す画像データであってもよい。この場合には、撮影画像データに示される対象物の実写画像は演出画像の合成に使用されないが、画像データメモリ１４２から読み出された演出画像データに対応して、仮想画像と実写画像、あるいは、実写画像どうしを合成して、演出画像を生成することができる。
【０２６４】
第１合成画像表示期間であるか第２合成画像表示期間であるかを図３０のステップＳ６１８にて選択された演出制御実行データを用いて判定するものに限定されず、例えば図３０のステップＳ６０４における撮影画像データの解析結果や、ＲＡＭ１３３の所定領域に記憶された各種の照合結果などに応じて切り替えられるものとしてもよい。一例として、撮影画像データの解析結果から、検知対象物の撮影画像が演出画像として使用できる程度の品質（例えば鮮明度など）を有しているか否かを判定し、高品質であれば第１合成画像表示期間として、撮影画像を使用した演出画像の合成を行う。これに対して、低品質の撮影画像であれば第２合成画像表示期間として、撮影画像を使用せず画像データメモリ１４２から読み出した演出画像データに示される仮想画像または実写画像を使用した演出画像の合成を行うようにすればよい。
【０２６５】
ステップＳ６３６にて第２合成画像表示期間ではない場合や（ステップＳ６３６；Ｎｏ）、ステップＳ６４０の処理を実行した後には、図３０のステップＳ６１８にて選択した演出制御実行データなどに基づいて、その他の演出画像を表示するための制御を行ってから（ステップＳ６４１）、特別演出画像表示処理を終了する。
【０２６６】
図３２は、図３０のステップＳ６２０にて実行される超音波出力設定処理の一例を示すフローチャートである。図３２に示す超音波出力設定処理では、まず、超音波出力期間であるか否かが判定される（ステップＳ６６１）。超音波出力期間は、例えば図３０のステップＳ６１８にて選択された演出制御実行データなどにより、予め定められていればよい。そして、超音波出力期間でない場合には（ステップＳ６６１；Ｎｏ）、そのまま超音波出力設定処理を終了する。
【０２６７】
ステップＳ６６１にて超音波出力期間である場合には（ステップＳ６６１；Ｙｅｓ）、スーパーリーチＡのリーチ演出における特別演出であるか否かを判定する（ステップＳ６６２）。このとき、スーパーリーチＡのリーチ演出に対応する特別演出であれば（ステップＳ６６２；Ｙｅｓ）、例えば図１９に示すような超音波信号の出力設定に従って生成した超音波出力指令信号を超音波出力制御回路３１へと伝送させることにより、画像表示装置５の表示領域に表示されている所定の平面画像となる演出画像の表示位置に対応する照射位置ＬＡ０１への超音波出力を指令する（ステップＳ６６３）。
【０２６８】
スーパーリーチＡのリーチ演出に対応する特別演出ではない場合には（ステップＳ６６２；Ｎｏ）、スーパーリーチＢのリーチ演出に対応する特別演出であるか否かを判定する（ステップＳ６６４）。このとき、スーパーリーチＢのリーチ演出に対応する特別演出であれば（ステップＳ６６４；Ｙｅｓ）、例えば図１９に示すような超音波信号の出力設定に従って生成した超音波出力指令信号を超音波出力制御回路３１へと伝送させることにより、画像表示装置５により表示されている所定の立体画像となる演出画像の表示位置に対応する照射位置ＬＢ０１への超音波出力を指令する（ステップＳ６６５）。
【０２６９】
スーパーリーチＢのリーチ演出に対応する特別演出ではない場合には（ステップＳ６６４；Ｎｏ）、スーパーリーチＣやスーパーリーチＤのリーチ演出に対応する特別演出であることから、例えば図１９に示すような超音波信号の出力設定に従って生成した超音波出力指令信号を超音波出力制御回路３１へと伝送させることにより、検知対象物の動作態様を検知した結果に対応する照射位置への超音波出力を指令する（ステップＳ６６６）。こうして、カメラ３３による撮影結果に応じて超音波信号の照射位置が設定されればよい。
【０２７０】
次に、特別演出となる演出動作を実行するための具体的な制御の一例について説明する。パチンコ遊技機１では、例えばスーパーリーチＡ〜スーパーリーチＤといったスーパーリーチのリーチ演出が開始されたときや、大当り遊技状態における大当り中演出が開始されたときなどのように、所定条件が成立したときに、特別演出となる演出動作が開始される。このときには、カメラ３３による撮影が可能となり、所定の撮影範囲に含まれる撮影対象物が撮影される。そして、例えば図３３に示すような遊技者ＰＰの左手ＬＨが、動作態様の検知対象物とされればよい。
【０２７１】
パチンコ遊技機１において、例えばガラス扉枠の下部表面に設けられた上皿形成部材の所定位置などには、仮想操作領域ＶＡ１の前端（遊技者側の境界）となる仮想境界面ＶＢ１を報知して、遊技者に仮想操作領域ＶＡ１を認識させるための境界面報知ユニットが設けられていてもよい。なお、境界面報知ユニットに代えて、あるいは境界面報知ユニットとともに、所定の報知動作を行うことなく仮想操作領域ＶＡ１や仮想境界面ＶＢ１を遊技者に認識させるための認識用部材を設けてもよい。仮想境界面ＶＢ１によって区画される仮想操作領域ＶＡ１は、カメラ３３による撮影範囲内でカメラ３３の位置に対して特定の関係に予め設定され、検知対象物の動作態様が検知される検知領域となる。
【０２７２】
カメラ３３の撮影対象物には、境界面報知ユニットなどが含まれ、撮影画像における境界面報知ユニットの所在位置に基づいて、遊技者ＰＰの左手ＬＨなどといった、他の撮影対象物における動作態様が検知されればよい。境界面報知ユニットが上皿形成部材の手前側（座席側）における先端上面にて左右両端の間にわたり延設されている場合には、この設置部分が仮想境界面ＶＢ１の一辺を形成すればよい。そして、仮想境界面ＶＢ１は、境界面報知ユニットの鉛直方向上方に、カメラ３３と同一の高さ程度まで設定されていればよい。こうした仮想境界面ＶＢ１により区画される仮想操作領域ＶＡ１は、例えば仮想境界面ＶＢ１とパチンコ遊技機１の前面扉との間に設定され、この仮想操作領域ＶＡ１における検知対象物の動作態様が検知されるようにすればよい。
【０２７３】
仮想操作領域ＶＡ１は、超音波出力装置３２Ｌ、３２Ｃ、３２Ｒから出力される超音波信号を照射可能な照射領域と一致していてもよい。すなわち、超音波信号の照射位置は、仮想操作領域ＶＡ１の範囲内に設定されるものとしてもよい。この場合には、仮想操作領域ＶＡ１を遊技者に認識させることにより、超音波信号を照射可能な照射領域も遊技者に認識させることができる。
【０２７４】
あるいは、仮想操作領域ＶＡ１と、超音波信号の照射領域とは、一致していなくてもよい。この場合、境界面報知ユニットや認識用部材とは別に、超音波信号の照射領域を遊技者に認識させるための照射領域報知ユニットや照射領域提示用部材などを設けてもよい。超音波信号の照射領域としては、例えば仮想操作領域ＶＡ１における空間内といった、パチンコ遊技機１による遊技の実行中に遊技者の手が所在可能な位置を含んでいればよい。あるいは、例えば打球操作ハンドル（操作ノブ）の付近といった、遊技者がパチンコ遊技機１による遊技を行うために手を触れている位置などが、超音波信号の照射領域に含まれてもよい。
【０２７５】
なお、カメラ３３による撮影は、特別演出の実行に対応して常に実行されるものに限定されず、例えばスーパーリーチＡ〜スーパーリーチＤのリーチ演出のうち、一部のリーチ演出が実行される場合のみに対応して実行されるものであってもよい。また、特別演出の実行が開始されてから特別演出が終了するまでの期間のうち、検知対象物の動作態様を検知する必要のある所定期間においてカメラ３３による撮影が実行される一方で、所定期間以外の期間では撮影が実行されないようにしてもよい。
【０２７６】
上皿形成部材と下皿形成部材との間には、仮想境界面ＶＢ２によって区画される仮想操作領域ＶＡ２が設けられてもよい。仮想操作領域ＶＡ２における検知対象物の動作態様は、カメラ３３とは別個に仮想操作領域ＶＡ２のために設けられたカメラによる撮影結果などに基づいて検知されてもよい。あるいは、超音波出力装置３２Ｌ、３２Ｃ、３２Ｒとは別個に仮想操作領域ＶＡ２のために設けられた超音波出力装置から出力された超音波信号を用いて、検知対象物による反射波や透過波の変化を検出することなどにより、検知対象物の動作態様を検知できるようにしてもよい。
【０２７７】
仮想操作領域ＶＡ２は、超音波出力装置３２Ｌ、３２Ｃ、３２Ｒとは別個に設けられた超音波出力装置から出力された超音波信号を照射可能な照射領域と一致していてもよい。すなわち、超音波信号の照射位置は、仮想操作領域ＶＡ２の範囲内に設定されるものとしてもよい。この場合には、仮想操作領域ＶＡ２を遊技者に認識させることにより、超音波信号を照射可能な照射領域も遊技者に認識させることができる。あるいは、仮想操作領域ＶＡ２と、超音波信号の照射領域とは、一致していなくてもよい。
【０２７８】
なお、仮想境界面ＶＢ１や仮想境界面ＶＢ２は、例えば図３３に示すような平面のものに限定されず、例えば曲面や球面となるものであってもよい。一例として、境界面報知ユニットにより所定の光線幅を有するスポットライトを点灯させ、円柱状あるいは円錐状の仮想操作領域ＶＡ１を区画する仮想境界面ＶＢ１を遊技者に認識させるようにしてもよい。また、発光により仮想操作領域ＶＡ１や仮想境界面ＶＢ１を遊技者に認識させるものに限定されず、例えば可動部材を進出させることなど、所定の報知動作が行われるものであってもよい。
【０２７９】
特別演出における演出動作の一部として、例えば図３３に波線で示すように、遊技者に所定の触感を与えるための超音波信号が超音波出力装置３２Ｌ、３２Ｃ、３２Ｒから出力され、パチンコ遊技機１から離間した空間内の所定位置に照射される。このとき、超音波信号の出力設定は、例えば可変表示結果が「大当り」となる可能性（大当り信頼度）や、画像表示装置５による演出画像の表示位置、カメラ３３による撮影結果に基づく検知対象物の動作態様などに応じて、遊技者に異なる触感を与えるように設定される。例えば図２８に示すステップＳ５０３の処理により選択の決定がなされた特別演出パターンに対応して、図３０のステップＳ６２０や図３２に示す超音波出力設定処理では、図１９に示すような超音波信号の出力設定が行われる。これにより、大当り信頼度に応じて異なる触感を与えるための超音波信号を照射することができればよい。
【０２８０】
図３４は、仮想操作領域ＶＡ１における検知対象物となる遊技者ＰＰの左手ＬＨの動作態様例を示している。図３４（Ａ）に示す例では、遊技者ＰＰが左手ＬＨを仮想操作領域ＶＡ１に対して出し入れするように移動させている。特別演出が実行されるときには、仮想操作領域ＶＡ１における左手ＬＨの前後方向への移動量が、動作方向や動作速度として検知され、検知結果に応じて演出画像や超音波信号の照射位置などを変化させる演出動作が実行できればよい。図３４（Ｂ）に示す例では、遊技者ＰＰが左手ＬＨを仮想操作領域ＶＡ１において仮想境界面ＶＢ１と平行に移動させている。特別演出が実行されるときには、仮想操作領域ＶＡ１における左手ＬＨの上下方向や左右方向への移動量が、動作方向や動作速度として検知され、検知結果に応じて演出画像や超音波信号の照射位置などを変化させる演出動作が実行できればよい。このときには、左手ＬＨを仮想操作領域ＶＡ１に対して出し入れするように前後方向（ガラス扉枠との距離が変化する方向）へと移動させた場合であるか、左手ＬＨを仮想操作領域ＶＡ１において上下方向や左右方向（ガラス扉枠との距離が一定の方向）に移動させた場合であるかに応じて、特別演出における演出画像や超音波信号の照射位置の変化態様を異ならせるようにしてもよい。
【０２８１】
図３５及び図３６は、こうした特別演出となる演出動作の一例として、遊技者ＰＰが左手ＬＨを仮想操作領域ＶＡ１に差し入れて飾り図柄（確定飾り図柄）を停止させるようなリーチ演出における演出動作例を示している。このリーチ演出が開始されるときには、まず、例えば図３０に示すステップＳ６０１の処理にて、図１８に示す演出動作状態Ａ００といった、特別演出が開始される時点での演出動作状態であることが特定される。そして、この特定結果に対応するステップＳ６２１の処理による演出動作制御などが行われることで、図３５（Ａ）に示すような演出画像が画像表示装置５の表示領域に表示される。図３５（Ａ）に示す演出画像には、例えば「手をかざして図柄を止めろ！」といったメッセージが含まれている。
【０２８２】
こうした特別演出の実行が開始されるときには、境界面報知ユニットにより遊技者に仮想操作領域ＶＡ１や仮想境界面ＶＢ１などを認識させるための報知動作が開始されるようにしてもよい。例えば、境界面報知ユニットがＬＥＤや半導体レーザといった発光体を含むように構成した場合には、この発光体を点灯させることにより、遊技者が仮想操作領域ＶＡ１や仮想境界面ＶＢ１などを認識できるようにすればよい。また、境界面報知ユニットが可動部材を含むように構成した場合には、この可動部材を上皿形成部材の内部から進出させることにより、遊技者が仮想操作領域ＶＡ１や仮想境界面ＶＢ１などを認識できるようにすればよい。なお、境界面報知ユニットに代えて、あるいは境界面報知ユニットとともに、認識用部材を設けた場合には、この認識用部材が能動的な報知動作を開始及び停止するものではないので、報知動作を開始させるための特別の設定や制御が行われなくてもよい。境界面報知ユニットに代えて、あるいは境界面報知ユニットとともに、画像表示装置５の表示領域に所定の演出画像を表示することなどにより、遊技者が仮想操作領域ＶＡ１や仮想境界面ＶＢ１などを認識できるようにしてもよい。
【０２８３】
例えば、図３５（Ｂ１）に示すような演出画像を表示することなどにより、遊技者ＰＰに左手ＬＨを仮想操作領域ＶＡ１から一旦排除させればよい。図３５（Ｂ１）に示す演出画像には、例えば「この領域から手を引いてください。」といった遊技者ＰＰに仮想操作領域ＶＡ１から検知対象物となる左手ＬＨを取り除くように指示するメッセージＭＳ１が含まれている。このメッセージＭＳ１に基づいて、例えば図３２（Ｂ２）に示すように、遊技者ＰＰは左手ＬＨを仮想操作領域ＶＡ１から一旦排除するように移動させることになる。なお、このメッセージＭＳ１は、特別演出が開始される時点でカメラ３３により仮想操作領域ＶＡ１を撮影した結果から、仮想操作領域ＶＡ１の内部に遊技者ＰＰの左手ＬＨといった異物が検知された場合に限り、報知されるようにしてもよい。また、図３５（Ｂ１）に示す演出画像には、例えば「※上皿の玉補給をしておいてください。」といった遊技者ＰＰに上皿に遊技球を収納（貯留）させておくように指示するメッセージＭＳ２が含まれている。ここで、特別演出の実行が開始されると、上皿の付近が仮想操作領域ＶＡ１に含まれてしまうために、遊技者が上皿の遊技球を補給しようとする動作が、検知対象物の動作態様として検知されてしまうおそれがある。そこで、メッセージＭＳ２により予め遊技球の補給を指示しておくことにより、特別演出を実行している期間に検知対象物の動作態様が誤って検知されてしまうことを防止できる。
【０２８４】
図３５（Ｂ１）に示す演出画像が表示されるときには、例えばスピーカ８Ｌ、８Ｒから所定音声（効果音）を出力させることなどにより、メッセージＭＳ１やメッセージＭＳ２の内容を遊技者に報知するようにしてもよい。また、例えば上皿の形成部分を所定のスポットライトで照射することなどにより、上皿への遊技球の補給を促すようにしてもよい。さらに、例えば仮想操作領域ＶＡ１を照射するスポットライトをフラッシュ点灯させることなどにより、仮想操作領域ＶＡ１から検知対象物となる左手ＬＨなどを取り除くよう促してもよい。こうして、演出画像の表示といった所定の演出動作により、遊技者ＰＰに仮想操作領域ＶＡ１や仮想境界面ＶＢ１を認識させることができる。
【０２８５】
また、照射領域報知ユニットによる報知動作や照射領域提示用部材、あるいは演出画像の表示といった所定の演出動作により、仮想操作領域ＶＡ１に対応した超音波信号の照射領域を遊技者に認識させるようにしてもよい。これにより、遊技者が超音波信号の照射領域を容易に把握して、所定の触感を得るための操作の正確性などを向上させることができる。
【０２８６】
図３５（Ｂ１）に示す演出画像の表示に続いて、図３５（Ｃ）に示すような演出画像が表示される。図３５（Ｃ）に示す演出画像には、例えば「スタートしたら手を領域に入れて図柄を止めてください！」といった遊技者ＰＰが行う動作内容を報知するメッセージＭＳ３が含まれており、この報知内容に基づいて遊技者ＰＰが左手ＬＨなどを動作させることになる。その後、例えば図３５（Ｄ）に示すような演出画像が表示されたときに、例えば図３０に示すステップＳ６０２、Ｓ６０５の処理などに基づいて、左手ＬＨの動作態様を検知するための処理が開始されればよい。
【０２８７】
一例として、図３５（Ｅ２）に示すように、遊技者ＰＰが左手ＬＨを仮想境界面ＶＢ１から仮想操作領域ＶＡ１へと差し入れたときには、図３５（Ｅ１）に示すように左手ＬＨに対応した仮想画像ＭＨ１を表示するなどして、落下する飾り図柄を受け止めるような演出画像が表示されればよい。このとき、例えば図３２に示すステップＳ６６３の処理が実行されることなどにより、「中」の飾り図柄表示エリアにて平面画像として表示された飾り図柄の表示位置に対応して、超音波信号の照射位置ＬＡ０１が設定され、飾り図柄が遊技者ＰＰの左手ＬＨに衝突するような所定の触感（例えば「ドスンドスン」など）を与えるための超音波信号が照射されればよい。超音波出力制御回路３１は、演出制御用マイクロコンピュータ１２０のＣＰＵ１３１などから伝送された超音波出力指令信号に応じて生成した超音波出力制御信号を、超音波出力装置３２Ｌ、３２Ｃ、３２Ｒのそれぞれに供給する。超音波出力装置３２Ｌ、３２Ｃ、３２Ｒでは、超音波振動子駆動回路３２Ｂが超音波出力制御信号に従って複数の超音波振動子３２Ａを駆動することにより、パチンコ遊技機１から離間した照射位置ＬＡ０１を焦点とする超音波信号を出力させる。
【０２８８】
照射位置ＬＡ０１に照射される超音波信号は、カメラ３３による撮影結果にかかわらず、画像表示装置５の表示領域における飾り図柄の表示動作に対応して出力されてもよい。あるいは、カメラ３３による撮影結果に基づいて、左手ＬＨが仮想操作領域ＶＡ１へと差し入れられたことが検知された場合に限り、照射位置ＬＡ０１に超音波信号が照射されるように出力され、仮想操作領域ＶＡ１に左手ＬＨが差し入れられていないときには、超音波信号の出力が停止されてもよい。すなわち、遊技者に所定の触感を与えるための超音波信号は、所定領域にて検知対象物が検知されたときに出力される一方で、所定領域にて検知対象物が検知されないときには出力されないように制限してもよい。
【０２８９】
超音波信号の照射位置ＬＡ０１としては、例えば平面画像として表示された飾り図柄の手前側（遊技者側）で飾り図柄の下方となる空間内といった、演出画像の表示位置そのものに対応する位置であればよい。あるいは演出画像を表示することにより示唆された位置などを、超音波信号の照射位置ＬＡ０１として設定してもよい。
【０２９０】
また、画像表示装置５における飾り図柄の表示態様に応じて、超音波信号の出力設定を変化させてもよい。例えば図３６（Ａ１）に示すように、「左」及び「右」の飾り図柄表示エリアにて既にリーチ状態で停止している飾り図柄と同一の飾り図柄ＦＡ１を示す演出画像が表示されたときに、図３６（Ａ２）に示すように仮想操作領域ＶＡ１に遊技者ＰＰの左手ＬＨが差し入れられている場合には、このような演出画像が表示される以前に比べて、超音波信号を出力するための駆動振幅を増加させて、遊技者に与える触感を増大（強化）させてもよい。あるいは、「中」の飾り図柄表示エリアにて飾り図柄が高速変動しているときには、超音波信号を出力するための駆動振幅を減少させて、遊技者に与える触感を低減（微弱化）させてもよい。このときには、超音波信号の出力が比較的に短い間隔で開始と停止とを繰り返すことにより、飾り図柄が次々に遊技者ＰＰの左手ＬＨに衝突するような触感を与えるための超音波信号が照射されればよい。これに対して、「中」の飾り図柄表示エリアにて飾り図柄が低速変動しているときには、超音波信号を出力するための駆動振幅を増加させて、遊技者に与える触感を増大（強化）させてもよい。このときには、超音波信号の出力が比較的に長い間隔で開始と停止とを繰り返すことにより、個々の飾り図柄が遊技者ＰＰの左手ＬＨに衝突するような感触を与えるための超音波信号が照射されればよい。こうして、画像表示装置５による飾り図柄の可変表示態様に基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、画像表示装置５による飾り図柄の可変表示態様に応じて異ならせるようにしてもよい。あるいは、画像表示装置５による飾り図柄の可変表示態様に基づいて、遊技者に所定の触感を与えるための超音波信号を出力するか否かを決定してもよい。また、遊技者に所定の触感を与えるための超音波信号を出力するか否かの決定割合を、画像表示装置５による飾り図柄の可変表示態様に応じて異ならせるようにしてもよい。
【０２９１】
さらに、特別図柄や飾り図柄の可変表示結果に応じて、超音波信号の出力設定を変化させてもよい。例えば可変表示結果が「大当り」に決定された後、図３６（Ａ１）のような飾り図柄ＦＡ１を示す演出画像が表示されたときに、図３６（Ａ２）に示すように仮想操作領域ＶＡ１に遊技者ＰＰの左手ＬＨが差し入れられている場合には、可変表示結果が「ハズレ」に決定された場合に比べて、超音波信号を出力するための駆動振幅を増加させて、遊技者に与える触感を増大（強化）させてもよい。その他にも、超音波信号を出力させる開始タイミング、駆動周波数、照射期間、照射回数などといった、超音波信号の出力設定のいずれかを異ならせることにより、可変表示結果が「大当り」となるか否かを遊技者が認識可能に報知したり、可変表示結果が「大当り」となる可能性（大当り信頼度）を異ならせたりしてもよい。このように、同一の演出画像が表示されるときに、可変表示結果が「大当り」となるか否かの決定結果に基づいて、遊技者に異なる触感を与えるための複数種類の超音波信号のうち、いずれかを選択して出力させるようにしてもよい。また、同一の演出画像が表示されるときに、遊技者に異なる触感を与えるための複数種類の超音波信号のうちで、超音波出力装置３２Ｌ、３２Ｃ、３２Ｒなどから出力される超音波信号の選択割合を、可変表示結果が「大当り」となるか否かの決定結果に応じて異ならせるようにしてもよい。あるいは、同一の演出画像が表示されるときに、可変表示結果が「大当り」となるか否かの決定結果に基づいて、遊技者に所定の触感を与えるための超音波信号を出力するか否かを決定してもよい。また、同一の演出画像が表示されるときに、遊技者に所定の触感を与えるための超音波信号を出力するか否かの決定割合を、可変表示結果が「大当り」となるか否かの決定結果に応じて異ならせるようにしてもよい。
【０２９２】
図３６（Ａ１）に示すような演出動作が実行され、「左」及び「右」の飾り図柄表示エリアと同じ「７」の数字を示す飾り図柄が「中」の飾り図柄表示エリアにて停止表示されたときには、大当り組合せとなる確定飾り図柄が導出されたことから、例えば図３６（Ｂ）に示すような「７」の数字を示す飾り図柄が揃って停止表示されるとともに、可変表示結果が「大当り」となったことが報知されればよい。なお、可変表示結果が「ハズレ」に決定された場合には、例えば図３６（Ａ１）に示すような飾り図柄ＦＡ１を示す演出画像が停止表示されずに落下していき、「８」の数字が「中」の飾り図柄表示エリアにて停止表示されるなどして、リーチ組合せ（リーチハズレ組合せ）の確定飾り図柄が導出されるようにすればよい。こうした特別演出における演出動作の変化を制御することにより、例えば可変表示結果が「大当り」になって大当り遊技状態に制御されることといった、所定の遊技価値が付与される可能性を認識可能に報知して、所定の遊技価値を付与するか否かの決定結果を示唆することができる。
【０２９３】
図３７及び図３８は、特別演出となる演出動作の他の一例として、遊技者ＰＰが左手ＬＨを仮想操作領域ＶＡ１に差し入れて特定のアイテムを獲得するようなリーチ演出における演出動作例を示している。このリーチ演出が開始されるときには、まず、図３７（Ａ）に示すような演出画像が表示される。図３７（Ａ）に示す演出画像には、例えば「手をかざしてダイアモンドをゲットしろ！」といったメッセージが含まれている。続いて、図３７（Ｂ１）に示すような演出画像が表示される。図３７（Ｂ１）に示す演出画像には、図３５（Ｂ１）に示した演出画像と同様に、メッセージＭＳ１やメッセージＭＳ２が含まれている。これにより、例えば図３７（Ｂ２）に示すように、遊技者ＰＰは左手ＬＨを仮想操作領域ＶＡ１から一旦排除するように移動させたり、上皿に遊技球を補給したりすることができる。
【０２９４】
図３７（Ｂ１）に示す演出画像の表示に続いて、図３７（Ｃ）に示すような演出画像が表示される。図３７（Ｃ）に示す演出画像には、例えば「スタートしたら手を領域に入れてゲットしてください！」といった遊技者ＰＰが行う動作内容を報知するメッセージＭＳ４が含まれており、この報知内容に基づいて遊技者ＰＰが左手ＬＨなどを動作させることになる。その後、例えば図３７（Ｄ）に示すような演出画像が表示されたときに、左手ＬＨの動作態様を検知するための処理が開始されればよい。
【０２９５】
一例として、図３７（Ｅ２）に示すように、遊技者ＰＰが左手ＬＨを仮想境界面ＶＢ１から仮想操作領域ＶＡ１へと差し入れたときには、図３７（Ｅ１）に示すように左手ＬＨに対応した仮想画像ＭＨ２を表示するなどして、落下するアイテムＦＡ２を受け止めるような演出画像が表示されればよい。あるいは、アイテムＦＡ２を示す演出画像を立体画像として表示する場合には、仮想操作領域ＶＡ１の内部において遊技者ＰＰの左手ＬＨが検知された位置にアイテムが落下する様子を示す立体画像を投射させればよい。こうした立体画像の表示が行われるときには、例えば図３２に示すステップＳ６６５の処理が実行されることなどにより、立体画像として投射された演出画像の表示位置に対応して、超音波信号の照射位置ＬＢ０１が設定され、アイテムが遊技者ＰＰの左手ＬＨに落下するような感触を与えるための超音波信号が照射されればよい。
【０２９６】
また、画像表示装置５による立体画像としての演出画像の表示態様に応じて、超音波信号の出力設定を変化させてもよい。例えば図３８（Ａ１）に示すように、アイテムＦＡ２を示す演出画像が左手ＬＨに対応した仮想画像ＭＨ２の表示位置と重なり合うなどした場合に、超音波信号の出力を開始して、遊技者ＰＰの左手ＬＨにアイテムＦＡ２が落下したような触感を与えるようにすればよい。また、アイテムＦＡ２を示す演出画像が左手ＬＨの上で跳ねる（バウンドする）ような立体表示が行われるときには、超音波信号の出力をアイテムＦＡ２のバウンドにあわせて開始または停止させることや、超音波信号の照射位置をアイテムＦＡ２のバウンドにあわせて変更することなどにより、遊技者ＰＰの左手ＬＨにアイテムＦＡ２がバウンドするような触感を与えるようにすればよい。すなわち、遊技者に所定の触感を与えるための超音波信号は、演出画像の表示位置にあわせて、出力が開始または停止されるようにしてもよいし、照射位置が変更されてもよい。
【０２９７】
超音波信号の照射位置ＬＢ０１としては、例えば立体画像が表示された位置の下側における空間内といった、立体画像の表示位置そのものに対応する位置であることが好ましい。あるいは、立体画像を表示することにより示唆された位置などを、超音波信号の照射位置ＬＢ０１として設定してもよい。
【０２９８】
図３７（Ｅ１）や図３８（Ａ１）におけるアイテムＦＡ２を示す演出画像が立体画像として表示されるか、こうした演出画像が平面画像として表示されるかに応じて、超音波信号の出力設定を異ならせてもよい。例えば演出画像が立体画像として表示されるときに、仮想操作領域ＶＡ１に遊技者ＰＰの左手ＬＨが差し入れられている場合には、演出画像が平面画像として表示されているときに比べて、超音波信号を出力するための駆動振幅を増加させて、遊技者に与える触感を増大（強化）させてもよい。その他にも、演出画像が立体画像と平面画像のいずれとして表示されるかに応じて、任意な出力設定を異ならせたものであればよい。このように、演出画像が立体画像と平面画像のいずれとして表示されるかに基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、演出画像が立体画像と平面画像のいずれとして表示されるかに応じて異ならせるようにしてもよい。あるいは、演出画像が立体画像と平面画像のいずれとして表示されるかに基づいて、遊技者に所定の触感を与えるための超音波信号を出力するか否かを決定してもよい。また、遊技者に所定の触感を与えるための超音波信号を出力するか否かの決定割合を、演出画像が立体画像と平面画像のいずれとして表示されるかに応じて異ならせるようにしてもよい。
【０２９９】
さらに、アイテムＦＡ２が報知に対応したものであるか否かに応じて、超音波信号の出力設定を変化させてもよい。例えばアイテムＦＡ２が先に報知された「ダイアモンド」となる場合には、「ダイアモンド」以外のものとなる場合に比べて、超音波信号を出力するための駆動振幅を増加させて、遊技者に与える触感を増大（強化）させてもよい。その他にも、例えば超音波信号を出力させる開始タイミング、駆動周波数、照射期間、照射回数などといった、超音波信号の任意な出力設定のいずれかを異ならせることにより、報知内容に合致する演出動作が行われるか否かを遊技者が認識可能にしたり、報知内容に合致する演出動作が行われる可能性を異ならせたりしてもよい。このように、遊技者が達成すべき所定の達成条件として、所定の演出動作を実行させることが提示された場合に、その演出動作を実行するか否かの決定結果に基づいて、遊技者に異なる触感を与えるための複数種類の超音波信号のうち、いずれかを選択して出力させるようにしてもよい。また、遊技者が達成すべき所定の達成条件として、所定の演出動作を実行させることが提示された場合に、遊技者に異なる触感を与えるための複数種類の超音波信号のうちで、超音波出力装置３２Ｌ、３２Ｃ、３２Ｒなどから出力される超音波信号の選択割合を、達成条件に合致する演出動作を実行するか否かの決定結果に応じて異ならせるようにしてもよい。あるいは、遊技者が達成すべき所定の達成条件として、所定の演出動作を実行させることが提示された場合に、その演出動作を実行するか否かの決定結果に基づいて、遊技者に所定の触感を与えるための超音波信号を出力するか否かを決定してもよい。また、遊技者が達成すべき所定の達成条件として、所定の演出動作を実行させることが提示された場合に、遊技者に所定の触感を与えるための超音波信号を出力するか否かの決定割合を、達成条件に合致する演出動作を実行するか否かの決定結果に応じて異ならせるようにしてもよい。
【０３００】
図３８（Ａ１）に示すような演出動作が実行され、遊技者ＰＰがアイテムＦＡ２を獲得したことに対応して、図３８（Ｂ）及び（Ｃ）に示すような演出画像を表示することなどにより、獲得したアイテムＦＡ２が「ダイアモンド」であるか否かを報知する。そして、例えば図３８（Ｃ）に示すように先に報知された「ダイアモンド」となった場合には、特別演出で遊技者ＰＰが達成すべき内容が実現されたことから、例えば図３８（Ｄ）に示すような「７」の数字を示す飾り図柄が揃って停止表示されるとともに、可変表示結果が「大当り」となったことが報知されればよい。なお、可変表示結果が「ハズレ」に決定された場合には、「ダイアモンド」以外のアイテムであることを報知した後、リーチ組合せ（リーチハズレ組合せ）の確定飾り図柄が導出表示されるようにすればよい。特別演出の実行中に遊技者ＰＰの左手ＬＨが仮想操作領域ＶＡ１に差し入れられなかった場合には、図３８（Ｂ）及び（Ｃ）に示すような演出動作が実行されることなく、確定飾り図柄が導出表示されるようにしてもよい。
【０３０１】
図３９及び図４０は、特別演出となる演出動作の他の一例として、「宝さがしリーチ」のリーチ演出における演出動作例を示している。このリーチ演出が開始されるときには、まず、図３９（Ａ）に示すような演出画像が表示される。図３９（Ａ）に示す演出画像には、例えば「宝をさがせ！」といったメッセージが含まれている。続いて、図３９（Ｂ１）に示すような演出画像が表示される。図３９（Ｂ１）に示す演出画像には、図３５（Ｂ１）などに示した演出画像と同様に、メッセージＭＳ１やメッセージＭＳ２が含まれている。これにより、例えば図３９（Ｂ２）に示すように、遊技者ＰＰは左手ＬＨを仮想操作領域ＶＡ１から一旦排除するように移動させたり、上皿に遊技球を補給したりすることができる。
【０３０２】
図３９（Ｂ１）に示す演出画像の表示に続いて、図３９（Ｃ）に示すような演出画像が表示される。図３９（Ｃ）に示す演出画像には、例えば「スタートしたら手を領域に入れて宝を選んでください！」といった遊技者ＰＰが行う動作内容を報知するメッセージＭＳ５が含まれており、この報知内容に基づいて遊技者ＰＰが左手ＬＨなどを動作させることになる。その後、例えば図３９（Ｄ）に示すような演出画像が表示されたときに、左手ＬＨの動作態様を検知するための処理が開始されればよい。
【０３０３】
一例として、図３９（Ｅ２）に示すように、遊技者ＰＰが左手ＬＨを仮想境界面ＶＢ１から仮想操作領域ＶＡ１へと差し入れたときには、図３９（Ｅ１）に示すように左手ＬＨに対応した仮想画像ＭＨ３を表示するなどして、宝箱を選ぶ様子が仮想的に表示される。このときには、画像表示装置５の表示領域における宝箱を示す演出画像の表示態様を、可変表示結果が「大当り」に決定されたか否かなどに応じて異ならせるようにしてもよいし、その決定結果に応じて異なる割合で複数種類の表示態様のいずれかとなるようにしてもよい。例えば、可変表示結果を「大当り」にすると決定された場合には、１つの宝箱あるいは複数の宝箱が、仮想的に光った状態で表示され、その光っている宝箱を選べば可変表示結果が「大当り」になることを遊技者が認識可能に報知してもよい。あるいは、表示されている宝箱のうちで仮想的に光った状態で表示されているものの数に応じて、可変表示結果が「大当り」となる可能性（信頼度）を異ならせてもよい。
【０３０４】
図４０（Ａ２）に示すように、遊技者ＰＰが左手ＬＨを仮想操作領域ＶＡ１の上部において仮想境界面ＶＢ１と平行に左側から右方向へと移動させたときには、図４０（Ａ１）に示すように表示を変化させて、左手ＬＨに対応した仮想画像ＭＨ３を右上部に表示された宝箱の位置に移動させる。また、図４０（Ｂ２）に示すように、遊技者ＰＰが左手ＬＨを仮想操作領域ＶＡ１において仮想境界面ＶＢ１と平行に円形移動させ、左下部へと移動させたときには、図４０（Ｂ１）に示すように表示を変化させて、左手ＬＨに対応した仮想画像ＭＨ３を左下部に表示された宝箱の位置に移動させる。このときには、遊技者ＰＰの左手ＬＨが所在する位置を照射位置とする超音波信号の出力を開始して所定の触感を与えることにより、左下部に表示された宝箱に「宝」が入っている可能性が高いことなどを認識させればよい。超音波信号の出力は、遊技者の左手ＬＨに対応した仮想画像ＭＨ３の表示位置が、図４０（Ａ１）及び（Ｂ１）にて破線で示された手型の表示位置と合致したときに、開始されるようにしてもよい。あるいは、仮想画像ＭＨ３の表示位置が、手型の表示位置の一部と重なり合ったときに、超音波信号の出力が開始されるようにしてもよい。こうしたリーチ演出が実行されるときには、例えば図３２に示すステップＳ６６６の処理が実行されることなどにより、カメラ３３の撮影による検知対象物（左手ＬＨ）の検知結果に対応して、超音波信号の照射位置が設定されてもよい。
【０３０５】
また、例えば遊技者ＰＰの左手ＬＨが仮想操作領域ＶＡ１において検知された位置に応じて、超音波信号の照射位置を変更しつつ、その他の超音波信号の出力設定を変化させてもよい。一例として、図４０（Ｂ１）に示すように、特定の宝箱（例えば左下部の宝箱など）を選ぶ位置に左手ＬＨが所在するときには、特定の宝箱以外の宝箱を選ぶ位置に左手ＬＨが所在するときに比べて、超音波信号を出力するための駆動振幅を増加させて、遊技者に与える触感を増大（強化）させてもよい。その他にも、例えば超音波信号を出力させる開始タイミング、駆動周波数、照射期間、照射回数などといった、超音波信号の任意な出力設定のいずれかを異ならせることにより、左手ＬＨの所在位置に応じて遊技者ＰＰに異なる触感を与えるようにしてもよい。このように、カメラ３３の撮影による検知結果から特定された検知対象物の所在位置に基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、カメラ３３の撮影による検知結果から特定された検知対象物の所在位置に応じて異ならせるようにしてもよい。あるいは、カメラ３３の撮影による検知結果から特定された検知対象物の所在位置に基づいて、遊技者に所定の触感を与えるための超音波信号を出力するか否かを決定してもよい。また、遊技者に所定の触感を与えるための超音波信号を出力するか否かの決定割合を、カメラ３３の撮影による検知結果から特定された検知対象物の所在位置に応じて異ならせるようにしてもよい。
【０３０６】
さらに、例えば遊技者ＰＰの左手ＬＨが仮想操作領域ＶＡ１において検知されたときの形状に応じて、超音波信号の出力設定を変化させてもよい。一例として、遊技者ＰＰの左手ＬＨが開かれた形状を検知したときには、宝箱の表面に触れた場合のような「ゴツゴツ」とした触感を遊技者に与えるように、超音波信号の駆動周波数や照射位置などが設定されればよい。これに対して、遊技者ＰＰの左手ＬＨが宝箱を掴んで開けるような形状や動作方向を検知したときには、宝箱が開かれる場合のような「ガタガタ」とした触感を左手ＬＨの指先に与えるように、超音波信号の駆動周波数や照射位置などが設定されればよい。その他にも、例えば左手ＬＨの動作速度といった、カメラ３３による撮影結果に基づいて検知された任意の動作態様に応じて、超音波信号の出力設定を変化させて、遊技者に異なる触感を与えるようにしてもよい。このように、カメラ３３の撮影による検知結果から特定された検知対象物の任意な動作態様に基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、カメラ３３の撮影による検知結果から特定された検知対象物の任意な動作態様に応じて異ならせるようにしてもよい。あるいは、カメラ３３の撮影による検知結果から特定された検知対象物の任意な動作態様に基づいて、遊技者に所定の触感を与えるための超音波信号を出力するか否かを決定してもよい。また、遊技者に所定の触感を与えるための超音波信号を出力するか否かの決定割合を、カメラ３３の撮影による検知結果から特定された検知対象物の任意な動作態様に応じて異ならせるようにしてもよい。
【０３０７】
図４０（Ｂ１）に示すような演出動作が実行され、遊技者ＰＰが左下部の宝箱を選んだことに対応して、図４０（Ｃ）及び（Ｄ）に示すような演出画像を表示することなどにより、選ばれた宝箱の中身が「宝」であるか否かを報知する。そして、例えば図４０（Ｄ）に示すように宝箱の中身が「宝」である場合には、特別演出で遊技者ＰＰが達成すべき内容が実現されたことから、例えば図４０（Ｅ）に示すような「７」の数字を示す飾り図柄が揃って停止表示されるとともに、可変表示結果が「大当り」となったことが報知されればよい。なお、可変表示結果が「ハズレ」に決定された場合には、宝箱の中身が「宝」ではないことを報知した後、リーチ組合せ（リーチハズレ組合せ）の確定飾り図柄が導出表示されるようにすればよい。特別演出の実行中に遊技者ＰＰの左手ＬＨが仮想操作領域ＶＡ１に差し入れられなかった場合には、図４０（Ｃ）及び（Ｄ）に示すような演出動作が実行されることなく、確定飾り図柄が導出表示されるようにしてもよい。
【０３０８】
図４１は、図３５及び図３６に示した特別演出と同様の特別演出が実行される場合に、遊技者ＰＰが左手ＬＨを仮想操作領域ＶＡ１とは異なる仮想操作領域ＶＡ２に差し入れて飾り図柄（確定飾り図柄）を停止させるようなリーチ演出における演出動作例を示している。このリーチ演出が開始されるときには、まず、図４１（Ａ）に示すような演出画像が表示される。図４１（Ａ）に示す演出画像には、図３５（Ａ）に示した演出画像と同様のメッセージが含まれている。また、図４１（Ａ）に示す表示動作例では、例えば「７」の数字を示す飾り図柄を通常の単一色表示とは異なる花柄で表示することにより、可変表示結果が「大当り」となる可能性が高いことを報知してもよい。
【０３０９】
続いて、図４１（Ｂ１）に示すような演出画像を表示することなどにより、遊技者ＰＰに左手ＬＨを仮想操作領域ＶＡ２から一旦排除させればよい。図４１（Ｂ１）に示す演出画像では、メッセージＭＳ１などにより、遊技者ＰＰに仮想操作領域ＶＡ２から検知対象物となる左手ＬＨを取り除くように指示する。これにより、例えば図４１（Ｂ２）に示すように、遊技者ＰＰは左手ＬＨを仮想操作領域ＶＡ２から一旦排除するように移動させることができる。このように、演出画像の表示といった所定の演出動作により、遊技者ＰＰに仮想操作領域ＶＡ２や仮想境界面ＶＢ２を認識させることができる。なお、仮想操作領域ＶＡ２や仮想境界面ＶＢ１と同様に、例えば下皿形成部材に境界面報知ユニットや認識用部材を配置することで、遊技者に仮想操作領域ＶＡ２や仮想境界面ＶＢ２などを認識させてもよい。特別演出が開始される時点での演出動作状態に対応してステップＳ６２１の処理による演出動作制御が行われるときには、下皿形成部材に配置された境界面報知ユニットによる報知動作を開始させて、遊技者に仮想操作領域ＶＡ２や仮想境界面ＶＢ２を認識させるようにしてもよい。また、照射領域報知ユニットによる報知動作や照射領域提示用部材、あるいは演出画像の表示といった所定の演出動作により、仮想操作領域ＶＡ２に対応した超音波信号の照射領域を遊技者に認識させるようにしてもよい。これにより、遊技者が超音波信号の照射領域を容易に把握して、所定の触感を得るための操作の正確性などを向上させることができる。
【０３１０】
図４１（Ｂ１）に示す演出画像の表示に続いて、図３５（Ｃ）及び（Ｄ）、（Ｅ１）と同様に演出画像の表示などが行われるようにすればよい。ここでは、遊技者ＰＰが左手ＬＨを仮想境界面ＶＢ２から仮想操作領域ＶＡ２へと差し入れたときに、左手ＬＨに対応した仮想画像を表示するなどして、落下する飾り図柄を受け止めるような演出画像が表示されればよい。このとき、仮想操作領域ＶＡ２では、例えば超音波出力装置３２Ｌ、３２Ｃ、３２Ｒとは別個に設けられた超音波出力装置から超音波信号を出力して、遊技者ＰＰの左手ＬＨに照射することなどにより、飾り図柄が遊技者ＰＰの左手ＬＨに衝突するような感触が与えられればよい。
【０３１１】
このときには、図３６（Ａ１）における飾り図柄ＦＡ１を示す演出画像が表示されたときと同様に、特別図柄や飾り図柄の可変表示結果などに応じて、超音波信号の出力設定を変化させてもよい。すなわち、同一の演出画像が表示されるときに、可変表示結果が「大当り」となるか否かの決定結果に基づいて、遊技者に異なる触感を与えるための複数種類の超音波信号のうち、いずれかを選択して出力させるようにしてもよい。また、同一の演出画像が表示されるときに、遊技者に異なる触感を与えるための複数種類の超音波信号のうちで、仮想操作領域ＶＡ２内に照射される超音波信号の選択割合を、可変表示結果が「大当り」となるか否かの決定結果に応じて異ならせるようにしてもよい。あるいは、同一の演出画像が表示されるときに、可変表示結果が「大当り」となるか否かの決定結果に基づいて、遊技者に所定の触感を与えるための超音波信号を出力するか否かを決定してもよい。また、同一の演出画像が表示されるときに、遊技者に所定の触感を与えるための超音波信号を仮想操作領域ＶＡ２内に出力するか否かの決定割合を、可変表示結果が「大当り」となるか否かの決定結果に応じて異ならせるようにしてもよい。
【０３１２】
このように、図３５及び図３６に示した特別演出と同様の特別演出が実行される場合に、仮想操作領域ＶＡ２へと差し入れられた遊技者ＰＰの左手ＬＨに向けて、所定の触感を与えるための超音波信号を照射する。この場合、仮想操作領域ＶＡ２は、パチンコ遊技機１の上皿形成部材と下皿形成部材との間に配置されており、遊技領域の前面や画像表示装置５の表示領域の前面とは異なる位置に配置されている。このように、画像表示装置５の表示領域とは重ならない位置に仮想操作領域ＶＡ２を配置し、その仮想操作領域ＶＡ２内に超音波信号が照射されるので、遊技者ＰＰが左手ＬＨを仮想操作領域ＶＡ２に差し入れたときなどに、画像表示装置５の表示領域における演出画像の表示と、超音波信号を用いた演出動作とが、連動していることを遊技者が容易に認識することができ、遊技の興趣を向上させることができる。
【０３１３】
図３５及び図３６に示した特別演出が実行される場合に限定されず、例えば図３７及び図３８、図３９及び図４０に示した特別演出が実行される場合でも、仮想操作領域ＶＡ２へと差し入れられた遊技者ＰＰの左手ＬＨに向けて、所定の触感を与えるための超音波信号が照射されるようにしてもよい。これらの場合にも、画像表示装置５の表示領域と重ならない位置に配置された仮想操作領域ＶＡ２内に超音波信号が照射されるので、遊技者ＰＰが左手ＬＨを仮想操作領域ＶＡ２に差し入れたときなどに、画像表示装置５の表示領域における演出画像の表示と、超音波信号を用いた演出動作とが、連動していることを遊技者が容易に認識することができ、遊技の興趣を向上させることができる。
【０３１４】
図３５〜図４０などで例示した特別演出の他にも、遊技者に所定の触感を与えるための超音波信号を用いた任意の演出形態で特別演出を実行するものであればよい。一例として、仮想操作領域ＶＡ１に差し入れられた遊技者ＰＰの左手ＬＨに対して、所定の文字や記号を示す所定形状が描かれるように超音波信号の照射位置（照射範囲）を設定し、画像表示装置５の表示領域に表示された複数の演出画像のうちから、超音波信号により描かれた所定形状と同一の形状を含む演出画像が選択された場合に、可変表示結果が「大当り」となるか否かの報知や、可変表示結果が「大当り」となる可能性の報知などが、行われるようにしてもよい。
【０３１５】
以上説明したように、上記実施の形態におけるパチンコ遊技機１では、特定演出における演出動作の一部として、遊技者に所定の触感を与えるための超音波信号が超音波出力装置３２Ｌ、３２Ｃ、３２Ｒから出力され、パチンコ遊技機１から離間した所定の照射領域内において設定した照射位置に照射される。これにより、例えば画像表示装置５の表面といった、パチンコ遊技機１の所定位置に遊技者が接触することなく、遊技者の触覚に刺激を与えることができる。したがって、より広い範囲で遊技者の感覚に刺激を与えることができ、演出内容を多様化して遊技の興趣を向上させることができる。
【０３１６】
また、例えば図３６（Ａ１）などに示したように、特別演出において画像表示装置５により所定の演出画像が表示されたときには、その表示位置にあわせて超音波信号の照射位置が設定される。こうして、演出画像を表示する演出動作と連動して遊技者の感覚に刺激を与えることで、演出動作と触感の対応関係を明確にして遊技の興趣を向上させることができる。
【０３１７】
例えば図３７（Ｅ１）及び図３８（Ａ１）におけるアイテムＦＡ２を示す演出画像を立体画像として表示する場合には、立体画像として投射された演出画像の表示位置にあわせて超音波信号の照射位置が設定される。こうして、立体画像を表示する演出動作と連動して遊技者の感覚に刺激を与えることで、より現実に近い印象を遊技者に与えて遊技の興趣を向上させることができる。
【０３１８】
さらに、カメラ３３による撮影結果に応じて、超音波信号の照射位置を含めた超音波信号の出力設定が行われる。これにより、遊技者の操作行為などに応じて、遊技者の感覚に的確な刺激を与えやすくして遊技の興趣を向上させることができる。
【０３１９】
カメラ３３で検知対象物となる遊技者ＰＰの左手ＬＨなどを撮影して生成された撮影画像データを用いて、カメラ３３の撮影範囲内でカメラ３３の位置に対して特定の関係に予め設定された仮想操作領域ＶＡ１における検知対象物の検知結果に基づき、特別演出における演出画像の表示を変化させる。これにより、例えば遊技者ＰＰの左手ＬＨによる操作といった、検知対象物の動作との関連性を直感的に理解できる演出内容を多様化して、遊技の興趣を向上させることができる。また、境界面報知ユニットや認識用部材を配置すること、あるいは所定の演出画像を表示するなどの演出動作を実行することで、遊技者に仮想操作領域ＶＡ１や仮想操作領域ＶＡ２を認識させる。これにより、遊技者が仮想操作領域ＶＡ１や仮想操作領域ＶＡ２といった検知領域を容易に把握して、演出画像を変化させる操作の正確性などを向上させることができる。
【０３２０】
この発明は、上記実施の形態に限定されず、様々な変形及び応用が可能である。例えば、上記実施の形態では、パチンコ遊技機１がカメラ３３を備え、その撮影結果に基づいて検知対象物の動作方向、動作速度、形状変化などが検知されるものとして説明した。しかしながら、この発明はこれに限定されず、カメラ３３による撮影を行うことなく、遊技者に所定の触感を与えるための超音波信号が超音波出力装置３２Ｌ、３２Ｃ、３２Ｒから出力され、パチンコ遊技機１から離間した所定の照射範囲内に照射されるものとしてもよい。すなわち、上記実施の形態で示した全ての技術的特徴を備えるものでなくてもよく、従来技術における少なくとも１つの課題を解決できるように、上記実施の形態で説明した一部の構成を備えたものであってもよい。
【０３２１】
例えばカメラ３３による撮影を行うことなく超音波信号が出力される場合などでは、超音波信号の照射位置（焦点位置）が遊技者の皮膚表面と合致せず、遊技者に所定の触感を与えられない状態となることがある。このような場合でも、例えば演出画像の表示位置にあわせて超音波信号の照射位置を設定することなどにより、遊技者ＰＰが左手ＬＨを演出画像の表示位置にあわせて移動させれば、所定の触感を得ることが可能である。すなわち、超音波出力装置３２Ｌ、３２Ｃ、３２Ｒなどから出力される超音波信号は、遊技者に所定の触感を与える可能性があるものとして照射されればよく、遊技者に必ず所定の触感を与えるものでなくてもよい。
【０３２２】
あるいは、超音波出力装置３２Ｌ、３２Ｃ、３２Ｒなどから出力される超音波信号は、遊技者に所定の触感を与えるために出力されるものに限定されず、例えば遊技者に所定の触感を与えることなく、所定の演出動作を実行するために出力されるものであってもよい。一例として、水などの液体が入った容器を備えた演出用の部材に向けて超音波信号を照射することにより、容器内の液体を揺動させる演出動作が実行されてもよい。また、紙片が入った容器を備えた演出用の部材に向けて超音波信号を照射することにより、紙片が舞うような演出動作が実行されてもよい。これらの場合に、特別図柄や飾り図柄の可変表示結果などに応じて、超音波信号の出力設定を変化させてもよい。これにより、超音波信号を用いた演出動作における動作態様により、可変表示結果が「大当り」となるか否かの可能性（大当り信頼度）などを異ならせることができればよい。
【０３２３】
上記実施の形態において、超音波信号の出力設定は、可変表示結果が「大当り」となる可能性や、画像表示装置５による演出画像（平面画像または立体画像）の表示位置、カメラ３３による撮影結果に基づく検知対象物の動作態様などに応じて、遊技者に異なる触感を与えるように設定されるものとして説明した。その他にも、超音波信号の出力設定は、例えば所定の操作検出期間における操作ボタン３０の操作回数や操作強度、操作方向といった、所定の操作部材に対する遊技者の操作態様などに応じて、遊技者に異なる触感を与えるように設定されてもよい。一例として、特別演出の実行が開始されたときには、まずは操作ボタン３０を用いて演出動作を切替可能な所定演出（例えば遊技者に操作ボタン３０を連打させるミニゲームなど）が行われる。このとき、操作ボタン３０に対する所定操作（例えば押下操作など）を有効に検出する操作検出期間となる。そして、操作検出期間が終了するまでに検出された操作ボタン３０の操作回数などに応じて、その後に超音波信号を出力する際の開始タイミング、駆動周波数、駆動振幅、照射位置のいずれかといった、超音波信号の出力設定を異ならせてもよい。また、操作検出期間内にて超音波信号の出力を開始した後、操作ボタン３０の操作回数などに応じて超音波信号の出力設定を変化させてもよい。あるいは、操作ボタン３０といった所定の操作部材に対する所定操作（例えば押下操作など）が検出されたか否かに応じて、遊技者に所定の触感を与えるための超音波信号の出力を開始または停止させてもよい。このように、所定の操作部材に対する遊技者の操作態様に基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、所定の操作部材に対する遊技者の操作態様に応じて異ならせるようにしてもよい。あるいは、所定の操作部材に対する遊技者の操作態様に基づいて、遊技者に所定の触感を与えるための超音波信号を出力するか否かを決定してもよい。また、遊技者に所定の触感を与えるための超音波信号を出力するか否かの決定割合を、所定の操作部材に対する遊技者の操作態様に応じて異ならせるようにしてもよい。
【０３２４】
また、画像表示装置５による演出画像の表示位置に限定されず、例えば特別演出におけるスピーカ８Ｌ、８Ｒからの音声出力態様や、遊技効果ランプ９もしくは装飾用ＬＥＤの点灯態様、あるいは演出用の可動部材における動作態様といった、任意の演出装置による演出動作における演出態様に応じて、超音波信号の出力設定を異ならせることにより、遊技者に異なる触感を与えるようにしてもよい。一例として、遊技領域の内部または外部に設けられた演出用の可動部材を移動させる演出動作が実行される場合に、その可動部材の所在位置にあわせて超音波信号の照射位置を設定することで、遊技者に所定の触感が与えられる位置を、可動部材の移動にあわせて移動させるようにしてもよい。あるいは、所定の演出動作が実行されたか否かに応じて、遊技者に所定の触感を与えるための超音波信号の出力を開始または停止させてもよい。このように、所定の演出動作を実行するか否かの決定結果に基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、所定の演出動作を実行するか否かの決定結果に応じて異ならせるようにしてもよい。あるいは、所定の演出動作を実行するか否かの決定結果に基づいて、遊技者に所定の触感を与えるための超音波信号を出力するか否かを決定してもよい。また、遊技者に所定の触感を与えるための超音波信号を出力するか否かの決定割合を、所定の演出動作を実行するか否かの決定結果に応じて異ならせるようにしてもよい。
【０３２５】
上記実施の形態では、特別演出において照射される超音波信号の出力設定を異ならせることにより、遊技者に与える触感を大当り信頼度に応じて異ならせることができるものとして説明した。しかしながら、この発明はこれに限定されず、大当り遊技状態とは異なる遊技者にとって有利な所定の遊技価値が付与される可能性に応じて遊技者に与える触感を異ならせるように、超音波信号の出力設定が行われるようにしてもよい。例えば、確変状態や時短状態では、通常状態に比べて大当り遊技状態になりやすくなるという、遊技者にとって有利な遊技価値が付与される。その他にも、大当り遊技状態にて実行可能なラウンドの上限回数が第２ラウンド数（例えば「２」）よりも多い第１ラウンド数（例えば「１５」）となることや、時短状態にて実行可能な特図ゲームの上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に制御される回数である連チャン回数が第２連チャン数（例えば「５」）よりも多い第１連チャン数（例えば「１０」）となることといった、様々な遊技価値が付与されることがある。こうした様々な遊技価値の少なくとも一部が付与される可能性に応じて異なる割合で、超音波信号の出力設定が決定されてもよい。
【０３２６】
このように、遊技者にとって有利な任意の遊技価値を付与するか否かの決定結果に基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、遊技者にとって有利な任意の遊技価値を付与するか否かの決定結果に応じて異ならせるようにしてもよい。あるいは、遊技者にとって有利な任意の遊技価値を付与するか否かの決定結果に基づいて、遊技者に所定の触感を与えるための超音波信号を出力するか否かを決定してもよい。また、遊技者に所定の触感を与えるための超音波信号を出力するか否かの決定割合を、遊技者にとって有利な任意の遊技価値を付与するか否かの決定結果に応じて異ならせるようにしてもよい。
【０３２７】
また、確変制御が行われる確変状態において通常状態と共通の演出態様で演出動作が行われる場合に、遊技状態が通常状態であるか確変状態であるか（確変制御が行われているか否か）に応じて異なる割合で、超音波信号の出力設定が複数種類のいずれかに決定されてもよい。あるいは、確変状態であるときには、通常状態であるときとは異なる触感を遊技者に与えるように、超音波信号の出力設定が行われるようにしてもよい。こうして、超音波信号の出力設定を異ならせることにより、遊技状態が確変状態であるか否かや、遊技状態が確変状態である可能性に応じて、遊技者に与える触感を異ならせるようにしてもよい。遊技状態が確変状態であることに限定されず、遊技者にとって有利な遊技価値が付与されたか否かや、こうした遊技価値が付与された可能性に応じて、遊技者に与える触感を異ならせるように、超音波信号の出力設定が行われるようにしたものであればよい。
【０３２８】
このように、遊技者にとって有利な任意の遊技価値が付与されたか否かに基づいて、遊技者に異なる触感を与えるための複数種類の超音波信号のうち、いずれかを選択して出力させるようにしてもよい。また、遊技者に異なる触感を与えるための複数種類の超音波信号のうちで、超音波出力装置３２Ｌ、３２Ｃ、３２Ｒなどから出力される超音波信号の選択割合を、遊技者にとって有利な任意の遊技価値が付与されたか否かに応じて異ならせるようにしてもよい。あるいは、遊技者にとって有利な任意の遊技価値が付与されたか否かに基づいて、遊技者に所定の触感を与えるための超音波信号を出力するか否かを決定してもよい。また、遊技者に所定の触感を与えるための超音波信号を出力するか否かの決定割合を、遊技者にとって有利な任意の遊技価値が付与されたか否かに応じて異ならせるようにしてもよい。
【０３２９】
超音波出力装置３２Ｌ、３２Ｃ、３２Ｒの配置は、円形透視窓の周囲における所定位置や、上皿形成部材と下皿形成部材の間における所定位置に限定されず、遊技者に所定の触感を与えるための超音波信号を出力できる任意な配置であればよい。一例として、上皿形成部材の上面における所定位置に超音波出力装置を配置して、仮想操作領域ＶＡ１に差し入れられた遊技者の手などに向けて、下方から超音波信号を照射できるようにしてもよい。あるいは、遊技領域を形成する遊技盤２の少なくとも一部に超音波出力装置を配置し、ガラス扉枠に開設された円形透視窓のガラス板などを介して、遊技者に所定の触感を与えるための超音波信号を照射できるようにしてもよい。
【０３３０】
このように、超音波出力装置の配置は任意のものであればよく、複数の超音波出力装置によって単一の照射領域内に超音波信号が照射されるようにしてもよいし、複数の超音波出力装置によって互いに異なる複数の照射領域内に超音波信号が照射されるようにしてもよい。また、単一の超音波出力装置によって複数の照射領域のいずれかに向けて超音波信号が照射されるようにしてもよい。
【０３３１】
遊技者に異なる触感を与えるための複数種類の超音波信号のうちでいずれを出力させるかの決定や、遊技者に所定の触感を与えるための超音波信号を出力させるか否かの決定は、パチンコ遊技機１における遊技の進行を制御するために設けられた遊技制御用マイクロコンピュータ１００のＣＰＵ１１１などによる所定の決定結果に基づいて、パチンコ遊技機１における演出動作を制御するために設けられた演出制御用マイクロコンピュータ１２０のＣＰＵ１３１などによって行われるようにしてもよい。あるいは、遊技者に異なる触感を与えるための複数種類の超音波信号のうちでいずれを出力させるかの決定や、遊技者に所定の触感を与えるための超音波信号を出力させるか否かの決定は、パチンコ遊技機１における遊技の進行を制御するために設けられた遊技制御用マイクロコンピュータ１００のＣＰＵ１１１などによる決定結果にかかわらず、パチンコ遊技機１における演出動作を制御するために設けられた演出制御用マイクロコンピュータ１２０のＣＰＵ１３１などによって独自に行われるようにしてもよい。
【０３３２】
上記実施の形態では、演出制御基板１２に搭載された演出制御用マイクロコンピュータ１２０のＣＰＵ１３１が、各種演出動作の制御内容を決定するものとして説明した。しかしながら、この発明はこれに限定されず、例えば演出動作を制御するために設けられた複数の制御基板にそれぞれ搭載された複数のＣＰＵなどにより、各種演出動作の制御内容を分担して決定するようにしてもよい。
【０３３３】
一例として、演出制御基板１２と画像表示装置５との間に、表示制御基板を設ける。表示制御基板には、表示制御用ＣＰＵと、ＲＯＭと、ＲＡＭと、乱数回路と、入出力ポートとが搭載されていればよい。この場合、表示制御基板に搭載された表示制御用ＣＰＵが画像表示装置５における表示動作の制御内容を決定するための処理などを実行することから、上記実施の形態で演出制御基板１２に搭載された表示制御部１２１は、表示制御基板に搭載されればよい。表示制御基板では、例えば表示制御用ＣＰＵがＲＯＭから読み出したプログラムを実行することにより、画像表示装置５における演出画像の表示による演出動作を制御するための処理が実行される。このときには、表示制御用ＣＰＵがＲＯＭから固定データを読み出す固定データ読出動作や、表示制御用ＣＰＵがＲＡＭに各種の変動データを書き込んで一時記憶させる変動データ書込動作、表示制御用ＣＰＵがＲＡＭに一時記憶されている各種の変動データを読み出す変動データ読出動作、表示制御用ＣＰＵが入出力ポートを介して表示制御基板の外部から各種信号の入力を受け付ける受信動作、表示制御用ＣＰＵが入出力ポートを介して表示制御基板の外部へと各種信号を出力する送信動作なども行われる。
【０３３４】
この場合、表示制御用ＣＰＵは、例えば演出制御基板１２からの表示制御指令や演出制御基板１２を介して主基板１１から伝送された演出制御コマンドなどに基づき、上記実施の形態において演出制御用マイクロコンピュータ１２０のＣＰＵ１３１が実行した処理の一部を実行できればよい。なお、表示制御用ＣＰＵは、上記実施の形態にてＣＰＵ１３１が実行した処理のうち、任意の一部を実行するものであればよい。また、上記実施の形態において演出制御基板１２に搭載された音制御部１２２を音声制御基板に搭載させ、これに代えて、あるいは、これとともに、上記実施の形態において演出制御基板１２に搭載されたランプ制御基板１２３をランプ制御基板に搭載させてもよい。この場合、音声制御基板やランプ制御基板は、演出制御基板１２からの制御指令を伝送する配線により、演出制御基板１２と接続されてもよい。そして、演出制御基板１２では、例えば演出制御用マイクロコンピュータ１２０のＣＰＵ１３１により、演出動作を統括的に制御するための処理が実行されればよい。こうした構成において、音声制御基板に搭載されたマイクロコンピュータやランプ制御基板に搭載されたマイクロコンピュータにより、上記実施の形態にて演出制御用マイクロコンピュータ１２０のＣＰＵ１３１が実行した処理のうち、任意の一部が実行されるようにしてもよい。このように、演出動作を制御するために複数の制御基板が設けられた場合には、画像表示装置５における表示動作の制御内容を決定するための処理、スピーカ８Ｌ、８Ｒにおける音声出力動作の制御内容を決定するための処理、遊技効果ランプ９といった電飾部材における点灯動作の制御内容を決定するための処理、超音波出力装置３２Ｌ、３２Ｃ、３２Ｒにおける超音波出力動作の制御内容を決定するための処理といった、各種の演出動作の制御内容を決定するための処理がそれぞれ、いずれの制御基板で実行されるかの組合せは、任意の組合せであればよい。
【０３３５】
上記実施の形態では、可変表示結果が「小当り」となったことに基づいて小当り遊技状態に制御され、小当り遊技状態が終了した後には、遊技状態の変更が行われない。その一方で、可変表示結果が「大当り」となる場合に大当り種別が「突確」となったことに基づいて２ラウンド大当り状態に制御され、２ラウンド大当り状態が終了した後には、確変状態に制御されるものとして説明した。しかしながら、この発明はこれに限定されず、大当り種別が「突確」となる場合や可変表示結果が「小当り」となる場合に代えて、あるいは、これらの場合に加えて、「突然時短」や「突然通常」となる場合を設けるようにしてもよい。一例として、「突然時短」と「突然通常」は、可変表示結果が「大当り」となる場合における大当り種別に含まれるものとする。この場合、大当り種別決定テーブル２０１は、変動特図指定バッファ値に応じて、大当り種別決定用の乱数値ＭＲ２と比較される数値（決定値）を、「突然時短」や「突然通常」の大当り種別に割り当てるテーブルデータが含まれるように構成されればよい。そして、可変表示結果が「大当り」となる場合に大当り種別が「突然時短」となるときには、大当り種別が「突確」の場合と同様にして２ラウンド大当り状態に制御され、２ラウンド大当り状態が終了した後には、大当り種別が「突確」の場合とは異なり時短状態に制御される。他方、可変表示結果が「大当り」となる場合に大当り種別が「突然通常」となるときには、大当り種別が「突確」の場合と同様にして２ラウンド大当り状態に制御され、２ラウンド大当り状態が終了した後には、大当り種別が「突確」の場合とは異なり通常状態に制御される。これにより、２ラウンド大当り状態の終了後に制御される遊技状態に対する遊技者の期待感を高め、遊技興趣を向上させることができる。
【０３３６】
上記実施の形態では、遊技機の例として、特別図柄や飾り図柄を可変表示する機能や各種の演出画像を表示する機能を有するパチンコ遊技機１を用いて説明した。しかしながら、この発明は、上記実施の形態におけるパチンコ遊技機１に限定されず、スロットマシンなどの他の遊技機にも適用することができる。以下、この発明を他の遊技機の一例であるスロットマシンに適用した場合について説明する。
【０３３７】
図４２は、この発明を適用したスロットマシンの一例となるスロットマシン５００の正面図であり、主要部材のレイアウトを示す。スロットマシン５００は、大別して、前面が開口する筐体と、この筐体の側端に回動自在に枢支された前面扉とから構成されている。
【０３３８】
スロットマシン５００の筐体内部には、外周に複数種の図柄が配列されたリールＲＬ、ＲＣ、ＲＲを水平方向に並設した可変表示装置５０１が設置されている。リールＲＬ、ＲＣ、ＲＲの外周部には、例えば「赤７」、「白７」、「ＢＡＲ」、「ＪＡＣ」、「スイカ」、「チェリー」、「ベル」といった、互いに識別可能な複数種類の図柄が所定の順序で描かれている。リールＲＬ、ＲＣ、ＲＲの外周部に描かれた図柄は、各々上中下三段に表示されている。各リールＲＬ、ＲＣ、ＲＲは、各々対応して設けられたリールモータ６５１Ｌ、６５１Ｃ、６５１Ｒ（図４３）によって回転させることで、各リールＲＬ、ＲＣ、ＲＲの図柄が連続的に変化しつつ表示されるとともに、各リールＲＬ、ＲＣ、ＲＲの回転を停止させることで、３つの連続する図柄が表示結果として導出表示されるようになっている。
【０３３９】
また、スロットマシン５００の前面扉には、上記実施の形態における画像表示装置５と同様の表示機能を有する画像表示装置５１０が設けられている。そして、スロットマシン５００の前面扉における可変表示装置５０１の下部などには、遊技者が各種の操作を行うための各種入力スイッチ等が配される操作テーブル５２０が設けられている。操作テーブル５２０の奥側には、スロットマシン５００において遊技媒体となるメダルを投入して収納可能なメダル投入口５０２、メダルを１枚分の賭数を設定（ＢＥＴ）するためのＢＥＴスイッチ５０３、１ゲームで賭けることのできる最高枚数分（本例では３枚分）の賭数を設定するためのＭＡＸＢＥＴスイッチ５０４、クレジット（遊技者所有の遊技用価値として記憶されているメダル数）として記憶されているメダル及び賭数の設定に用いたメダルを精算するための精算スイッチ５０８が設けられている。メダル投入口５０２に投入されたメダルは、所定の投入メダルセンサによって検知される。
【０３４０】
操作テーブル５２０の手前側には、スロットマシン５００にてゲームを開始する際に操作されるスタートレバー５０５、リールＲＬ、ＲＣ、ＲＲの回転を各々停止する際に操作されるストップスイッチ５０６Ｌ、５０６Ｃ、５０６Ｒが設けられている。操作テーブル５２０の下部には、メダルが払い出されるメダル払出口５０７が設けられている。
【０３４１】
スロットマシン５００の前面扉における可変表示装置５０１の下部といった所定位置には、スロットマシン５００での遊技に関する各種の情報を表示するための遊技情報表示部が設けられている。例えば、遊技情報表示部は、クレジットとして記憶されているメダル枚数が表示されるクレジット表示器や、ビッグボーナス中のメダルの獲得枚数やエラー発生時にその内容を示すエラーコード等が表示される補助表示器、入賞の発生により払い出されたメダル枚数が表示されるペイアウト表示器などを備えていればよい。スロットマシン５００の上部左右には、効果音を発する２つのスピーカ５１１Ｌ、５１１Ｒが設けられている。その他、画像表示装置５１０の上部には、遊技効果ランプ５１２やカメラ５３３が設けられており、画像表示装置５１０や可変表示装置５０１の左右には、遊技効果ランプ５１３、５１４が設けられている。
【０３４２】
スロットマシン５００においてゲームを行う場合には、まず、メダルをメダル投入口５０２から投入するか、あるいはクレジットを使用して賭数を設定する。クレジットを使用するにはＢＥＴスイッチ５０３またはＭＡＸＢＥＴスイッチ５０４を操作する。こうして賭数が設定されると、賭数に応じた複数の入賞ラインのいずれかが有効となり、スタートレバー５０５の操作が有効な状態、すなわち、ゲームが実行可能な状態となって、可変表示の実行条件が成立する。なお、前回のゲームにてリプレイなどの再遊技役の入賞が発生した場合にも、続けて次のゲームが実行可能となり、可変表示の実行条件が成立する。
【０３４３】
こうしてゲームが実行可能な状態でスタートレバー５０５が操作されると、その操作がスタートレバースイッチ５０５Ａ（図４３）により検知されたことに基づき、可変表示の開始条件が成立したことに対応して、各リールＲＬ、ＲＣ、ＲＲが回転し、各リールＲＬ、ＲＣ、ＲＲの図柄が連続的に変動する。この状態でいずれかのストップスイッチ５０６Ｌ、５０６Ｃ、５０６Ｒが操作されると、対応するリールＲＬ、ＲＣ、ＲＲの回転が停止し、表示結果が視認可能に導出表示される。
【０３４４】
そして、全てのリールＲＬ、ＲＣ、ＲＲの回転が停止されることで１ゲームが終了し、有効化されたいずれかの入賞ライン上に予め定められた役と呼ばれる図柄の組合せが各リールＲＬ、ＲＣ、ＲＲの表示結果として停止した場合には入賞が発生する。入賞となる役の種類には、大別して、メダルの付与を伴う小役と、賭数の設定を必要とせずに次のゲームを開始可能となる再遊技役と、遊技状態の移行を伴う特別役とがあり、遊技状態に応じて入賞となる役が定められている。スロットマシン５００では、スタートレバー５０５が操作されたタイミングで抽出した乱数値に基づき、遊技状態に応じて定められた各役の入賞の発生を許容するか否かを決定する内部抽選を行う。この内部抽選に当選して入賞の発生が許容されていることを、「内部当選している」ともいう。各役の当選のうち、小役及び再遊技役の当選は、その当選が決定されたゲームにおいてのみ有効とされるが、特別役の当選は、その内部抽選により発生が許容された役が揃うまで有効とされる。すなわち特別役となる入賞の発生が一度許容されると、例え、各ゲームにて特別役となる入賞を発生させることができなかった場合でも、その当選は次のゲームへ持ち越されることになる。
【０３４５】
スロットマシン５００における遊技状態には、例えばレギュラーボーナス、ビッグボーナス、通常遊技状態がある。レギュラーボーナスの遊技状態では、例えばＪＡＣ、チェリー、スイカ及びベルなどの小役が、入賞となる役として定められており、内部抽選での抽選対象とされる。ビッグボーナスでは、所定の小役ゲームにおいて、例えばチェリー、スイカ及びベルなどの小役や、レギュラーボーナス（あるいはＪＡＣＩＮ）などの特別役が、入賞となる役として定められており、各小役ゲームにおける内部抽選での抽選対象とされる。通常遊技状態では、例えばチェリー、スイカ及びベルなどの小役や、リプレイなどの再遊技役、ビッグボーナス、レギュラーボーナスなどの特別役が、入賞となる役として予め定められており、各ゲームにおける内部抽選での抽選対象とされる。
【０３４６】
通常遊技状態においてビッグボーナスとなる特別役の入賞が発生すると、遊技状態がビッグボーナスに移行する。ビッグボーナスでは、小役ゲームと称される所定のゲームを行うことができる。ビッグボーナスは、当該ビッグボーナス中において遊技者に付与したメダルの総数が規定枚数（例えば４６６枚）以上となった場合に終了する。通常遊技状態やビッグボーナス中の小役ゲームにおいてレギュラーボーナスとなる特別役の入賞が発生すると、遊技状態がレギュラーボーナスに移行する。レギュラーボーナスは、１２ゲーム消化した場合と、８ゲーム入賞（役の種類はいずれでもよい）した場合のいずれか早いほうで終了する。通常遊技状態時のレギュラーボーナスでは、遊技者に付与したメダルの総数が規定枚数以上となったときに、レギュラーボーナスを終了させるようにしてもよい。ビッグボーナス中のレギュラーボーナスで当該ビッグボーナス中において遊技者に付与したメダルの総数が規定枚数以上となった場合は、ビッグボーナスとともに当該レギュラーボーナスも終了する。
【０３４７】
スロットマシン５００では、遊技状態がレギュラーボーナスやビッグボーナスなどの特別遊技状態に移行している場合に、通常遊技状態よりも多くのメダルを遊技者が獲得でき、通常遊技状態よりも遊技者にとって有利な遊技状態となる。なお、特別遊技状態はレギュラーボーナスやビッグボーナスなどに限らず、通常遊技状態に比べて遊技者が多くのメダルを獲得することが期待でき、通常遊技状態よりも遊技者にとって有利な遊技状態であればよい。このような通常遊技状態よりも遊技者にとって有利な遊技状態としては、例えば、リールの導出条件（例えば停止順や停止タイミング）が満たされることを条件に発生する報知対象入賞の導出条件を満たす操作手順が報知される遊技状態（いわゆるアシストタイム）や、少なくともいずれか１つのリールの引込範囲を制限することで、ストップスイッチ５０６Ｌ、５０６Ｃ、５０６Ｒが操作された際に表示されている図柄が停止しやすいように制御し、遊技者が目押しを行うことで入賞図柄の組合せを導出させることが可能となるチャレンジタイム（ＣＴ）、特定の入賞（例えばリプレイ入賞やシングルボーナス入賞等）の発生が許容される確率が高まる遊技状態（いわゆるリプレイタイムや集中状態）等、さらには、これらを組み合わせた遊技状態などであればよい。
【０３４８】
スロットマシン５００には、例えば図４３に示すような主基板６００、演出制御基板６２０、リールユニット６５０などが搭載されている。その他にも、スロットマシン５００には、主基板６００に接続された電源基板や中継基板等の他の基板も搭載されている。主基板６００には、遊技制御用マイクロコンピュータ６１０が設けられている。遊技制御用マイクロコンピュータ６１０は、上記実施の形態における遊技制御用マイクロコンピュータ１００と同様に、プログラムに従った制御を行うＣＰＵ、ユーザプログラムやデータを記憶するＲＯＭ、ワークエリアとしてＣＰＵにより使用されるＲＡＭなどを備えて構成されている。
【０３４９】
リールユニット６５０は、リールモータ６５１Ｌ、６５１Ｃ、６５１Ｒ、リールランプ６５２、リールセンサ６５３などを備えて構成される。リールモータ６５１Ｌ、６５１Ｃ、６５１Ｒは、各リールＲＬ、ＲＣ、ＲＲを回転させるためのモータである。リールランプ６５２は、各リールＲＬ、ＲＣ、ＲＲの内部に設けられ、各リールＲＬ、ＲＣ、ＲＲに描かれた図柄のうち、可変表示装置５０１にて視認可能となる図柄をリールの内側から照射するためのランプである。リールセンサ６５３は、各リールＲＬ、ＲＣ、ＲＲの回転状態や回転数などを検知するためのセンサである。
【０３５０】
演出制御基板６２０には、カメラ５３３からの映像信号や撮影画像データなどを伝送する配線や、超音波出力制御回路５３１に超音波出力指令信号を伝送して超音波出力装置５３２Ｌ、５３２Ｃ、５３２Ｒから超音波信号を出力させるための配線が接続されており、演出制御用マイクロコンピュータ６３０や、表示制御部６３１、音制御部６３２、ランプ制御部６３３などが搭載されている。演出制御用マイクロコンピュータ６３０は、上記実施の形態における演出制御用マイクロコンピュータ１２０と同様に、プログラムに従った制御を行うＣＰＵ、ユーザプログラムやデータを記憶するＲＯＭ、ワークエリアとしてＣＰＵにより使用されるＲＡＭ、リセット／割込みコントローラなどを備えて構成されている。表示制御部６３１は、画像表示装置５１０における表示動作の制御を行うものであり、上記実施の形態における表示制御部１２１と同様に、演出制御用マイクロコンピュータ６３０からの表示制御指令に従った画像データの処理を実行する画像処理プロセッサや、画像表示装置５１０の画面上に画像を表示させるために使用される各種の画像データを記憶する画像データメモリを備えて構成されている。
【０３５１】
演出制御用マイクロコンピュータ６３０では、主基板６００から受信した演出制御コマンドに基づく演出制御パターンに従って画像表示装置５１０やスピーカ５１１Ｌ、５１１Ｒ、遊技効果ランプ５１２〜５１４、超音波出力装置５３２Ｌ、５３２Ｃ、５３２Ｒなどによる演出動作を制御するための指令や処理が、ＣＰＵによって実行される。表示制御部６３１では、演出制御用マイクロコンピュータ６３０からの表示制御指令に従った画像データの処理が、画像処理プロセッサによって実行される。
【０３５２】
画像表示装置５１０の画面上には、例えば上記実施の形態における画像表示装置５における「左」、「中」、「右」の飾り図柄表示エリアと同様にして、「左」、「中」、「右」の可変表示部が設けられ、例えば演出制御用マイクロコンピュータ６３０のＣＰＵが上記実施の形態における図２９のフローチャートに示す可変表示中演出処理と同様の処理を実行することにより、可変表示装置５０１における図柄の可変表示に対応して、各々が識別可能な複数種類の飾り図柄が可変表示されてもよい。あるいは、画像表示装置５１０の表示領域では飾り図柄の可変表示が実行されず、可変表示装置５０１における図柄の可変表示などに対応した演出画像の表示が行われるようにしてもよい。このときには、カメラ５３３により検知対象物を撮影して生成された撮影画像データに基づいて、検知対象物の動作態様が検知され、その検知結果に応じて演出画像の表示や超音波信号の照射位置を変化させればよい。また、操作テーブル５２０の先端上面には、例えば操作テーブル５２０の左右両端の間といった所定位置に、境界面報知ユニットが設けられててもよい。この境界面報知ユニットに代えて、あるいは、境界面報知ユニットとともに、報知動作を行うことなく仮想操作領域ＶＡ１や仮想境界面ＶＢ１を遊技者に認識させる認識用部材を設けてもよい。
【０３５３】
例えば、ストップスイッチ５０６Ｌが操作されたことによりリールＲＬの回転を停止させ、続いて、ストップスイッチ５０６Ｃが操作されることによりリールＲＣの回転を停止させる。このとき、可変表示装置５０１では、リールＲＬの停止により導出表示された図柄と、リールＲＣの停止により導出表示された図柄とが、いずれかの入賞ライン上でビッグボーナスとなる特別役の入賞を発生可能な組合せを構成するものとする。その後、例えば演出制御用マイクロコンピュータ６３０のＣＰＵや表示制御部６３１の画像処理プロセッサが上記実施の形態における図３０のフローチャートに示すような特別演出制御処理と同様の処理を実行することなどにより特別演出となる演出動作を実行して、例えば内部抽選の結果といった所定の遊技価値を付与するか否かの決定結果や、検知対象物の動作態様を検知した結果などに応じて、演出画像の表示や超音波信号の出力設定を変化させる。これにより、例えば遊技者の手といった、検知対象物の動作との関連性を直感的に理解できる演出内容を多様化して、遊技の興趣を向上させることができる。
【０３５４】
また、超音波出力装置５３２Ｌ、５３２Ｃ、５３２Ｒから出力（放射）された超音波信号は、空間中を伝搬して遊技者の皮膚表面などに到達して、遊技者に所定の触感を与える。したがって、超音波信号の照射位置は、パチンコ遊技機１から離間した空間内の所定位置に設定することができる。これにより、例えば画像表示装置５１０の表面といった、スロットマシン５００の所定位置に遊技者が接触することなく、遊技者の触覚に刺激を与えることができ、より広い範囲で遊技者の感覚に刺激を与えて演出内容を多様化し、遊技の興趣を向上させることができる。
【０３５５】
特別演出において画像表示装置５１０により所定の演出画像が表示されたときには、その表示位置にあわせて超音波信号の照射位置が設定されればよい。こうして、演出画像を表示する演出動作と連動して遊技者の感覚に刺激を与えることで、演出動作と触感の対応関係を明確にして遊技の興趣を向上させることができる。
【０３５６】
画像表示装置５１０により演出画像を立体画像として表示する場合には、立体画像として投射された演出画像の表示位置にあわせて超音波信号の照射位置が設定されればよい。こうして、立体画像を表示する演出動作と連動して遊技者の感覚に刺激を与えることで、より現実に近い印象を遊技者に与えて遊技の興趣を向上させることができる。
【０３５７】
さらに、カメラ５３３による撮影結果に応じて、超音波信号の照射位置を含めた超音波信号の出力設定が行われる。これにより、遊技者の操作行為などに応じて、遊技者の感覚に的確な刺激を与えやすくして遊技の興趣を向上させることができる。
【０３５８】
例えばビッグボーナスやレギュラーボーナスのような特別役といった、内部抽選での抽選対象となる所定の役に内部当選しているか否かに応じて異なる割合で、超音波信号の出力設定を所定態様に変化させるか否かが決定されてもよい。これにより、超音波信号を照射することで遊技者に与えられる触感に応じて、内部当選に対する遊技者の期待感を異ならせて遊技の興趣を向上させることができる。
【０３５９】
加えて、本発明の遊技機は、パチンコ遊技機等の弾球遊技機において画像表示装置を有するものであれば、例えば、一般電役機、又はパチコンと呼ばれる確率設定機能付き弾球遊技機等であっても構わない。また、本発明は、入賞球の検出に応答して所定数の賞球を払い出す払出式遊技機に限定されるものではなく、遊技球を封入し入賞球の検出に応答して得点を付与する封入式遊技機にも適用することができる。
【０３６０】
さらに、本発明の遊技機は、メダル並びにクレジットを使用してゲームを実施可能なスロットマシンに限らず、例えばパチンコ球を用いてゲームを行うスロットマシンや、メダルが外部に排出されることなくクレジットを使用して遊技可能な完全クレジット式のスロットマシン、可変表示装置が画像にて表示される画像式のスロットマシンなどにも適用することができる。
【０３６１】
本発明を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【符号の説明】
【０３６２】
１  …  パチンコ遊技機
２  …  遊技盤
３  …  遊技機用枠
４  …  特別図柄表示装置
５、５１０  …  画像表示装置
６  …  普通可変入賞球装置
７  …  特別可変入賞球装置
８Ｌ、８Ｒ、５１１Ｌ、５１１Ｒ  …  スピーカ
９、５１２〜５１４  …  遊技効果ランプ
１１、６００  …  主基板
１２、６２０  …  演出制御基板
１３  …  中継基板
２０  …  普通図柄表示器
２１  …  ゲートスイッチ
２２  …  始動口スイッチ
２３  …  カウントスイッチ
３０  …  上皿形成部材
３２Ｌ、３２Ｃ、３２Ｒ、５３２Ｌ、５３２Ｃ、５３２Ｒ  …  超音波出力装置
３３、５３３  …  カメラ
１００、６１０  …  遊技制御用マイクロコンピュータ
１１１、１３１  …  ＣＰＵ
１１２、１３２  …  ＲＯＭ
１１３、１３３  …  ＲＡＭ
１１４  …  乱数回路
１１５、１３６  …  入出力ポート
１２０、６３０  …  演出制御用マイクロコンピュータ
１２１、６３１  …  表示制御部
１２２、６３２  …  音制御部
１２３、６３３  …  ランプ制御部
５２０  …  操作テーブル
【図１】
0005784293.tif 000002
【図２】
0005784293.tif 000003
【図３】
0005784293.tif 000004
【図４】
0005784293.tif 000005
【図５】
0005784293.tif 000006
【図６】
0005784293.tif 000007
【図７】
0005784293.tif 000008
【図８】
0005784293.tif 000009
【図９】
0005784293.tif 000010
【図１０】
0005784293.tif 000011
【図１１】
0005784293.tif 000012
【図１２】
0005784293.tif 000013
【図１３】
0005784293.tif 000014
【図１４】
0005784293.tif 000015
【図１５】
0005784293.tif 000016
【図１６】
0005784293.tif 000017
【図１７】
0005784293.tif 000018
【図１８】
0005784293.tif 000019
【図１９】
0005784293.tif 000020
【図２０】
0005784293.tif 000021
【図２１】
0005784293.tif 000022
【図２２】
0005784293.tif 000023
【図２３】
0005784293.tif 000024
【図２４】
0005784293.tif 000025
【図２５】
0005784293.tif 000026
【図２６】
0005784293.tif 000027
【図２７】
0005784293.tif 000028
【図２８】
0005784293.tif 000029
【図２９】
0005784293.tif 000030
【図３０】
0005784293.tif 000031
【図３１】
0005784293.tif 000032
【図３２】
0005784293.tif 000033
【図３３】
0005784293.tif 000034
【図３４】
0005784293.tif 000035
【図３５】
0005784293.tif 000036
【図３６】
0005784293.tif 000037
【図３７】
0005784293.tif 000038
【図３８】
0005784293.tif 000039
【図３９】
0005784293.tif 000040
【図４０】
0005784293.tif 000041
【図４１】
0005784293.tif 000042
【図４２】
0005784293.tif 000043
【図４３】
0005784293.tif 000044